(57)【要約】【課題】複数の移動局装置と基地局装置から構成される通信システムにおいて、複数の上りリンクの周波数帯域に対して独立な送信タイミングが適切に設定されることを可能にする。【解決手段】第一のセルの下りリンクの受信品質と受信タイミングを測定し、前記基地局装置に通知した直近の前記受信品質の測定時の前記受信タイミングと、前記受信品質の測定時の前記受信タイミングとの差である第一の受信タイミングの差を測定し、前記第一の受信タイミングの差が所定時間以上であるか否かを判断し、前記第一の受信タイミングの差に関する判断に基づき、前記受信品質を示す情報と、前記第一の受信タイミングの差に関する情報とを前記基地局装置に送信する。【選択図】図７
2013042261.tif 000002
【特許請求の範囲】
【請求項１】
複数の周波数の異なるセルを用いて基地局装置と通信を行う移動局装置であって、
第一のセルの下りリンクの受信品質と受信タイミングを測定し、
前記基地局装置に通知した直近の前記受信品質の測定時の前記受信タイミングと、前記受信品質の測定時の前記受信タイミングとの差である第一の受信タイミングの差を測定し、
前記第一の受信タイミングの差が所定時間以上であるか否かを判断し、
前記第一の受信タイミングの差に関する判断に基づき、前記受信品質を示す情報と、前記第一の受信タイミングの差に関する情報と、を前記基地局装置に送信することを特徴とする移動局装置。
【請求項２】
前記第一の受信タイミングの差が所定時間以上であると判断した場合、前記第一のセルの前記第一の受信タイミングの差が所定時間以上であることを示す情報と、前記受信品質を示す情報とを前記基地局装置に送信し、
前記第一の受信タイミングの差が所定時間以上ではないと判断した場合、前記第一の受信タイミングの差に関する情報を送信せず、前記受信品質を示す情報を前記基地局装置に送信することを特徴とする請求項１記載の移動局装置。
【請求項３】
前記第一の受信タイミングの差が所定時間以上であると判断した場合、前記受信品質の測定時の前記受信タイミングと、前記第一のセルとは異なる第二のセルの下りリンクの受信タイミングとの差である第二の受信タイミングの差を測定し、
前記第二の受信タイミングの差が所定時間以上であるか否かを判断し、
前記第二の受信タイミングの差に関する判断に基づいて、前記第二の受信タイミングの差が所定時間以上であることを示す情報、または前記第二の受信タイミングの差が所定時間以内である前記第二のセルを示す情報のいずれかと、前記第一のセルの受信品質を示す情報とを前記基地局装置に送信し、
前記第一の受信タイミングの差が所定時間以上ではないと判断した場合、前記第一の受信タイミングの差に関する情報を送信せず、前記第一のセルの受信品質を示す情報を前記基地局装置に送信することを特徴とする請求項１記載の移動局装置。
【請求項４】
前記第二の受信タイミングの差が所定時間以内である前記第二のセルが複数あると判断した場合、前記第二の受信タイミングの差が最も小さい前記第二のセルを示す情報を前記基地局装置に送信することを特徴とする請求項３記載の移動局装置。
【請求項５】
前記第二の受信タイミングの差が所定時間以内である前記第二のセルを示す情報は、前記第二の受信タイミングの差が所定時間以内である前記第二のセルが属する送信タイミングのグループを示す情報であることを特徴とする請求項３記載の移動局装置。
【請求項６】
複数の周波数の異なるセルを用いて移動局装置と通信を行う基地局装置であって、
第一のセルの下りリンクの受信品質を示す情報と、前記受信品質の測定時の受信タイミングと前記基地局装置に通知された直近の前記受信品質の測定時の受信タイミングとの差である第一の受信タイミングの差が所定時間以上であることを示す情報であるタイミング関連情報と、を前記移動局装置より受信し、
前記タイミング関連情報に基づき、前記第一のセルの送信タイミングのグループの設定を行うことを特徴とする基地局装置。
【請求項７】
複数の移動局装置および前記複数の移動局装置と通信を行う基地局装置から構成され、複数の周波数の異なるセルを用いて前記基地局装置と前記移動局装置が通信を行う通信システムであって、
前記移動局装置は、
第一のセルの下りリンクの受信品質と受信タイミングを測定し、
前記基地局装置に通知した直近の前記受信品質の測定時の前記受信タイミングと、前記受信品質の測定時の前記受信タイミングとの差である第一の受信タイミングの差を測定し、
前記第一の受信タイミングの差が所定時間以上であるか否かを判断し、
前記第一の受信タイミングの差に関する判断に基づき、前記受信品質を示す情報と、前記第一の受信タイミングの差に関する情報であるタイミング関連情報と、を前記基地局装置に送信し、
前記基地局装置は、
前記第一のセルの下りリンクの受信品質を示す情報と、前記タイミング関連情報と、を前記移動局装置より受信し、
前記タイミング関連情報に基づき、前記第一のセルの送信タイミングのグループの設定を行うことを特徴とする通信システム。
【請求項８】
複数の周波数の異なるセルを用いて基地局装置と通信を行う移動局装置に用いられる通信方法であって、
第一のセルの下りリンクの受信品質と受信タイミングを測定するステップと、
前記基地局装置に通知した直近の前記受信品質の測定時の前記受信タイミングと、前記受信品質の測定時の前記受信タイミングとの差である第一の受信タイミングの差を測定するステップと、
前記第一の受信タイミングの差が所定時間以上であるか否かを判断するステップと、
前記第一の受信タイミングの差に関する判断に基づき、前記受信品質を示す情報と、前記第一の受信タイミングの差に関する情報と、を前記基地局装置に送信するステップと、を少なくとも含むことを特徴とする通信方法。
【請求項９】
移動局装置に実装されることにより、前記移動局装置に複数の機能を発揮させる集積回路であって、
複数の周波数の異なるセルを用いて基地局装置と通信を行う機能と、
第一のセルの下りリンクの受信品質と受信タイミングを測定する機能と、
前記基地局装置に通知した直近の前記受信品質の測定時の前記受信タイミングと、前記受信品質の測定時の前記受信タイミングとの差である第一の受信タイミングの差を測定する機能と、
前記第一の受信タイミングの差が所定時間以上であるか否かを判断する機能と、
前記第一の受信タイミングの差に関する判断に基づき、前記受信品質を示す情報と、前記第一の受信タイミングの差に関する情報と、を前記基地局装置に送信する機能と、を含む一連の機能を、前記移動局装置に発揮させることを特徴とする集積回路。
【発明の詳細な説明】
【技術分野】
【０００１】
本発明は、複数の移動局装置と基地局装置から構成される通信システムにおいて、複数の上りリンクの周波数帯域に対して独立な送信タイミングが適用される移動局装置、基地局装置、通信システム、通信方法および集積回路に関する。
【背景技術】
【０００２】
セルラー移動通信の無線アクセス方式および無線ネットワークの進化（以下、「Long Term Evolution (LTE)」、または、「Evolved Universal Terrestrial Radio Access (EUTRA)」と呼称する。）が、第三世代パートナーシッププロジェクト（3rd Generation Partnership Project: 3GPP）において仕様化されている。ＬＴＥでは、基地局装置から移動局装置への無線通信（下りリンク; DLと呼称する。）の通信方式として、マルチキャリア送信である直交周波数分割多重（Orthogonal Frequency Division Multiplexing: OFDM）方式が用いられる。また、ＬＴＥでは、移動局装置から基地局装置への無線通信（上りリンク; ULと呼称する。）の通信方式として、シングルキャリア送信であるＳＣ−ＦＤＭＡ（Single-Carrier Frequency Division Multiple Access）方式が用いられる。ＬＴＥでは、ＳＣ−ＦＤＭＡ方式としてＤＦＴ−Ｓｐｒｅａｄ  ＯＦＤＭ（Discrete Fourier Transform-Spread OFDM）方式が用いられる。
【０００３】
３ＧＰＰでは、ＬＴＥより広帯域な周波数帯域を利用して、さらに高速なデータの通信を実現する無線アクセス方式および無線ネットワーク（以下、「Long Term Evolution-Advanced (LTE-A)」、または、「Advanced Evolved Universal Terrestrial Radio Access (A-EUTRA)」と呼称する。）が検討されている。ＬＴＥ−Ａでは、ＬＴＥとの後方互換性(backward compatibility)を実現することが求められている。ＬＴＥ−Ａに対応した基地局装置が、ＬＴＥ−Ａに対応した移動局装置およびＬＴＥに対応した移動局装置の両方の移動局装置と同時に通信を行うこと、およびＬＴＥ−Ａに対応した移動局装置が、ＬＴＥ−Ａに対応した基地局装置およびＬＴＥに対応した基地局装置と通信を行なうことを実現することがＬＴＥ−Ａに対して要求されている。
【０００４】
その要求を実現するために、ＬＴＥ−ＡではＬＴＥと同一のチャネル構造を少なくともサポートすることが検討されている。チャネルとは、信号の送信に用いられる媒体を意味する。物理層で用いられるチャネルは物理チャネル、メディアアクセス（Media Access Control: MAC）層で用いられるチャネルは論理チャネルと呼称する。物理チャネルの種類としては、下りリンクのデータおよび制御情報の送受信に用いられる物理下りリンク共用チャネル（Physical Downlink Shared CHannel: PDSCH）、下りリンクの制御情報の送受信に用いられる物理下りリンク制御チャネル（Physical Downlink Control CHannel: PDCCH）、上りリンクのデータおよび制御情報の送受信に用いられる物理上りリンク共用チャネル（Physical Uplink Shared CHannel: PUSCH）、制御情報の送受信に用いられる物理上りリンク制御チャネル（Physical Uplink Control CHannel: PUCCH）、下りリンクの同期確立のために用いられる同期チャネル（Synchronization CHannel: SCH）、上りリンクの同期確立のために用いられる物理ランダムアクセスチャネル（Physical Random Access CHannel: PRACH）、下りリンクのシステム情報の送信に用いられる物理報知チャネル（Physical Broadcast CHannel: PBCH）等がある。移動局装置、または基地局装置は、制御情報、データなどから生成した信号を各物理チャネルに配置して、送信する。物理下りリンク共用チャネル、または物理上りリンク共用チャネルで送信されるデータは、トランスポートブロックと呼称する。
【０００５】
ＬＴＥ−Ａでは、ＬＴＥと同一のチャネル構造の周波数帯域（以下、「コンポーネントキャリア（Component Carrier: CC）」と呼称する。要素周波数帯域とも呼称する。）を複数用いて、１つの周波数帯域（広帯域な周波数帯域）として使用する技術（周波数帯域集約; Spectrum aggregation、キャリアアグリゲーション; CA: Carrier aggregation、Frequency aggregation等とも呼称する。）が検討されている。具体的には、キャリアアグリゲーションを用いた通信では、下りリンクのコンポーネントキャリア（以降、下りリンクコンポーネントキャリア; DL CCと呼称する。）毎に、下りリンクの物理チャネルが送受信され、上りリンクのコンポーネントキャリア（以降、上りリンクコンポーネントキャリア; UL CCと呼称する。）毎に上りリンクの物理チャネルが送受信される。つまり、キャリアアグリゲーションは、上りリンクと下りリンクにおいて、基地局装置と移動局装置が複数のＣＣを用いて複数の物理チャネルで信号を同時に送受信する技術である。
【０００６】
ＬＴＥ−Ａでは、基地局装置が任意の１つの周波数帯域を用いて通信する形態のことを「セル（Cell）」と呼称する。キャリアアグリゲーションは、複数の周波数帯域を用いた複数のセルによる通信であり、セルアグリゲーション（Cell aggregation）とも呼称する。セルアグリゲーションでは、複数のセルが異なる２種類のセルとして定義され、１つのセルがプライマリセル（PCell: Primary Cell）と定義され、その他のセルがセカンダリセル（SCell: Secondary Cell）と定義される。基地局装置は、セルアグリゲーションを用いる各移動局装置に対してＰＣｅｌｌとＳＣｅｌｌの設定を独立に行う。ＰＣｅｌｌは、必ず１つのＤＬ  ＣＣと１つのＵＬ  ＣＣのセット（組み合わせ）から構成される。ＳＣｅｌｌは、少なくとも１つのＤＬ  ＣＣから構成され、ＵＬ  ＣＣが構成される場合と構成されない場合がある。ＰＣｅｌｌで用いられるＣＣのことを、プライマリコンポーネントキャリア（PCC: Primary CC）と呼称する。ＳＣｅｌｌで用いられるＣＣのことを、セカンダリコンポーネントキャリア（SCC: Secondary CC）と呼称する。ＰＣｅｌｌおよびＳＣｅｌｌにおいて、ＰＤＳＣＨおよびＰＵＳＣＨを用いたデータ通信は共通して行なわれるが、その他の各種処理が異なって行われる。簡単に説明すると、複数の処理がＰＣｅｌｌのみで行われ、ＳＣｅｌｌでは行われない。例えば、ＰＣｅｌｌでは、下りリンクにおいてシステム情報の取得、無線品質不足（RLF: Radio Link Failure）の判断などが行われ、上りリンクにおいてＰＲＡＣＨを用いた、初期接続、スケジューリング要求のためのランダムアクセス手順の実行、ＰＵＣＣＨを用いた上りリンク制御情報の送受信などが行われる。基本的に、セルアグリゲーションを用いないＬＴＥで行われる処理の全てがＰＣｅｌｌで行われ、データ通信以外の複数の処理がＳＣｅｌｌでは行われない。
【０００７】
ＬＴＥ−Ａでは、複数のセルにおいて一部のセルにリピーターを用いることが検討されている。また、複数のセルにおいて異なるセルで異なるリピーターを用いることが検討されている。この場合、セル間で伝搬環境が異なり、移動局装置から送信された信号の基地局装置での到来タイミングがセル間で異なる。このため、基地局装置と移動局装置間において各セルの上りリンクの同期を維持するために、複数のセルのＵＬ  ＣＣに対して独立な送信タイミングが適用される必要がある。例えば、基地局装置は、移動局装置に対して上りリンクの同期ずれを測定するための信号を幾つかのセルで独立に送信させる。例えば、基地局装置は、移動局装置からセル間の下りリンクの受信タイミングの差に関する情報を取得し、必要な場合に異なる送信タイミングを適用する手順を実行する（非特許文献１）。
【０００８】
上りリンクの同期ずれを測定するための信号としてＰＲＡＣＨを用い、ランダムアクセス手順を実行することが検討されている（非特許文献２）。基地局装置は、上りリンクの同期ずれを測定することが必要と思われるセルに対してランダムアクセス手順を実行するように移動局装置に指示する。基地局装置は、ＰＲＡＣＨで送信するプリアンブル（RACH preamble）系列を示す情報を、ＰＤＣＣＨを用いて移動局装置に送信する。移動局装置は、受信したＰＤＣＣＨに含まれる情報で示されたプリアンブル系列を、セルのＵＬ  ＣＣ内のＰＲＡＣＨで基地局装置に対して送信する。なお、基地局装置より明示的に割り当てられたＲＡＣＨ  ｐｒｅａｍｂｌｅを、Ｄｅｄｉｃａｔｅｄ  ｐｒｅａｍｂｌｅと称す。また、このように、プリアンブル系列を示す情報を含むＰＤＣＣＨによる指示をＰＤＣＣＨ  ｏｒｄｅｒと称す。Ｄｅｄｉｃａｔｅｄ  ｐｒｅａｍｂｌｅを検出した基地局装置は、上りリンクの送信タイミングの調整値（TA: Timing Advance, Timing Adjustment, Timing Alignment）を示す情報（TA command）を移動局装置に送信する。移動局装置は、Ｄｅｄｉｃａｔｅｄ  ｐｒｅａｍｂｌｅを送信したセルのＤＬ  ＣＣで上りリンクの送信タイミングの調整値を示す情報を受信する。移動局装置は、受信した上りリンクの送信タイミングの調整値を示す情報に基づき、セルの上りリンクの送信タイミングを調整する。
【０００９】
また、移動局装置がセル間の下りリンクの受信タイミングの差を検出し、検出した受信タイミングの差を上りリンクの送信タイミングの差に適用し、ランダムアクセス手順を実行せずに、上りリンクの送信タイミングを調整する方法も検討されている。例えば、この場合、基地局装置は、移動局装置から送信されたサウンディング参照信号（SRS: Sounding Reference Signal）に基づき、送信タイミングの微調整を移動局装置に対して指示する。
【００１０】
なお、一部のセルにリピーターが用いられず、同じ基地局装置により複数のセルの信号の送受信が行なわれる場合、適切な送信タイミングを検出する手順はＰＣｅｌｌのみで行われ、ＰＣｅｌｌに対して用いられる上りリンクの送信タイミングの調整値がＳＣｅｌｌに対しても用いられる。例えば、上りリンクの同期ずれを測定するためのランダムアクセス手順はＰＣｅｌｌのみで行われる。複数のセルにおいて一部のセルにリピーターが用いられる場合、移動局装置はＳＣｅｌｌに対してＰＣｅｌｌとは異なる送信タイミングを検出する手順をＰＣｅｌｌに対する手順とは独立して行なう。例えば、ＳＣｅｌｌに対して上りリンクの同期ずれを測定するためのランダムアクセス手順がＰＣｅｌｌに対する手順とは独立して行なわれる。例えば、ランダムアクセス手順等により設定されたＰＣｅｌｌの上りリンクの送信タイミングに、ＰＣｅｌｌの下りリンクの信号とＳＣｅｌｌの下りリンクの信号との受信タイミングの差を反映した送信タイミングが、ＳＣｅｌｌの送信タイミングに設定される。
【００１１】
ＰＤＣＣＨで送受信される下りリンクの制御情報の中には、ＰＤＳＣＨのリソースの割り当てに関する制御情報が含まれる。ＬＴＥ−Ａでは、ＰＤＣＣＨと、そのＰＤＣＣＨにリソースの割り当てに関する制御情報が含まれるＰＤＳＣＨが異なるＤＬ  ＣＣに配置される技術（Cross carrier schedulingと呼称する。）が検討されている。ＰＤＳＣＨが配置されるＤＬ  ＣＣを物理下りリンク共用チャネルコンポーネントキャリア（PDSCH CC）と呼称する。ＰＤＣＣＨが配置されるＤＬ  ＣＣを物理下りリンク制御チャネルコンポーネントキャリア（PDCCH CC）と呼称する。なお、キャリアアグリゲーションで用いられる全てのＤＬ  ＣＣにＰＤＳＣＨが配置される可能性がある場合、全てのＤＬ  ＣＣはＰＤＳＣＨ  ＣＣとなる。
【００１２】
基地局装置は、キャリアアグリゲーションに用いる複数のＤＬ  ＣＣの中で何れのＤＬ  ＣＣをＰＤＣＣＨ  ＣＣとして用いるかを移動局装置毎に決定する。次に、基地局装置は、各ＰＤＣＣＨ  ＣＣを何れのＰＤＳＣＨ  ＣＣと対応させるかを移動局装置毎に決定する。ここで、ＰＤＣＣＨ  ＣＣとＰＤＳＣＨ  ＣＣの対応付けとは、ＰＤＳＣＨ  ＣＣに配置されるＰＤＳＣＨのリソースの割り当てに関する制御情報を含むＰＤＣＣＨが、そのＰＤＳＣＨ  ＣＣと対応付けられたＰＤＣＣＨ  ＣＣに配置されることを意味する。基地局装置は、各ＰＤＳＣＨ  ＣＣに対してＰＤＣＣＨ  ＣＣとして対応付けられたＤＬ  ＣＣを示す情報を移動局装置に通知する。移動局装置は、基地局装置より通知された情報に基づき、各ＰＤＳＣＨ  ＣＣのＰＤＳＣＨのリソースの割り当てに関する制御情報を含むＰＤＣＣＨが配置される可能性のあるＤＬ  ＣＣを認識する。
【００１３】
なお、ＰＤＳＣＨ  ＣＣと、そのＰＤＳＣＨ  ＣＣと対応付けられたＰＤＣＣＨ  ＣＣが同じＤＬ  ＣＣであってもよい。この場合、ＰＤＣＣＨ  ＣＣとして対応付けられたＤＬ  ＣＣを示す情報が移動局装置に明示的に通知されなくてもよい。また、１つのＰＤＣＣＨ  ＣＣに複数のＰＤＳＣＨ  ＣＣが対応付けられてもよい。言い換えると、複数のＰＤＳＣＨ  ＣＣが同じＰＤＣＣＨ  ＣＣに対応付けられてもよい。
【先行技術文献】
【非特許文献】
【００１４】
【非特許文献１】3GPP TSG RAN2 #74、Barcelona、Spain、9-13、May、2011、R2-113285“Discussion on TA group management”
【００１５】
【非特許文献２】3GPP TSG RAN2 #74、Barcelona、Spain、9-13、May、2011、R2-113284“RACH issues for supporting multiple TAs”
【発明の概要】
【発明が解決しようとする課題】
【００１６】
移動局装置は、移動する。例えば、移動局装置はリピーターに近付いたり、リピーターから離れたりする。その結果、移動局装置にとって、あるセル（周波数帯域）の信号の送受信に好適な信号のやり取り相手が基地局装置であったり、リピーターであったりと、変化する。例えば、移動局装置が基地局装置と接続中のあるセル（周波数帯域）において、基地局装置よりリピーターの方が信号の品質が良くなる場合がある。例えば、移動局装置がリピーターと接続中のあるセル（周波数帯域）において、リピーターより基地局装置の方が信号の品質が良くなる場合がある。
【００１７】
しかしながら、移動局装置が接続中のセル（周波数帯域）の下りリンクの受信品質のみを基地局装置に送信する構成では、移動局装置が基地局装置からの信号を受信しているのか、リピーターからの信号を受信しているのかを基地局装置は適切に把握することができない。例えば、現在、仕様化されているＬＴＥ  Ｒｅｌｅａｓｅ  ８、ＬＴＥ  Ｒｅｌｅａｓｅ  ９、ＬＴＥ  Ｒｅｌａｓｅ  １０（ＬＴＥ−Ａｄｖａｎｃｅｄ）では、移動局装置がセルの下りリンクの受信品質を基地局装置に通知するＭｅａｓｕｒｅｍｅｎｔ  ｒｅｐｏｒｔでは、移動局装置が基地局装置からの信号を受信しているのか、リピーターからの信号を受信しているのかを基地局装置が適切に把握することができる情報は通知されない。よって、基地局装置は、移動局装置がリピーターと接続し得るセルにおいて、他のセルとは異なる送信タイミングを適用する手順を実行する必要があるかどうかを適切に把握することができない。
【００１８】
例えば、基地局装置は、移動局装置がリピーターと接続し得るセルにおいてランダムアクセス手順を実行する必要があるかどうかを認識することができない。例えば、移動局装置が基地局装置と接続中のあるセル（周波数帯域）において、信号の受信先をリピーターに切り替えた場合、基地局装置は移動局装置に対して送信タイミングの設定のためにランダムアクセス手順を実行させる必要があるが、基地局装置はいつランダムアクセス手順を実行させることが必要になったかを適切に認識することができないという問題があった。
【００１９】
例えば、基地局装置は、移動局装置がリピーターと接続し得るセルに対して、他のセルとは独立に送信タイミングの調整（微調整、再調整）を行う必要があるかどうかを認識することができない。例えば、移動局装置が基地局装置と接続中のあるセル（周波数帯域）において、信号の受信先をリピーターに切り替えた場合、基地局装置は移動局装置に対して送信タイミングの調整を行うための手順を実行させる必要があるが、基地局装置はいつ送信タイミングの調整を行うための手順を実行させることが必要になったかを適切に認識することができないという問題があった。
【００２０】
例えば、移動局装置がリピーターと接続中のあるセル（周波数帯域）において、信号の受信先を基地局装置に切り替えた場合、基地局装置は移動局装置に対して基地局装置と接続中の他のセルと共通の処理を用いて、移動局装置が信号の受信先をリピーターから基地局装置に切り替えたセルの送信タイミングの調整を行うようにして、処理負荷の軽減、リソースの利用効率を向上させることが好ましいが、基地局装置は移動局装置が信号の受信先をリピーターから基地局装置に切り替えたセルに対していつ送信タイミングの調整を共通の処理に切り替えることができるかを適切に認識することができないという問題があった。
【００２１】
本発明は上記の点に鑑みてなされたものであり、その目的は、複数の移動局装置と基地局装置から構成される通信システムにおいて、複数の上りリンクの周波数帯域に対して独立な送信タイミングが適切に設定されることができる移動局装置、基地局装置、通信システム、通信方法および集積回路に関する。
【課題を解決するための手段】
【００２２】
（１）上記の目的を達成するために、本発明は、以下のような手段を講じた。すなわち、本発明の移動局装置は、複数の周波数の異なるセルを用いて基地局装置と通信を行う移動局装置であって、第一のセルの下りリンクの受信品質と受信タイミングを測定し、前記基地局装置に通知した直近の前記受信品質の測定時の前記受信タイミングと、前記受信品質の測定時の前記受信タイミングとの差である第一の受信タイミングの差を測定し、前記第一の受信タイミングの差が所定時間以上であるか否かを判断し、前記第一の受信タイミングの差に関する判断に基づき、前記受信品質を示す情報と、前記第一の受信タイミングの差に関する情報と、を前記基地局装置に送信することを特徴とする。
【００２３】
（２）また、本発明の移動局装置は、前記第一の受信タイミングの差が所定時間以上であると判断した場合、前記第一のセルの前記第一の受信タイミングの差が所定時間以上であることを示す情報と、前記受信品質を示す情報とを前記基地局装置に送信し、前記第一の受信タイミングの差が所定時間以上ではないと判断した場合、前記第一の受信タイミングの差に関する情報を送信せず、前記受信品質を示す情報を前記基地局装置に送信することを特徴とする。
【００２４】
（３）また、本発明の移動局装置は、前記第一の受信タイミングの差が所定時間以上であると判断した場合、前記受信品質の測定時の前記受信タイミングと、前記第一のセルとは異なる第二のセルの下りリンクの受信タイミングとの差である第二の受信タイミングの差を測定し、前記第二の受信タイミングの差が所定時間以上であるか否かを判断し、前記第二の受信タイミングの差に関する判断に基づいて、前記第二の受信タイミングの差が所定時間以上であることを示す情報、または前記第二の受信タイミングの差が所定時間以内である前記第二のセルを示す情報のいずれかと、前記第一のセルの受信品質を示す情報とを前記基地局装置に送信し、前記第一の受信タイミングの差が所定時間以上ではないと判断した場合、前記第一の受信タイミングの差に関する情報を送信せず、前記第一のセルの受信品質を示す情報を前記基地局装置に送信することを特徴とする。
【００２５】
（４）また、本発明の移動局装置は、前記第二の受信タイミングの差が所定時間以内である前記第二のセルが複数あると判断した場合、前記第二の受信タイミングの差が最も小さい前記第二のセルを示す情報を前記基地局装置に送信することを特徴とする。
【００２６】
（５）また、本発明の移動局装置は、前記第二の受信タイミングの差が所定時間以内である前記第二のセルを示す情報は、前記第二の受信タイミングの差が所定時間以内である前記第二のセルが属する送信タイミングのグループを示す情報であることを特徴とする。
【００２７】
（６）また、本発明の基地局装置は、複数の周波数の異なるセルを用いて移動局装置と通信を行う基地局装置であって、第一のセルの下りリンクの受信品質を示す情報と、前記受信品質の測定時の受信タイミングと前記基地局装置に通知された直近の前記受信品質の測定時の受信タイミングとの差である第一の受信タイミングの差が所定時間以上であることを示す情報であるタイミング関連情報と、を前記移動局装置より受信し、前記タイミング関連情報に基づき、前記第一のセルの送信タイミングのグループの設定を行うことを特徴とする。
【００２８】
（７）また、本発明の通信システムは、複数の移動局装置および前記複数の移動局装置と通信を行う基地局装置から構成され、複数の周波数の異なるセルを用いて前記基地局装置と前記移動局装置が通信を行う通信システムであって、前記移動局装置は、第一のセルの下りリンクの受信品質と受信タイミングを測定し、前記基地局装置に通知した直近の前記受信品質の測定時の前記受信タイミングと、前記受信品質の測定時の前記受信タイミングとの差である第一の受信タイミングの差を測定し、前記第一の受信タイミングの差が所定時間以上であるか否かを判断し、前記第一の受信タイミングの差に関する判断に基づき、前記受信品質を示す情報と、前記第一の受信タイミングの差に関する情報であるタイミング関連情報と、を前記基地局装置に送信し、前記基地局装置は、前記第一のセルの下りリンクの受信品質を示す情報と、前記タイミング関連情報と、を前記移動局装置より受信し、前記タイミング関連情報に基づき、前記第一のセルの送信タイミングのグループの設定を行うことを特徴とする。
【００２９】
（８）また、本発明の通信方法は、複数の周波数の異なるセルを用いて基地局装置と通信を行う移動局装置に用いられる通信方法であって、第一のセルの下りリンクの受信品質と受信タイミングを測定するステップ、前記基地局装置に通知した直近の前記受信品質の測定時の前記受信タイミングと、前記受信品質の測定時の前記受信タイミングとの差である第一の受信タイミングの差を測定するステップと、前記第一の受信タイミングの差が所定時間以上であるか否かを判断するステップと、前記第一の受信タイミングの差に関する判断に基づき、前記受信品質を示す情報と、前記第一の受信タイミングの差に関する情報と、を前記基地局装置に送信するステップと、を少なくとも含むことを特徴とする。
【００３０】
（９）また、本発明の集積回路は、移動局装置に実装されることにより、前記移動局装置に複数の機能を発揮させる集積回路であって、複数の周波数の異なるセルを用いて基地局装置と通信を行う機能と、第一のセルの下りリンクの受信品質と受信タイミングを測定する機能と、前記基地局装置に通知した直近の前記受信品質の測定時の前記受信タイミングと、前記受信品質の測定時の前記受信タイミングとの差である第一の受信タイミングの差を測定する機能と、前記第一の受信タイミングの差が所定時間以上であるか否かを判断する機能と、前記第一の受信タイミングの差に関する判断に基づき、前記受信品質を示す情報と、前記第一の受信タイミングの差に関する情報と、を前記基地局装置に送信する機能と、を含む一連の機能を、前記移動局装置に発揮させることを特徴とする。
【００３１】
本明細書では、移動局装置と基地局装置が複数の周波数帯域を用いて接続される場合における通信システム、基地局装置、移動局装置、通信方法および集積回路の改良という点において本発明を開示するが、本発明が適用可能な通信方式は、ＬＴＥまたはＬＴＥ−ＡのようにＬＴＥと上位互換性のある通信方式に限定されるものではない。例えば、本発明はＵＭＴＳ（Universal Mobile Telecommunications System）にも適用することができる。
【発明の効果】
【００３２】
この発明によれば、複数の上りリンクの周波数帯域に対して独立な送信タイミングが適切に設定されることができる。
【図面の簡単な説明】
【００３３】
【図１】本発明の実施形態に係る基地局装置３の構成を示す概略ブロック図である。
【図２】本発明の実施形態に係る基地局装置３の送信処理部１０７の構成を示す概略ブロック図である。
【図３】本発明の実施形態に係る基地局装置３の受信処理部１０１の構成を示す概略ブロック図である。
【図４】本発明の実施形態に係る移動局装置５の構成を示す概略ブロック図である。
【図５】本発明の実施形態に係る移動局装置５の受信処理部４０１の構成を示す概略ブロック図である。
【図６】本発明の実施形態に係る移動局装置５の送信処理部４０７の構成を示す概略ブロック図である。
【図７】本発明の実施形態に係る移動局装置５の測定報告生成部４０５１の第一のセルにおける第一の受信タイミングの差に関する情報を生成する処理の一例を示すフローチャートである。
【図８】本発明の実施形態に係るセルの構成例を示す図である。
【図９】本発明の実施形態に係る通信システムの全体像についての概略を説明する図である。
【図１０】本発明の実施形態に係る通信システム１において基地局装置３と移動局装置５がリピーター４を介して通信する例を示す図である。
【図１１】本発明の実施形態に係る通信システム１において基地局装置３と移動局装置５がリピーター４を介して通信する例を示す図である。
【図１２】本発明の実施形態に係る基地局装置３から移動局装置５への下りリンクの時間フレームの概略構成を示す図である。
【図１３】本発明の実施形態に係る移動局装置５から基地局装置３への上りリンクの時間フレームの概略構成を示す図である。
【図１４】本発明の実施形態に係る移動局装置５に構成されるセルアグリゲーションの構成の一例を示す図である。
【発明を実施するための形態】
【００３４】
本明細書で述べられる技術は、符号分割多重アクセス（ＣＤＭＡ）システム、時分割多重アクセス（ＴＤＭＡ）システム、周波数分割多重アクセス（ＦＤＭＡ）システム、直交ＦＤＭＡ（ＯＦＤＭＡ）システム、シングルキャリアＦＤＭＡ（ＳＣ−ＦＤＭＡ）システム、及びその他のシステム等の、種々の無線通信システムにおいて使用され得る。用語「システム」及び「ネットワーク」は、しばしば同義的に使用され得る。ＣＤＭＡシステムは、ユニバーサル地上波無線アクセス（ＵＴＲＡ）やｃｄｍａ２０００（登録商標）等のような無線技術（規格）を実装し得る。ＵＴＲＡは、広帯域ＣＤＭＡ（ＷＣＤＭＡ）及びＣＤＭＡのその他の改良型を含む。ｃｄｍａ２０００は、ＩＳ−２０００、ＩＳ−９５、及びＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）のような無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ‐ＯＦＤＭ（登録商標）などのような無線技術を実装し得る。ＵＴＲＡ及びＥ−ＵＴＲＡは、汎用移動通信システム（ＵＭＴＳ）の一部である。３ＧＰＰ ＬＴＥ（Ｌｏｎｇ  Ｔｅｒｍ  Ｅｖｏｌｕｔｉｏｎ）は、ダウンリンク上でＯＦＤＭＡを、アップリンク上でＳＣ−ＦＤＭＡを採用するＥ−ＵＴＲＡを使用するＵＭＴＳである。ＬＴＥ−Ａは、ＬＴＥを改良したシステム、無線技術、規格である。ＵＴＲＡ、Ｅ−ＵＴＲＡ、ＵＭＴＳ、ＬＴＥ、ＬＴＥ−Ａ及びＧＳＭは、第３世代パートナーシッププロジェクト（３ＧＰＰ）と名付けられた機関からのドキュメントで説明されている。ｃｄｍａ２０００及びＵＭＢは、第３世代パートナーシッププロジェクト２（３ＧＰＰ２）と名付けられた機関からのドキュメントで説明されている。明確さのために、本技術のある側面は、ＬＴＥ、ＬＴＥ−Ａにおけるデータ通信について以下では述べられ、ＬＴＥ用語、ＬＴＥ−Ａ用語は、以下の記述の多くで用いられる。
【００３５】
以下、図面を参照しながら本発明の実施形態について詳しく説明する。まず、図９〜図１４を用いて、本実施形態に係る通信システムの全体像について説明する。次に、図１〜図６を用いて、本実施形態に係る通信システムの構成について説明する。次に、図７〜図８を用いて、本実施形態に係る通信システムの動作処理について説明する。
【００３６】
＜通信システムの全体像＞
図９は、本発明の実施形態に係る通信システムの全体像についての概略を説明する図である。この図が示す通信システム１は、基地局装置（eNodeB、NodeB、BS: Base Station、AP: Access Point; アクセスポイントとも呼称する。）３と、複数のリピーター４Ａ、４Ｂ、４Ｃと、複数の移動局装置（UE: User Equipment、MS: Mobile Station、MT: Mobile Terminal、端末、端末装置、移動端末とも呼称する）５Ａ、５Ｂ、５Ｃとが通信を行なう。なお、本発明の実施形態に係る通信システムは、他のネットワークエンティティを含み得る。基地局装置３は、移動局装置５Ａ、５Ｂ、５Ｃの位置に応じて、リピーター４Ａ、４Ｂ、４Ｃを介して、またはリピーター４Ａ、４Ｂ、４Ｃを介さずに、移動局装置５Ａ、５Ｂ、５Ｃと無線通信を行なう。また、この図は、基地局装置３から移動局装置５Ａ、５Ｂ、５Ｃへの通信方向である下りリンク（DL: Downlinkとも呼称する。）が、下りリンクパイロットチャネル（下りリンク参照信号）、物理下りリンク制御チャネル（PDCCH: Physical Downlink Control CHannelとも呼称する。）、および物理下りリンク共用チャネル（PDSCH: Physical Downlink Shared CHannelとも呼称する。）を含んで構成されることを示す。なお、リピーター４Ａ、４Ｂ、４Ｃを介した場合、リピーター４Ａ、４Ｂ、４Ｃから移動局装置５Ａ、５Ｂ、５Ｃへの通信方向も下りリンクである。
【００３７】
また、この図は、移動局装置５Ａ、５Ｂ、５Ｃから基地局装置３への通信方向である上りリンク（UL: Uplinkとも呼称する）が、物理上りリンク共用チャネル（PUSCH: PhysicalUplink Shared CHannelとも呼称する。）、上りリンクパイロットチャネル（上りリンク参照信号; UL RS、SRS、DM RS）、および物理上りリンク制御チャネル（PUCCH: Physical Uplink Control CHannelとも呼称する。）を含んで構成されることを示す。なお、リピーター４Ａ、４Ｂ、４Ｃを介した場合、移動局装置５Ａ、５Ｂ、５Ｃからリピーター４Ａ、４Ｂ、４Ｃへの通信方向も上りリンクである。
【００３８】
チャネルとは、信号の送信に用いられる媒体を意味する。物理層で用いられるチャネルは物理チャネル、媒体アクセス（Medium Access Control: MAC）層で用いられるチャネルは論理チャネルと呼称する。ＰＤＳＣＨは、下りリンクのデータおよび制御情報の送受信に用いられる物理チャネルである。ＰＤＣＣＨは、下りリンクの制御情報の送受信に用いられる物理チャネルである。ＰＵＳＣＨは、上りリンクのデータおよび制御情報の送受信に用いられる物理チャネルである。ＰＵＣＣＨは、上りリンクの制御情報（上りリンク制御情報; Uplink Control Information: UCI）の送受信に用いられる物理チャネルである。ＵＣＩの種類としては、ＰＤＳＣＨの下りリンクのデータに対する肯定応答（Acknowledgement: ACK）、または否定応答（Negative Acknowledgement: NACK）を示す受信確認応答（ACK/NACK）と、リソースの割り当てを要求するか否かを示すスケジューリング要求（Scheduling request: SR）等が用いられる。その他の物理チャネルの種類としては、下りリンクの同期確立のために用いられる同期チャネル（Synchronization CHannel: SCH、同期信号; synchronization signal）、上りリンクの同期確立のために用いられる物理ランダムアクセスチャネル（Physical Random Access CHannel: PRACH）、下りリンクのシステム情報の送信に用いられる物理報知チャネル（Physical Broadcast CHannel: PBCH）等が用いられる。また、ＰＤＳＣＨは下りリンクのシステム情報の送信にも用いられる。
【００３９】
移動局装置５Ａ、５Ｂ、５Ｃ、または基地局装置３は、制御情報、データなどから生成した信号を各物理チャネルに配置して、送信する。ＰＤＳＣＨ、またはＰＵＳＣＨで送信されるデータは、トランスポートブロックと呼称する。また、基地局装置３が管轄するエリアのことをセルと呼ぶ。なお、基地局装置３が管轄するエリアである‘セル’と、後述するセルアグリゲーションで構成される‘セル’とは、意味（定義）が異なることに注意すべきである。なお、実際にリピーター４Ａ、４Ｂ、４Ｃを介して基地局装置３と移動局装置５Ａ、５Ｂ、５Ｃが通信を行なう場合であっても、移動局装置５Ａ、５Ｂ、５Ｃはリピーター４Ａ、４Ｂ、４Ｃの存在を意識して処理を行なうことはなく、リピーター４Ａ、４Ｂ、４Ｃを基地局装置３とみなして通信を行なう。以下、本実施形態において、移動局装置５Ａ、５Ｂ、５Ｃを移動局装置５と呼び、リピーター４Ａ、４Ｂ、４Ｃは基地局装置３に含めて説明を行なう。
【００４０】
また、本発明の実施形態では、リピーター（Ｆｒｅｑｕｅｎｃｙ  ｓｅｌｅｃｔｉｖｉｔｙ  ｒｅｐｅａｔｅｒ）が用いられる通信システム１について説明するが、ＲＲＨ（Remote Radio Head、基地局装置より小型の屋外型の無線部、Remote Radio Unit: RRUとも称す）が用いられる通信システムにおいても本発明を適用することができる。ＲＲＨは、基地局装置３により管理され、送受信が制御される。カバレッジの広い基地局装置は、一般的にマクロ基地局装置と呼称する。カバレッジの狭い基地局装置は、一般的にピコ基地局装置、またはフェムト基地局装置と呼称する。ＲＲＨは、一般的に、マクロ基地局装置よりもカバレッジが狭いエリアでの運用が検討され、ピコ基地局装置、フェムト基地局装置のような役わりとして運用されることが検討されている。マクロ基地局装置と、ＲＲＨにより構成され、マクロ基地局装置によりサポートされるカバレッジがＲＲＨによりサポートされるカバレッジの一部または全部を含んで構成される通信システムに本発明を適用することができる。このような通信システムの展開は、ヘテロジーニアスネットワーク展開と呼称する。例えば、図９において、基地局装置３がマクロ基地局装置に対応し、リピーター４がＲＲＨに対応するような通信システムである。移動局装置５と基地局装置３間で直接的に信号の送受信が行なわれるセルと、移動局装置５と基地局装置３間でＲＲＨを介して信号の送受信が行なわれるセル間で伝搬環境が異なり、リピーターの場合と同様に、移動局装置５から送信された信号の基地局装置３、ＲＲＨでの到来タイミング（受信タイミング）が異なる。つまり、受信側での到来タイミングがセル間で異なる。
【００４１】
＜キャリアアグリゲーション／セルアグリゲーション＞
本発明の実施形態に係る通信システムでは、予め定められた周波数帯域幅の周波数帯域を複数用いて通信を行なう（周波数帯域集約；Spectrum aggregation、キャリアアグリゲーション; Carrier aggregation; CA、Frequency aggregation等とも呼称する。）。ここで、１個の周波数帯域をコンポーネントキャリア（Component Carrier: CC）と呼称する。具体的には、キャリアアグリゲーションを用いた通信では、下りリンクのＣＣ（下りリンクコンポーネントキャリア; DL CCと呼称する。）毎に、下りリンクの物理チャネルが送受信され、上りリンクのＣＣ（上りリンクコンポーネントキャリア; UL CCと呼称する。）毎に上りリンクの物理チャネルが送受信される。つまり、キャリアアグリゲーションを用いた本発明の実施形態に係る通信システムは、上りリンクと下りリンクにおいて、基地局装置３と複数の移動局装置５が複数のＣＣを用いて複数の物理チャネルで信号を同時に送受信する。
【００４２】
例えば、キャリアアグリゲーションは、異なる周波数バンド（周波数帯）の複数のＣＣを集約することにより実現される。なお、集約されるＣＣは周波数領域で連続してもよいし、全てまたは一部のＣＣ間で不連続でもよい。例えば、使用可能な周波数バンドが８００ＭＨｚ帯、２．４ＧＨｚ帯、３．４ＧＨｚ帯である場合、あるＣＣが８００ＭＨｚ帯、別のＣＣが２ＧＨｚ帯、さらに別のＣＣが３．４ＧＨｚ帯で構成されてもよい。例えば、キャリアアグリゲーションは、同一の周波数バンド（周波数帯）の複数のＣＣを集約することにより実現される。例えば、キャリアアグリゲーションに構成される全てのＣＣが２．４ＧＨｚ帯で構成されてもよい。
【００４３】
また、キャリアアグリゲーションに構成される各ＣＣの周波数帯域幅は同じでもよいし、全てまたは一部のＣＣ間で異なってもよい。基地局装置３は、滞留しているデータバッファ量や移動局装置５の受信品質、管理エリア内の負荷やＱｏＳなどの種々の要因に基づいて、移動局装置５に構成する（割り当てる）ＣＣの数を増減することができる。なお、基地局装置３が移動局装置５に割り当てる（設定する、追加する、構成する）ＵＬ  ＣＣの数は、基地局装置３が移動局装置５に割り当てるＤＬ  ＣＣの数と同じか、または少ないことが望ましい。
【００４４】
基地局装置３は、１つのセルで任意の１つの周波数帯域を用いて移動局装置５と通信する。キャリアアグリゲーションは、複数の周波数帯域を用いた複数のセルによる通信であり、セルアグリゲーション（Cell aggregation）とも呼称する。セルアグリゲーションでは、１つのセルがプライマリセル（PCell: Primary Cell）と定義され、残りのセルがセカンダリセル（SCell: Secondary Cell）と定義される。ＰＣｅｌｌとＳＣｅｌｌの設定は、移動局装置５毎に独立に行われる。ＰＣｅｌｌは、必ず１つのＤＬ  ＣＣと１つのＵＬ  ＣＣのセットから構成される。ＳＣｅｌｌは、少なくとも１つのＤＬ  ＣＣから構成され、ＵＬ  ＣＣが構成されてもよいし、構成されなくてもよい。なお、説明の簡略化のため、本実施形態では、１つのＳＣｅｌｌが１つのＤＬ  ＣＣと１つのＵＬ  ＣＣのセットから構成されることを想定した説明を主に行なう。ＰＣｅｌｌで用いられるＣＣのことを、プライマリコンポーネントキャリア（PCC: Primary CC）と呼称する。ＳＣｅｌｌで用いられるＣＣのことを、セカンダリコンポーネントキャリア（SCC: Secondary CC）と呼称する。
【００４５】
ＰＣｅｌｌおよびＳＣｅｌｌにおいて、ＰＤＳＣＨおよびＰＵＳＣＨを用いたデータ通信は共通して行なわれるが、その他の各種処理が異なって行われる。簡単に説明すると、複数の処理がＰＣｅｌｌのみで行われ、ＳＣｅｌｌでは行われない。例えば、ＰＣｅｌｌでは、下りリンクにおいてシステム情報の取得、無線品質不足（RLF: Radio Link Failure）の判断などが行われ、上りリンクにおいてＰＲＡＣＨを用いた、初期接続、スケジューリング要求（リソース割当要求）のためのランダムアクセス手順の実行、ＰＵＣＣＨを用いたＵＣＩの送受信などが行われる。ＰＣｅｌｌと、少なくとも一部のＳＣｅｌｌ（例えばリピーター、またはＲＲＨを介して接続されるＳＣｅｌｌ）では、上りリンクの同期ずれを測定するためのランダムアクセス手順が実行されることができる。なお、移動局装置５が、ＰＣｅｌｌとＳＣｅｌｌ間の下りリンクの受信タイミングの差、またはＳＣｅｌｌと異なるＳＣｅｌｌ間の下りリンクの受信タイミングの差を検出し、検出した受信タイミングの差に基づきＳＣｅｌｌの送信タイミングの調整を行う場合、ＳＣｅｌｌではランダムアクセス手順が実行されなくてもよい。例えば、移動局装置５は、セル間の下りリンクの受信タイミングの差をセル間の上りリンクの送信タイミングの差にそのまま適用する。例えば、受信タイミングの差は、下りリンクの無線フレームのタイミングのずれ、下りリンクサブフレームのタイミングのずれ、ＳＣＨのタイミングのずれなどから検出（算出）される。
【００４６】
例えば、図９に示す移動局装置５Ａは、セルアグリゲーションを用いて通信を行なう場合、あるセルでは基地局装置３と直接的に信号の送受信を行ない、あるセルではリピーター４Ａを介して基地局装置３と信号の送受信を行なう。例えば、移動局装置５Ａは、基地局装置３と直接的に信号の送受信が行なわれるセルがＰＣｅｌｌに設定され、リピーター４Ａを介して基地局装置３と信号の送受信が行なわれるセルがＳＣｅｌｌに設定される。この場合、２つの独立した送信タイミングが設定される。例えば、移動局装置５Ａは、基地局装置３と直接的に信号の送受信が行なわれるセルがＰＣｅｌｌに設定され、リピーター４Ａを介して基地局装置３と信号の送受信が行なわれるセルがＳＣｅｌｌの１つに設定され、リピーター４Ｂを介して基地局装置３と信号の送受信が行なわれるセルがＳＣｅｌｌの１つに設定される。この場合、３つの独立した送信タイミングが設定される。例えば、移動局装置５Ａは、基地局装置３と直接的に信号の送受信が行なわれるセルがＰＣｅｌｌとＳＣｅｌｌの１つとに設定され、リピーター４Ａを介して基地局装置３と信号の送受信が行なわれるセルがＳＣｅｌｌの１つに設定される。この場合、２つの独立した送信タイミングが設定される。ここで、同一の送信タイミングが適用される複数のセルからなるグループを送信タイミンググループ（TA group）と呼称する。ＴＡ  ｇｒｏｕｐ単位で、共通のＴＡ  ｃｏｍｍａｎｄ（詳細は後述）の適用が行われる。また、ＴＡ  ｇｒｏｕｐ単位でＴＡ  ｃｏｍｍａｎｄの有効性を計測するタイマー（TA timer）が設定、管理されてもよい。なお、１つのＴＡ  ｇｒｏｕｐは、１つのセルのみから構成されてもよい。例えば、移動局装置５Ａは、基地局装置３と直接的に信号の送受信が行なわれるセルがＰＣｅｌｌに設定され、リピーター４Ａを介して基地局装置３と信号の送受信が行なわれるセルがＳＣｅｌｌの２つに設定される。この場合、２つの独立した送信タイミングが設定される。この場合、２つの異なるＴＡ  ｇｒｏｕｐが設定（構成、適用）される。
【００４７】
図１０は、本発明の実施形態に係る通信システム１において基地局装置３と移動局装置５がリピーター４（リピーター４−１、リピーター４−２）を介して通信する例を示す図である。この図では、３つのセル（セル１、セル２、セル３）を用いてセルアグリゲーションが行われる場合を示している。移動局装置５は、セル１においてリピーター４−１を介して基地局装置３と通信を行い、セル２においてリピーターを介さずに基地局装置３と直接通信を行い、セル３においてリピーター４−２を介して基地局装置３と通信を行う。この場合、基本的に移動局装置５において各セルの下りリンクの信号の到来タイミングが異なる。この場合、移動局装置５が各セルの上りリンクの送信タイミングを同一のタイミングとした場合、基本的に基地局装置３、リピーター４−１、リピーター４−２での上りリンクの信号の到来タイミングが異なる。移動局装置５は、基地局装置３、リピーター４−１、リピーター４−２のそれぞれのセルに対して上りリンクの信号が適切な到来タイミングとなるように、セル毎に上りリンクの送信タイミングの調整を行なって信号の送信を行なう。
【００４８】
図１１は、本発明の実施形態に係る通信システム１において基地局装置３と移動局装置５がリピーター４（リピーター４−１、リピーター４−２）を介して通信する例を示す図である。この図では、３つのセル（セル１、セル２、セル３）を用いてセルアグリゲーションが行われる場合を示している。移動局装置５は、セル１においてリピーターを介さずに基地局装置３と直接通信を行い、セル２においてリピーターを介さずに基地局装置３と直接通信を行い、セル３においてリピーター４−２を介して基地局装置３と通信を行う。この場合、基本的に移動局装置５において一部のセルの下りリンクの信号の到来タイミングが同じで、一部のセルの下りリンクの信号の到来タイミングが異なる。この場合、移動局装置５はセル１とセル２の上りリンクの送信タイミングを同一のタイミングとすることができる。一方、セル３においては、移動局装置５は、セル１およびセル２とは独立した送信タイミングを用いる必要がある。例えば、本発明は、移動局装置５が移動し、図１０から図１１に記載のような状態、または図１１から図１０に記載のような状態に変わる場合を想定する。
【００４９】
＜下りリンクの時間フレームの構成＞
図１２は、本発明の実施形態に係る基地局装置３から移動局装置５への下りリンクの時間フレームの概略構成を示す図である。なお、リピーター４から移動局装置５への下りリンクの時間フレーム、基地局装置３からリピーター４への下りリンクの時間フレームも、基本的に図１２と同様の構成である。この図において、横軸は時間領域、縦軸は周波数領域を表している。下りリンクの時間フレームは、リソースの割り当てなどの単位であり、下りリンクの予め決められた幅の周波数帯および時間帯からなるリソースブロック（RB）（物理リソースブロック; PRB: Physical Resource Blockとも呼称する。）のペア（物理リソースブロックペア; PRB pairと呼称する。）から構成される。１個の下りリンクのＰＲＢ  ｐａｉｒ（下りリンク物理リソースブロックペア; DL PRB pairと呼称する。）は下りリンクの時間領域で連続する２個のＰＲＢ（下りリンク物理リソースブロック; DL PRBと呼称する。）から構成される。
【００５０】
また、この図において、１個のＤＬ  ＰＲＢは、下りリンクの周波数領域において１２個のサブキャリア（下りリンクサブキャリアと呼称する。）から構成され、時間領域において７個のＯＦＤＭ（直交周波数分割多重; Orthogonal Frequency Division Multiplexing）シンボルから構成される。下りリンクのシステム帯域（下りリンクシステム帯域と呼称する。）は、基地局装置３の下りリンクの通信帯域である。下りリンクのシステム帯域幅（下りリンクシステム帯域幅と呼称する。）は、複数の下りリンクのＣＣの帯域幅（下りリンクコンポーネントキャリア帯域幅と呼称する。）から構成される。通信システム１において、下りリンクのＣＣ（下りリンクコンポーネントキャリア; DL CCと呼称する。）は予め定められた周波数帯域幅の帯域であり、下りリンクコンポーネントキャリア帯域幅はＤＬ  ＣＣの周波数帯域幅である。例えば、４０ＭＨｚの周波数帯域幅の下りリンクシステム帯域は、２個の２０ＭＨｚの周波数帯域幅のＤＬ  ＣＣから構成される。
【００５１】
なお、ＤＬ  ＣＣでは下りリンクコンポーネントキャリア帯域幅に応じて複数のＤＬ  ＰＲＢが配置される。例えば、２０ＭＨｚの周波数帯域幅のＤＬ  ＣＣは、１１０個のＤＬ  ＰＲＢから構成される。また、例えば、下りリンクコンポーネントキャリア帯域幅は、ＬＴＥに対応した移動局装置５が通信に用いることができる周波数帯域幅であり、下りリンクシステム帯域幅はＬＴＥ−Ａに対応した移動局装置５が通信に用いることができる周波数帯域幅である。ＬＴＥに対応した移動局装置５は同時に１つのセルでしか通信を行うことができず、ＬＴＥ−Ａに対応した移動局装置５は同時に複数のセルで通信を行なうことができる。下りリンクコンポーネントキャリア帯域幅は、１つのセルの下りリンクの周波数帯域幅であり、下りリンクシステム帯域幅は、複数のセルの下りリンクの周波数帯域幅をまとめたものである。
【００５２】
また、この図が示す時間領域においては、７個のＯＦＤＭシンボルから構成されるスロット（下りリンクスロットと呼称する。）、２個の下りリンクスロットから構成されるサブフレーム（下りリンクサブフレームと呼称する。）がある。なお、１個の下りリンクサブキャリアと１個のＯＦＤＭシンボルから構成されるユニットをリソースエレメント（RE: Resource Element）（下りリンクリソースエレメント）と呼称する。各下りリンクサブフレームには少なくとも、情報データ（トランスポートブロック; Transport Blockとも呼称する。）の送信に用いられるＰＤＳＣＨ、制御情報の送信に用いられるＰＤＣＣＨが配置される。この図においては、ＰＤＣＣＨは下りリンクサブフレームの１番目から３番目までのＯＦＤＭシンボルから構成され、ＰＤＳＣＨは下りリンクサブフレームの４番目から１４番目までのＯＦＤＭシンボルから構成される。なお、ＰＤＣＣＨを構成するＯＦＤＭシンボルの数と、ＰＤＳＣＨを構成するＯＦＤＭシンボルの数は、下りリンクサブフレーム毎に変更されてもよい。
【００５３】
この図において図示は省略するが、下りリンクの参照信号（RS: Reference signal）（下りリンク参照信号と呼称する。Cell specific RS、DL RSとも呼称する。）の送信に用いられる下りリンクパイロットチャネルが複数の下りリンクリソースエレメントに分散して配置される。ここで、下りリンク参照信号は、ＰＤＳＣＨおよびＰＤＣＣＨの信号の伝搬路変動の推定に用いられる、通信システム１において既知の信号である。なお、下りリンク参照信号を構成する下りリンクリソースエレメントの数は、基地局装置３において移動局装置５への通信に用いられる送信アンテナの数に依存する。
【００５４】
なお、１個のＰＤＳＣＨは同一のＤＬ  ＣＣ内の１個以上のＤＬ  ＰＲＢから構成され、１個のＰＤＣＣＨは同一のＤＬ  ＣＣ内の複数の下りリンクリソースエレメントから構成される。下りリンクシステム帯域内で複数のＰＤＳＣＨ、複数のＰＤＣＣＨが配置される。基地局装置３は、ＬＴＥに対応した１つの移動局装置５に対して同一の下りリンクサブフレームで同一のＤＬ  ＣＣ内でＰＤＳＣＨのリソースの割り当てに関する制御情報を含む１個のＰＤＣＣＨと１個のＰＤＳＣＨを配置することができ、ＬＴＥ−Ａに対応した１つの移動局装置５に対して同一の下りリンクサブフレームでＰＤＳＣＨのリソースの割り当てに関する制御情報を含む複数のＰＤＣＣＨと複数のＰＤＳＣＨを配置することができる。なお、基地局装置３は、ＬＴＥ−Ａに対応した１つの移動局装置５に対して同一の下りリンクサブフレームで、同一のＤＬ  ＣＣ内で複数のＰＤＳＣＨのリソースの割り当てに関する制御情報を含む、複数のＰＤＣＣＨを配置することができるが、同一のＤＬ  ＣＣ内で複数のＰＤＳＣＨを配置することはできず、各ＰＤＳＣＨを異なるＤＬ  ＣＣに配置することはできる。
【００５５】
ＰＤＣＣＨは、ＰＤＳＣＨに対するＤＬ  ＰＲＢの割り当てを示す情報、ＰＵＳＣＨに対するＵＬ  ＰＲＢの割り当てを示す情報、移動局装置識別子（移動局識別子）（RNTI: Radio Network Temporary Identifierと呼称する。）、変調方式、符号化率、再送パラメータ、マルチアンテナ関連情報、送信電力制御コマンド（TPC command）、ＰＵＣＣＨのリソースを示す情報などの制御情報から生成された信号が配置される。ＰＤＣＣＨに含まれる制御情報を下りリンク制御情報（DCI: Downlink Control Information）と呼称する。ＰＤＳＣＨに対するＤＬ  ＰＲＢの割り当てを示す情報を含むＤＣＩは下りリンクアサインメント（DL assignment: Downlink assignment、またDownlink grantとも呼称する。）と呼称し、ＰＵＳＣＨに対するＵＬ  ＰＲＢの割り当てを示す情報を含むＤＣＩは上りリンクグラント（UL grant: Uplink grantと呼称する。）と呼称する。なお、下りリンクアサインメントは、一部のリソース割り当ての情報フィールドが特定の値を示す場合、ＰＤＣＣＨ  ｏｒｄｅｒ（説明は後述する）に関する情報として用いられる。具体的には、ＰＤＣＣＨ  ｏｒｄｅｒに関する情報として用いられる下りリンクアサインメントは、Ｄｅｄｉｃａｔｅｄ  ｐｒｅａｍｂｌｅのプリアンブル系列を示す情報、Ｄｅｄｉｃａｔｅｄ  ｐｒｅａｍｂｌｅを送信可能なＰＲＡＣＨの上りリンクサブフレームを示す情報を少なくとも含む。なお、下りリンクアサインメントは、ＰＵＣＣＨに対する送信電力制御コマンドを含む。なお、上りリンクアサインメントは、ＰＵＳＣＨに対する送信電力制御コマンドを含む。なお、１個のＰＤＣＣＨは、１個のＤＬ  ＣＣ内の１個のＰＤＳＣＨのリソースの割り当てを示す情報、または１個のＵＬ  ＣＣ内の１個のＰＵＳＣＨのリソースの割り当てを示す情報しか含まず、複数のＰＤＳＣＨのリソースの割り当てを示す情報、または複数のＰＵＳＣＨのリソースの割り当てを示す情報を含まない。
【００５６】
更に、ＰＤＣＣＨで送信される情報として、巡回冗長検査ＣＲＣ（Ｃｙｃｌｉｃ  Ｒｅｄｕｎｄａｎｃｙ  Ｃｈｅｃｋ）符号がある。ＰＤＣＣＨで送信される、ＤＣＩ、ＲＮＴＩ、ＣＲＣの関係について詳細に説明する。予め決められた生成多項式を用いてＤＣＩからＣＲＣ符号が生成される。生成されたＣＲＣ符号に対してＲＮＴＩを用いて排他的論理和（スクランブリングとも呼称する）の処理が行われる。ＤＣＩを示すビットと、ＣＲＣ符号に対してＲＮＴＩを用いて排他的論理和の処理が行われて生成されたビット（ＣＲＣ  ｍａｓｋｅｄ  ｂｙ  ＵＥ  ＩＤと呼称する）を変調した信号が、ＰＤＣＣＨで実際に送信される。
【００５７】
＜上りリンクの時間フレームの構成＞
図１３は、本発明の実施形態に係る移動局装置５から基地局装置３への上りリンクの時間フレームの概略構成を示す図である。なお、移動局装置５からリピーター４への上りリンクの時間フレーム、リピーター４から基地局装置３への上りリンクの時間フレームも、基本的に図１３と同様の構成である。この図において、横軸は時間領域、縦軸は周波数領域を表している。上りリンクの時間フレームは、リソースの割り当てなどの単位であり、上りリンクの予め決められた幅の周波数帯および時間帯からなるＰＲＢ  ｐａｉｒ（上りリンク物理リソースブロックペア; UL PRB pairと呼称する。）から構成される。１個のＵＬ  ＰＲＢ  ｐａｉｒは、上りリンクの時間領域で連続する２個の上りリンクのＰＲＢ（上りリンク物理リソースブロック; UL PRBと呼称する。）から構成される。
【００５８】
また、この図において、１個のＵＬ  ＰＲＢは、上りリンクの周波数領域において１２個のサブキャリア（上りリンクサブキャリアと呼称する。）から構成され、時間領域において７個のＳＣ−ＦＤＭＡ（Single-Carrier Frequency Division Multiple Access）シンボルから構成される。上りリンクのシステム帯域（上りリンクシステム帯域と呼称する。）は、基地局装置３の上りリンクの通信帯域である。上りリンクのシステム帯域幅（上りリンクシステム帯域幅と呼称する。）は、複数の上りリンクのＣＣの周波数帯域幅（上りリンクコンポーネントキャリア帯域幅と呼称する。）から構成される。通信システム１において、上りリンクのＣＣ（上りリンクコンポーネントキャリア;UL CCと呼称する。）は予め定められた周波数帯域幅の帯域であり、上りリンクコンポーネントキャリア帯域幅はＵＬ  ＣＣの周波数帯域幅である。例えば、４０ＭＨｚの周波数帯域幅の上りリンクのシステム帯域（上りリンクシステム帯域と呼称する。）は、２個の２０ＭＨｚの周波数帯域幅のＵＬ  ＣＣから構成される。
【００５９】
なお、ＵＬ  ＣＣでは上りリンクコンポーネントキャリア帯域幅に応じて複数のＵＬ  ＰＲＢが配置される。例えば、２０ＭＨｚの周波数帯域幅のＵＬ  ＣＣは、１１０個のＵＬ  ＰＲＢから構成される。また、例えば、上りリンクコンポーネントキャリア帯域幅は、ＬＴＥに対応した移動局装置５が通信に用いることができる周波数帯域幅であり、上りリンクシステム帯域幅はＬＴＥ−Ａに対応した移動局装置５が通信に用いることができる周波数帯域幅である。ＬＴＥに対応した移動局装置５は同時に１つのセルでしか通信を行うことができず、ＬＴＥ−Ａに対応した移動局装置５は同時に複数のセルで通信を行なうことができる。上りリンクコンポーネントキャリア帯域幅は、１つのセルの上りリンクの周波数帯域幅であり、上りリンクシステム帯域幅は、複数のセルの上りリンクの周波数帯域幅をまとめたものである。
【００６０】
また、この図が示す時間領域においては、７個のＳＣ−ＦＤＭＡシンボルから構成されるスロット（上りリンクスロットと呼称する。）、２個の上りリンクスロットから構成されるサブフレーム（上りリンクサブフレームと呼称する。）がある。なお、１個の上りリンクサブキャリアと１個のＳＣ−ＦＤＭＡシンボルから構成されるユニットをリソースエレメント（上りリンクリソースエレメントと呼称する。）と呼称する。
【００６１】
各上りリンクサブフレームには、少なくとも情報データの送信に用いられるＰＵＳＣＨ、上りリンク制御情報（UCI: Uplink Control Information）の送信に用いられるＰＵＣＣＨ、ＰＵＳＣＨとＰＵＣＣＨの復調（伝搬路変動の推定）のための上りリンクパイロットチャネルが配置される。また、何れかの上りリンクサブフレームには、上りリンクの同期確立のために用いられるＰＲＡＣＨが配置される。また、何れかの上りリンクサブフレームには、チャネル品質、同期ずれの測定等に用いられる上りリンクパイロットチャネルが配置される。ＰＵＣＣＨは、ＰＤＳＣＨを用いて受信されたデータに対する肯定応答（ACK: Acknowledgement）または否定応答（NACK: Negative Acknowledgement）を示すＵＣＩ（ACK/NACK）、上りリンクのリソースの割り当てを要求するか否かを少なくとも示すＵＣＩ（SR: Scheduling Request; スケジューリング要求）、下りリンクの受信品質（チャネル品質とも呼称する。）を示すＵＣＩ（CQI: Channel Quality Indicator; チャネル品質指標）を送信するために用いられる。
【００６２】
なお、１個のＰＵＳＣＨは同一のＵＬ  ＣＣ内の１個以上のＵＬ  ＰＲＢから構成され、１個のＰＵＣＣＨは同一のＵＬ  ＣＣ内において周波数領域に対称関係にあり、異なる上りリンクスロットに位置する２個のＵＬ  ＰＲＢから構成され、１個のＰＲＡＣＨは６個のＵＬ  ＰＲＢ  ｐａｉｒから構成される。例えば、図１３において、最も周波数が低いＵＬ  ＣＣ内の上りリンクサブフレーム内において、１番目の上りリンクスロットの最も周波数が低いＵＬ  ＰＲＢと、２番目の上りリンクスロットの最も周波数が高いＵＬ  ＰＲＢと、により、ＰＵＣＣＨに用いられるＵＬ  ＰＲＢ  ｐａｉｒの１個が構成される。例えば、図１３において、最も周波数が低いＵＬ  ＣＣ内のある上りリンクサブフレーム内において、３番目に周波数が低いＵＬ  ＰＲＢ  ｐａｉｒから、周波数が高い方向に対して周波数領域で連続する６個のＵＬ  ＰＲＢ  ｐａｉｒから１個のＰＲＡＣＨが構成される。例えば、図１３において、最も周波数が高いＵＬ  ＣＣ内のある上りリンクサブフレーム内において、４番目に周波数が低いＵＬ  ＰＲＢ  ｐａｉｒから、周波数が高い方向に対して周波数領域で連続する６個のＵＬ  ＰＲＢ  ｐａｉｒから１個のＰＲＡＣＨが構成される。
【００６３】
上りリンクシステム帯域内で１個以上のＰＵＳＣＨ、１個以上のＰＵＣＣＨが配置される。基地局装置３は、ＬＴＥに対応した１つの移動局装置５に対して１つのＵＬ  ＣＣに１個のＰＵＳＣＨのリソースを割り当てることができる。また、基地局装置３は、ＬＴＥ−Ａに対応した１つの移動局装置５に対してＵＬ  ＣＣ毎に１個のＰＵＳＣＨのリソースを割り当てることができる。ＬＴＥ−Ａに対応した移動局装置５は、同一の上りリンクサブフレームで複数のＵＬ  ＣＣでＰＵＳＣＨのリソースが割り当てられた場合、複数のＰＵＳＣＨのリソースを用いて信号を送信することができる。なお、基地局装置３は、ＬＴＥ−Ａに対応した１つの移動局装置５に対して同一の上りリンクサブフレームで、同一のＵＬ  ＣＣ内で複数のＰＵＳＣＨのリソースを割り当てることはできず、各ＰＵＳＣＨのリソースを異なるＵＬ  ＣＣに割り当てることができる。なお、移動局装置５は、同一の上りリンクサブフレームで１個のＰＵＣＣＨのリソースしか用いない。また、ＬＴＥに対応した移動局装置５は、同一上りリンクサブフレームでＰＵＣＣＨのリソースとＰＵＳＣＨのリソースが割り当てられた場合は、ＰＵＳＣＨのリソースのみを用いて信号を送信する。また、ＬＴＥ−Ａに対応した移動局装置５は、同一上りリンクサブフレームでＰＵＣＣＨのリソースとＰＵＳＣＨのリソースが割り当てられた場合は、予め通知された基地局装置３の指示に基づきＰＵＳＣＨのリソースのみを用いて信号を送信するか、ＰＵＣＣＨのリソースとＰＵＳＣＨのリソースの両方を用いて信号を送信する。
【００６４】
ＰＵＣＣＨのリソースが割り当てられるＵＬ  ＣＣが上りリンクのＰＣＣであり、ＰＵＣＣＨのリソースが割り当てられるセルがＰＣｅｌｌである。また、ＬＴＥ−Ａに対応した移動局装置５は、ＰＵＳＣＨとＰＵＣＣＨの同時送信を行なわないように設定されている場合、同一上りリンクサブフレームでＰＵＣＣＨのリソースとＰＵＳＣＨのリソースが割り当てられた場合は、ＰＵＳＣＨのリソースのみを用いて信号を送信する。また、ＬＴＥ−Ａに対応した移動局装置５は、ＰＵＳＣＨとＰＵＣＣＨの同時送信を行なうように設定されている場合、同一上りリンクサブフレームでＰＵＣＣＨのリソースとＰＵＳＣＨのリソースが割り当てられた場合は、基本的にＰＵＣＣＨのリソースとＰＵＳＣＨのリソースの両方を用いて信号を送信することができる。
【００６５】
上りリンクシステム帯域内で１個以上のＰＲＡＣＨが配置されることができる。ある上りリンクサブフレームにおいて、ＵＬ  ＣＣ内では１個のＰＲＡＣＨのみが配置されることができ、複数個のＰＲＡＣＨは配置されない。基本的に、移動局装置５は、ある上りリンクサブフレームにおいて何れか１個のＵＬ  ＣＣのＰＲＡＣＨのみを用いることができる。基地局装置３は、各ＵＬ  ＣＣにおいて何れの上りリンクサブフレーム、何れのＵＬ  ＰＲＢ  ｐａｉｒにＰＲＡＣＨを配置するかを制御することができる。移動局装置５は、ＰＣｅｌｌのＰＲＡＣＨを用いて初期接続、スケジューリング要求（リソース割り当て要求）のためのランダムアクセス手順を実行することができる。移動局装置５は、基地局装置３と接続状態において、ＰＣｅｌｌ、ＳＣｅｌｌのＰＲＡＣＨを用いて上りリンクの同期ずれを測定するためのランダムアクセス手順を実行することができる。ここで、接続状態とは、ＭＡＣ層、ＲＲＣ（Ｒａｄｉｏ  Ｒｅｓｏｕｒｃｅ  Ｃｏｎｔｒｏｌ）層などでのパラメータが適切に設定され、保持されている状態と言うこともできる。
【００６６】
ＰＲＡＣＨは、基地局装置３において上りリンクの送信タイミングの調整値の推定に用いられるプリアンブル系列を移動局装置５が送信するために使用されるチャネルであり、ガードタイムを有する。プリアンブル系列は、６４種類の系列が用意され、６ビットの情報を表現するように構成されている。
【００６７】
ＰＲＡＣＨの送受信、応答の送受信等に係る一連の手順は、ランダムアクセス手順と呼称する。ランダムアクセス手順には、Ｃｏｎｔｅｎｔｉｏｎ  ｂａｓｅｄ  Ｒａｎｄｏｍ  Ａｃｃｅｓｓ（競合ベースランダムアクセス）手順とＮｏｎ-ｃｏｎｔｅｎｔｉｏｎ  ｂａｓｅｄ  Ｒａｎｄｏｍ  Ａｃｃｅｓｓ（非競合ベースランダムアクセス）手順の２種類の手順がある。Ｃｏｎｔｅｎｔｉｏｎ  ｂａｓｅｄ  Ｒａｎｄｏｍ  Ａｃｃｅｓｓ手順は、移動局装置５間で送信したプリアンブル系列において衝突が発生する可能性のあるランダムアクセス手順である。プリアンブル系列が衝突するということは、複数の移動局装置５が同じプリアンブル系列を同一の周波数・時間リソースのＰＲＡＣＨで送信することを意味する。なお、プリアンブル系列の衝突は、ランダムアクセスの衝突とも称される。
【００６８】
Ｃｏｎｔｅｎｔｉｏｎ  ｂａｓｅｄ  Ｒａｎｄｏｍ  Ａｃｃｅｓｓ手順は、基地局装置３と接続（通信）していない状態の初期接続のためや、基地局装置３と接続中であるがスケジューリング要求を通知するために行われる。Ｎｏｎ-ｃｏｎｔｅｎｔｉｏｎ  ｂａｓｅｄ  Ｒａｎｄｏｍ  Ａｃｃｅｓｓ手順は、移動局装置５間で送信したプリアンブル系列において衝突が発生する可能性のないランダムアクセス手順である。Ｎｏｎ-ｃｏｎｔｅｎｔｉｏｎ  ｂａｓｅｄ  Ｒａｎｄｏｍ  Ａｃｃｅｓｓ手順は、基地局装置３と移動局装置５が接続中であるが上りリンクの同期が外れている（確立されていない、開放されている）場合に、適切な上りリンクの送信タイミングを設定するために行われる。ここで、上りリンクの同期が外れている場合とは、上りリンクの送信タイミングの調整値が通知されていない場合、通知された上りリンクの送信タイミングの調整値の有効期間が過ぎた場合、通知された上りリンクの送信タイミングの調整値がリセットされた場合などを意味する。
【００６９】
Ｎｏｎ−ｃｏｎｔｅｎｔｉｏｎ  ｂａｓｅｄ  Ｒａｎｄｏｍ  Ａｃｃｅｓｓ手順において、基地局装置３は、例えば、ＰＤＣＣＨを用いてＰＲＡＣＨで送信するプリアンブル（RACH preamble）系列を示す情報を移動局装置５に通知する。移動局装置５は、受信したＰＤＣＣＨに含まれる情報で示されたプリアンブル系列を、セルのＵＬ  ＣＣ内のＰＲＡＣＨで基地局装置３に対して送信する。なお、基地局装置３より明示的に割り当てられたＲＡＣＨ  ｐｒｅａｍｂｌｅをＤｅｄｉｃａｔｅｄ  ｐｒｅａｍｂｌｅと呼称する。また、このように、プリアンブル系列を示す情報を含むＰＤＣＣＨによる指示をＰＤＣＣＨ  ｏｒｄｅｒと呼称する。Ｃｏｎｔｅｎｔｉｏｎ  ｂａｓｅｄ  Ｒａｎｄｏｍ  Ａｃｃｅｓｓ手順で使用されるプリアンブル系列は、Ｄｅｄｉｃａｔｅｄ  ｐｒｅａｍｂｌｅとして使用されないプリアンブル系列から移動局装置５がランダムアクセス手順の開始時にランダムに一つのプリアンブル系列を選択して使用する。あるセルで移動局装置５が使用可能なプリアンブル系列のうち、Ｃｏｎｔｅｎｔｉｏｎ  ｂａｓｅｄ  Ｒａｎｄｏｍ  Ａｃｃｅｓｓ手順とＮｏｎ-ｃｏｎｔｅｎｔｉｏｎ  ｂａｓｅｄ  Ｒａｎｄｏｍ  Ａｃｃｅｓｓ手順のそれぞれの手順で使用されるプリアンブル系列の数を示す情報は、システム情報として基地局装置３から移動局装置５に通知される。
【００７０】
本願は、主にＮｏｎ−ｃｏｎｔｅｎｔｉｏｎ  ｂａｓｅｄ  Ｒａｎｄｏｍ  Ａｃｃｅｓｓ手順に関する内容であるため、以降の説明では、Ｃｏｎｔｅｎｔｉｏｎ  ｂａｓｅｄ  Ｒａｎｄｏｍ  Ａｃｃｅｓｓ手順に関する説明は適宜省略される。
【００７１】
上りリンクパイロットチャネルは、ＰＵＳＣＨおよびＰＵＣＣＨの伝搬路変動の推定に用いられる復調用パイロットチャネル（DM RS: Demodulation Reference Signal; 復調参照信号）と、基地局装置３のＰＵＳＣＨの周波数スケジューリングおよび適応変調のためのチャネル品質の測定、基地局装置３と移動局装置５間の同期ずれの測定に用いられる参照用パイロットチャネル（SRS: Sounding Reference Signal; サウンディング参照信号）とから構成される。上りリンクパイロットチャネルは、上りリンク参照信号（UL RS: Uplink Reference Signal）を送信するために用いられる。ここで、上りリンク参照信号とは、通信システム１において既知の信号である。ＤＭ  ＲＳは、ＰＵＳＣＨと同じＵＬ  ＰＲＢ内に配置される場合と、ＰＵＣＣＨと同じＵＬ  ＰＲＢ内に配置される場合とで、異なるＳＣ−ＦＤＭＡシンボルに配置される。
【００７２】
ＤＭ  ＲＳは、ＰＵＳＣＨと同じＵＬ  ＰＲＢ内に配置される場合、上りリンクスロット内の４番目のＳＣ−ＦＤＭＡシンボルに配置される。ＤＭ  ＲＳは、ＡＣＫ／ＮＡＣＫを含むＰＵＣＣＨと同じＵＬ  ＰＲＢ内に配置される場合、上りリンクスロット内の３番目と４番目と５番目のＳＣ−ＦＤＭＡシンボルに配置される。ＤＭ  ＲＳは、ＳＲを含むＰＵＣＣＨと同じＵＬ  ＰＲＢ内に配置される場合、上りリンクスロット内の３番目と４番目と５番目のＳＣ−ＦＤＭＡシンボルに配置される。ＤＭ  ＲＳは、ＣＱＩを含むＰＵＣＣＨと同じＵＬ  ＰＲＢ内に配置される場合、上りリンクスロット内の２番目と６番目のＳＣ−ＦＤＭＡシンボルに配置される。
【００７３】
ＳＲＳは、基地局装置３が決定したＵＬ  ＰＲＢ内に配置され、上りリンクサブフレーム内の１４番目のＳＣ−ＦＤＭＡシンボル（上りリンクサブフレームの２番目の上りリンクスロットの７番目のＳＣ−ＦＤＭＡシンボル）に配置される。ＳＲＳは、セル内において基地局装置３が決定した周期の上りリンクサブフレーム（調査参照信号サブフレーム; SRS subframeと呼称する。）のみに配置され得る。ＳＲＳ  ｓｕｂｆｒａｍｅに対して、基地局装置３は移動局装置５毎にＳＲＳを送信する周期、ＵＬ  ＰＲＢを割り当てる。なお、セル（ＵＬ  ＣＣ）毎にＳＲＳ  ｓｕｂｆｒａｍｅの設定（構成）は異なってもよい。なお、移動局装置５に対してセル毎に独立してＳＲＳの設定が行われる。
【００７４】
図１３では、ＰＵＣＣＨが各ＵＬ  ＣＣの周波数領域で最も端のＵＬ  ＰＲＢに配置された場合を示しているが、ＵＬ  ＣＣの端から２番目、３番目などのＵＬ  ＰＲＢがＰＵＣＣＨに用いられてもよい。
【００７５】
なお、ＰＵＣＣＨにおいて周波数領域での符号多重、時間領域での符号多重が用いられる。周波数領域での符号多重は、サブキャリア単位で符号系列の各符号が上りリンク制御情報から変調された変調信号に乗算されることにより処理される。時間領域での符号多重は、ＳＣ−ＦＤＭＡシンボル単位で符号系列の各符号が上りリンク制御情報から変調された変調信号に乗算されることにより処理される。複数のＰＵＣＣＨが同一のＵＬ  ＰＲＢに配置され、各ＰＵＣＣＨは異なる符号が割り当てられ、割り当てられた符号により周波数領域、または時間領域において符号多重が実現される。ＡＣＫ／ＮＡＣＫを送信するために用いられるＰＵＣＣＨ（ＰＵＣＣＨ  ｆｏｒｍａｔ  １ａ、またはＰＵＣＣＨ  ｆｏｒｍａｔ  １ｂと呼称する。）においては、周波数領域及び時間領域での符号多重が用いられる。ＳＲを送信するために用いられるＰＵＣＣＨ（ＰＵＣＣＨ  ｆｏｒｍａｔ  １と呼称する。）においては、周波数領域及び時間領域での符号多重が用いられる。ＣＱＩを送信するために用いられるＰＵＣＣＨ（ＰＵＣＣＨ  ｆｏｒｍａｔ  ２、またはＰＵＣＣＨ  ｆｏｒｍａｔ  ２ａ、またはＰＵＣＣＨ  ｆｏｒｍａｔ  ２ｂと呼称する。）においては、周波数領域での符号多重が用いられる。なお、説明の簡略化のため、ＰＵＣＣＨの符号多重に係る内容の説明は適宜省略する。
【００７６】
なお、本発明の実施形態に係る通信システム１では、下りリンクにおいてＯＦＤＭ方式を適用し、上りリンクにおいてＮｘＤＦＴ−Ｓｐｒｅａｄ  ＯＦＤＭ方式を適用する。ここで、ＮｘＤＦＴ−Ｓｐｒｅａｄ  ＯＦＤＭ方式とは、上りリンクコンポーネントキャリア単位でＤＦＴ−Ｓｐｒｅａｄ  ＯＦＤＭ方式を用いて信号を送受信する方式であり、複数のＵＬ  ＣＣを用いた通信システム１の上りリンクサブフレームにおいて複数のＤＦＴ−Ｓｐｒｅａｄ  ＯＦＤＭ送受信に関する処理部を用いて通信を行なう方式である。
【００７７】
ＰＤＳＣＨのリソースは、時間領域において、そのＰＤＳＣＨのリソースの割り当てに用いられた下りリンクアサインメントを含むＰＤＣＣＨのリソースが配置された下りリンクサブフレームと同一の下りリンクサブフレームに配置され、周波数領域において、そのＰＤＳＣＨのリソースの割り当てに用いられる下りリンクアサインメントを含むＰＤＣＣＨと同じＤＬ  ＣＣ、または異なるＤＬ  ＣＣに配置される。
【００７８】
ＤＣＩには、下りリンクアサインメントがいずれのＤＬ  ＣＣで送信されるＰＤＳＣＨに対応するか、または上りリンクグラントがいずれのＵＬ  ＣＣで送信されるＰＵＳＣＨに対応するかを示す情報（以下、「キャリアインディケータ（carrier indicator）」と呼称する。）が含まれる。下りリンクアサインメントにキャリアインディケータが含まれない場合、下りリンクアサインメントは、下りリンクアサインメントが送信されたＤＬ  ＣＣと同じＤＬ  ＣＣのＰＤＳＣＨに対応する。上りリンクグラントにキャリアインディケータが含まれない場合、上りリンクグラントは、上りリンクグラントが送信されたＤＬ  ＣＣと予め対応付けられたＵＬ  ＣＣのＰＵＳＣＨに対応する。なお、キャリアインディケータがＤＣＩに含まれない場合の、上りリンクグラントのリソース割り当ての解釈に用いられるＤＬ  ＣＣとＵＬ  ＣＣとの対応付けを示す情報は、情報データの通信が行なわれる前に、基地局装置３から移動局装置５にシステム情報を用いて通知される。
【００７９】
＜セルとコンポーネントキャリアの構成の設定例＞
図１４は、本発明の実施形態に係る移動局装置５に構成されるセルアグリゲーションの構成の一例を示す図である。この図では、４つのセル（Ｃｅｌｌ１、Ｃｅｌｌ２、Ｃｅｌｌ３、Ｃｅｌｌ４）が構成される場合を示している。この図では、Ｃｅｌｌ１ではＤＬ  ＣＣ（ＤＬ  ＣＣ１）とＵＬ  ＣＣ（ＵＬ  ＣＣ１）の両方が構成され、Ｃｅｌｌ２ではＤＬ  ＣＣ（ＤＬ  ＣＣ２）とＵＬ  ＣＣ（ＵＬ  ＣＣ２）の両方が構成され、Ｃｅｌｌ３ではＤＬ  ＣＣ（ＤＬ  ＣＣ３）とＵＬ  ＣＣ（ＵＬ  ＣＣ３）の両方が構成され、Ｃｅｌｌ４ではＤＬ  ＣＣ（ＤＬ  ＣＣ４）のみが構成される場合を示している。なお、本発明が図１４に記載のセルアグリゲーションの構成例に限定されるということではない。
【００８０】
図１４におけるＤＬ  ＣＣ１とＵＬ  ＣＣ１、ＤＬ  ＣＣ２とＵＬ  ＣＣ２、およびＤＬ  ＣＣ３とＵＬ  ＣＣ３はセル固有接続（Ｃｅｌｌ  Ｓｐｅｃｉｆｉｃ  Ｌｉｎｋａｇｅ）している。また、ＤＬ  ＣＣ４のみが構成されるＣｅｌｌ４のように、ＵＬ  ＣＣのない（セル固有接続のない）、ＤＬ  ＣＣのみのセルをセルアグリゲーションに構成することも可能である。
【００８１】
セル固有接続とは、上りリンクと下りリンクのＣＣの対応関係（連携関係、リンク情報）であり、典型的には報知情報（システム情報）の一部（ＳＩＢ２：Ｓｙｓｔｅｍ  Ｉｎｆｏｒｍａｔｉｏｎ  Ｂｌｏｃｋ  Ｔｙｐｅ２）でその対応関係が示される。セル固有接続は、ＳＩＢ２  ｌｉｎｋａｇｅとも称され、報知情報の一部として設定（コンフィギュレーション）が明示的に通知される。または、セル固有接続は、セルアグリゲーションにおけるセルが追加される場合に、ＲＲＣメッセージ（レイヤ３メッセージ）で対応関係の設定が通知される。または、セル固有接続は、明示的に指示されない（上りリンクと下りリンクのＣＣの対応関係を直接的、且つ明示的な情報で示されない）場合に、一意に決められる上りリンクと下りリンクの規定の対応関係の情報を用いるなどして、暗黙的に設定が通知される。ＲＲＣメッセージでセル内のＤＬ  ＣＣとＵＬ  ＣＣの対応関係の設定が通知される場合、基地局装置３は、設定する当該ＤＬ  ＣＣの報知情報で示されるＵＬ  ＣＣと異なるＵＬ  ＣＣが対応していることを示すセル固有接続の情報を移動局装置５に通知してもよい。言い換えると、報知情報で示された設定に対して、ＲＲＣメッセージで示された設定が上書きされてもよい。
【００８２】
セル固有接続は、典型的には、移動局装置５がセルアグリゲーションを用いていない場合に、基地局装置３との通信に用いる上りリンクと下りリンクの周波数の対応関係を示すために使用される。また、移動局装置５がセルアグリゲーションを用いている場合に、セル固有接続は、ＰＤＣＣＨによって通知されるリソース（ＰＵＳＣＨのリソース、ＰＤＳＣＨのリソース）の割り当てが適用される上りリンクと下りリンクのＣＣの対応関係を示すために使用される。
【００８３】
＜Ｃｒｏｓｓ  ｃａｒｒｉｅｒ  ｓｃｈｅｄｕｌｉｎｇ＞
ＰＤＣＣＨと、そのＰＤＣＣＨに対応する下りリンクアサインメントが含まれるＰＤＳＣＨが異なるＤＬ  ＣＣに配置されることができる（Cross carrier schedulingと呼称する）。ＰＤＳＣＨが配置されるＤＬ  ＣＣを物理下りリンク共用チャネルコンポーネントキャリア（PDSCH CC）と呼称する。ＰＤＣＣＨが配置されるＤＬ  ＣＣを物理下りリンク制御チャネルコンポーネントキャリア（PDCCH CC）と呼称する。なお、セルアグリゲーションで用いられる全てのＤＬ  ＣＣにＰＤＳＣＨが配置される可能性がある場合、全てのＤＬ  ＣＣはＰＤＳＣＨ  ＣＣとなる。
【００８４】
ＰＤＣＣＨが配置されるＤＬ  ＣＣと、そのＰＤＣＣＨに対応する上りリンクグラントが含まれるＰＵＳＣＨが配置されるＵＬ  ＣＣとシステム情報で対応付けられるＤＬ  ＣＣとが、異なるように設定されることができる。基地局装置３は、移動局装置５に各ＤＬ  ＣＣに対するシステム情報を通知し、そのシステム情報にはそのＤＬ  ＣＣと対応付けられるＵＬ  ＣＣを示す情報が含まれる。この対応付けを示す情報を含むシステム情報はＳＩＢ２（System Information Block Type2）と呼称し、ＳＩＢ２により示されるＤＬ  ＣＣとＵＬ  ＣＣの対応付けをＳＩＢ２  ｌｉｎｋａｇｅと呼称する。ＰＵＳＣＨが配置されるＵＬ  ＣＣを物理上りリンク共用チャネルコンポーネントキャリア（PUSCH CC）と呼称する。
【００８５】
基地局装置３は、セルアグリゲーションに用いる複数のＤＬ  ＣＣの中で何れのＤＬ  ＣＣをＰＤＣＣＨ  ＣＣとして用いるかを決定する。次に、基地局装置３は、各ＰＤＣＣＨ  ＣＣを何れのＰＤＳＣＨ  ＣＣ、何れのＰＵＳＣＨ  ＣＣと対応させるかを決定する。ここで、ＰＤＣＣＨ  ＣＣとＰＤＳＣＨ  ＣＣの対応付けとは、ＰＤＳＣＨ  ＣＣに配置されるＰＤＳＣＨのリソースの割り当てに関する制御情報を含むＰＤＣＣＨがＰＤＳＣＨ  ＣＣと対応付けられるＰＤＣＣＨ  ＣＣに配置されることを意味する。より詳細には、ＰＤＣＣＨ  ＣＣとＰＤＳＣＨ  ＣＣの対応付けとは、ＰＤＳＣＨ  ＣＣに配置されるＰＤＳＣＨに対応する下りリンクアサインメントであって、キャリアインディケータも構成される下りリンクアサインメントを含むＰＤＣＣＨが、ＰＤＳＣＨ  ＣＣと対応付けられたＰＤＣＣＨ  ＣＣに配置されることを意味する。ここで、ＰＤＣＣＨ  ＣＣとＰＵＳＣＨ  ＣＣの対応付けとは、ＰＵＳＣＨ  ＣＣに配置されるＰＵＳＣＨのリソースの割り当てに関する制御情報を含むＰＤＣＣＨがＰＵＳＣＨ  ＣＣと対応付けられるＰＤＣＣＨ  ＣＣに配置されることを意味する。より詳細には、ＰＤＣＣＨ  ＣＣとＰＵＳＣＨ  ＣＣの対応付けとは、ＰＵＳＣＨ  ＣＣに配置されるＰＵＳＣＨに対応する上りリンクグラントであって、キャリアインディケータも構成される上りリンクグラントを含むＰＤＣＣＨが、ＰＵＳＣＨ  ＣＣと対応付けられるＰＤＣＣＨ  ＣＣに配置されることを意味する。
【００８６】
ここで説明される対応付けは、上記で説明したように、キャリアインディケータを含まないＰＤＣＣＨに対してのＤＬ  ＣＣとＵＬ  ＣＣの対応付け（ＳＩＢ２  ｌｉｎｋａｇｅ）とは異なる。セルアグリゲーションに用いられる複数のＰＤＳＣＨ  ＣＣのそれぞれが同じＰＤＣＣＨ  ＣＣに対応付けられてもよいし、セルアグリゲーションに用いられる複数のＰＤＳＣＨ  ＣＣのそれぞれが異なるＰＤＣＣＨ  ＣＣに対応付けられてもよい。例えば、１個のＰＤＣＣＨ  ＣＣに複数のＰＤＳＣＨ  ＣＣが対応付けられる場合、そのＰＤＣＣＨ  ＣＣで送信されるＰＤＣＣＨが何れのＰＤＳＣＨ  ＣＣのＰＤＳＣＨのリソースの割り当てを示しているかはキャリアインディケータによって認識される。
【００８７】
基地局装置３は、各ＰＤＳＣＨ  ＣＣに対してＰＤＣＣＨ  ＣＣとして対応付けられた下りリンクコンポーネントキャリアを示す情報を移動局装置５に通知する。なお、この情報は無線リソース制御シグナリング（ＲＲＣシグナリング）を用いて通知される。移動局装置５は、基地局装置３よりＲＲＣシグナリングを用いて通知された情報に基づき、各ＰＤＳＣＨ  ＣＣのＰＤＳＣＨのキャリアインディケータ付きの下りリンクアサインメントを含むＰＤＣＣＨが配置される可能性のあるＤＬ  ＣＣを認識する。なお、ＰＣｅｌｌで送信されるＰＤＳＣＨの下りリンクアサインメントを含むＰＤＣＣＨはＰＣｅｌｌでのみ送信され、ＳＣｅｌｌで送信されるＰＤＳＣＨの下りリンクアサインメントを含むＰＤＣＣＨはＰＣｅｌｌ、またはＳＣｅｌｌで送信される。言い換えると、ＰＣｅｌｌでは必ずＰＤＣＣＨ  ＣＣとＰＤＳＣＨ  ＣＣが構成され、更にＰＣｅｌｌで構成されるＰＤＣＣＨ  ＣＣとＰＤＳＣＨ  ＣＣは対応付けられる。また、ＰＣｅｌｌのＰＵＳＣＨ  ＣＣは、ＰＣｅｌｌのＰＤＣＣＨ  ＣＣと対応付けられる。ＰＣｅｌｌのＰＤＳＣＨ  ＣＣとＰＵＳＣＨ  ＣＣはＳＩＢ２  ｌｉｎｋａｇｅを有する。ＳＣｅｌｌでは、ＰＤＳＣＨ  ＣＣは構成されるが、ＰＤＣＣＨ  ＣＣが構成されなくてもよい。ＳＣｅｌｌで構成されたＰＤＳＣＨ  ＣＣと対応付けられるＰＤＣＣＨ  ＣＣは、ＰＣｅｌｌで構成されてもよいし、その他のＳＣｅｌｌで構成されてもよい。なお、ＰＤＣＣＨ  ＣＣが構成されるセルでは必ずＰＤＳＣＨ  ＣＣとＰＵＳＣＨ  ＣＣが構成され、同一セル内のＰＤＣＣＨ  ＣＣとＰＤＳＣＨ  ＣＣ、およびＰＤＣＣＨ  ＣＣとＰＵＳＣＨ  ＣＣが対応付けられる。なお、ＲＲＣシグナリングはＰＤＳＣＨで通知される。なお、ＰＣｅｌｌのＰＤＳＣＨ  ＣＣおよびＰＵＳＣＨ  ＣＣと対応付けられるＰＤＳＣＨ  ＣＣは必ず同じＰＣｅｌｌに構成されるため、それらの関係を示す情報は移動局装置５に対して通知されない。また、Ｃｒｏｓｓ  ｃａｒｒｉｅｒ  ｓｃｈｅｄｕｌｉｎｇが適用されない場合、ＰＤＳＣＨ  ＣＣとＰＤＣＣＨ  ＣＣの対応付けを示す情報は基地局装置３から移動局装置５に対して通知されない。Ｃｒｏｓｓ  ｃａｒｒｉｅｒ  ｓｃｈｅｄｕｌｉｎｇが適用されない場合、下りリンクアサインメントにキャリアインディケータは含まれない。
【００８８】
＜基地局装置３の全体構成＞
以下、図１、図２、図３を用いて、本実施形態に係る基地局装置３の構成について説明する。図１は、本発明の実施形態に係る基地局装置３の構成を示す概略ブロック図である。この図に示すように、基地局装置３は、受信処理部１０１、無線リソース制御部１０３、制御部１０５、および、送信処理部１０７を含んで構成される。
【００８９】
受信処理部１０１は、制御部１０５の指示に従い、受信アンテナ１０９により移動局装置５から受信した、ＰＵＣＣＨ、ＰＵＳＣＨの受信信号をＤＭ  ＲＳを用いて復調し、復号して、制御情報、情報データを抽出する。受信処理部１０１は、自装置が移動局装置５にＰＵＣＣＨのリソースを割り当てた上りリンクサブフレーム、ＵＬ  ＰＲＢに対してＵＣＩを抽出する処理を行なう。受信処理部１０１は、何れの上りリンクサブフレーム、何れのＵＬ  ＰＲＢに対してどのような処理を行なうかを制御部１０５から指示される。例えば、受信処理部１０１は、ＡＣＫ／ＮＡＣＫ用のＰＵＣＣＨの信号に対して時間領域での符号系列の乗算と合成、周波数領域での符号系列の乗算と合成を行なう検出処理を制御部１０５から指示される。また、受信処理部１０１は、ＰＵＣＣＨからＵＣＩを検出する処理に用いる周波数領域の符号系列および／または時間領域の符号系列を制御部１０５から指示される。受信処理部１０１は、抽出したＵＣＩを制御部１０５に出力し、情報データを上位層に出力する。
【００９０】
また、受信処理部１０１は、制御部１０５の指示に従い、受信アンテナ１０９により移動局装置５から受信したＰＲＡＣＨの受信信号から、プリアンブル系列を検出（受信）する。また、受信処理部１０１は、プリアンブル系列の検出と共に、到来タイミング（受信タイミング）の推定も行なう。受信処理部１０１は、自装置がＰＲＡＣＨのリソースを割り当てた上りリンクサブフレーム、ＵＬ  ＰＲＢに対してプリアンブル系列を検出する処理を行なう。なお、受信処理部１０１は、Ｃｏｎｔｅｎｔｉｏｎ  ｂａｓｅｄ  Ｒａｎｄｏｍ  ａｃｃｅｓｓ手順に用いられないプリアンブル系列であって、何れの移動局装置５に対してもＤｅｄｉｃａｔｅｄ  ｐｒｅａｍｂｌｅとして割り当てられていないプリアンブル系列においては、受信したＰＲＡＣＨの信号から、そのプリアンブル系列が送信されたか否かの検出、到来タイミングの推定等の処理を行なわないようにすることができる。受信処理部１０１は、推定した到来タイミングに関する情報を制御部１０５に出力する。
【００９１】
また、受信処理部１０１は、移動局装置５から受信したＳＲＳを用いて１個以上の上りリンクリソースブロックのチャネル品質を測定する。また、受信処理部１０１は、移動局装置５から受信したＳＲＳを用いて上りリンクの同期ずれを検出（算出、測定）する。受信処理部１０１は、何れの上りリンクサブフレーム、何れの上りリンクリソースブロックに対してどのような処理を行なうかを制御部１０５から指示される。受信処理部１０１は、測定したチャネル品質、検出した上りリンクの同期ずれに関する情報を制御部１０５に出力する。受信処理部１０１の詳細については、後述する。
【００９２】
無線リソース制御部１０３は、ＰＲＡＣＨに対するリソース（上りリンクサブフレーム、ＵＬ  ＰＲＢ）の割り当て、Ｄｅｄｉｃａｔｅｄ  ｐｒｅａｍｂｌｅの割り当て、ＳＲＳに対するリソースの割り当て、ＰＤＣＣＨに対するリソースの割り当て、ＰＵＣＣＨに対するリソースの割り当て、ＰＤＳＣＨに対するＤＬ  ＰＲＢの割り当て、ＰＵＳＣＨに対するＵＬ  ＰＲＢの割り当て、各種チャネルの変調方式・符号化率・送信電力制御値などを設定する。なお、無線リソース制御部１０３は、ＰＵＣＣＨに対する周波数領域の符号系列、時間領域の符号系列なども設定する。また、無線リソース制御部１０３は、設定したＤｅｄｉｃａｔｅｄ  ｐｒｅａｍｂｌｅの割り当てを示す情報などを制御部１０５に出力する。無線リソース制御部１０３で設定された情報の一部は送信処理部１０７を介して移動局装置５に通知され、例えばＤｅｄｉｃａｔｅｄ  ｐｒｅａｍｂｌｅの割り当てを示す情報、ＰＲＡＣＨに対するリソースの割り当てを示す情報が移動局装置５に通知される。
【００９３】
また、無線リソース制御部１０３は、受信処理部１０１においてＰＵＣＣＨを用いて取得され、制御部１０５を介して入力されたＵＣＩに基づいてＰＤＳＣＨの無線リソースの割り当てなどを設定する。例えば、無線リソース制御部１０３は、ＰＵＣＣＨを用いて取得されたＡＣＫ／ＮＡＣＫが入力された場合、ＡＣＫ／ＮＡＣＫでＮＡＣＫが示されたＰＤＳＣＨのリソースの割り当てを移動局装置５に対して行なう。
【００９４】
無線リソース制御部１０３は、自装置がセルアグリゲーションを用いて通信を行なう場合、移動局装置５に対して複数のＤＬ  ＣＣ、複数のＵＬ  ＣＣを構成する。また、無線リソース制御部１０３は、移動局装置５に対してＰＤＣＣＨ  ＣＣ、ＰＤＣＣＨ  ＣＣと対応付けるＰＤＳＣＨ  ＣＣ、ＰＣｅｌｌ、ＳＣｅｌｌを設定する。無線リソース制御部１０３は、送信処理部１０７を介して何れのセルをＰＣｅｌｌと設定するかを示す情報、各ＳＣｅｌｌのＰＤＳＣＨ  ＣＣに対してＰＤＣＣＨ  ＣＣとして対応付けられたＤＬ  ＣＣを示す情報を移動局装置５に通知するように制御部１０５に出力する。なお、無線リソース制御部１０３は、移動局装置５が初期接続で接続したセルをＰＣｅｌｌと自動的に設定し、ＳＣｅｌｌを追加し、追加したＳＣｅｌｌの情報（ＤＬ  ＣＣの周波数、周波数帯域、ＵＬ  ＣＣの周波数、周波数帯域、セルインデックス）を移動局装置５に通知するようにしてもよい。無線リソース制御部１０３は、移動局装置５よりＰＵＳＣＨを用いて取得（受信、通知）された下りリンクの受信品質（ＲＳＲＰ: Reference Signal Received Power）等に基づき、セルアグリゲーションに構成されていないセルをセルアグリゲーションに構成されるセルに追加するかどうかを判断する。また、無線リソース制御部１０３は、移動局装置５より取得された下りリンクの受信品質等に基づき、セルアグリゲーションに構成されているセルを再設定、削除するかどうかを判断する。例えば、無線リソース制御部１０３は、セルアグリゲーションに構成されていないセルの下りリンクの受信品質が良好であると判断した場合、セルアグリゲーションに構成されていないセルをセルアグリゲーションに構成されるセルとして移動局装置５に追加設定する。例えば、無線リソース制御部１０３は、セルアグリゲーションに構成されているセルの下りリンクの受信品質が劣悪であると判断した場合、セルアグリゲーションに構成されているセルをセルアグリゲーションに構成されていないセルとして移動局装置５に削除設定する。
【００９５】
無線リソース制御部１０３は、各種制御信号を制御部１０５に出力する。例えば、制御信号は、Ｄｅｄｉｃａｔｅｄ  ｐｒｅａｍｂｌｅの割り当てを示す制御信号である。例えば、無線リソース制御部１０３は、Ｄｅｄｉｃａｔｅｄ  ｐｒｅａｍｂｌｅのプリアンブル系列、Ｄｅｄｉｃａｔｅｄ  ｐｒｅａｍｂｌｅの送信を許可するＰＲＡＣＨが配置される上りリンクサブフレームおよびＵＬ  ＰＲＢを示す制御信号を出力する。
【００９６】
制御部１０５は、無線リソース制御部１０３から入力された制御信号に基づき、ＰＤＳＣＨに対するＤＬ  ＰＲＢの割り当て、ＰＤＣＣＨに対するリソースの割り当て、ＰＤＳＣＨに対する変調方式の設定、ＰＤＳＣＨおよびＰＤＣＣＨに対する符号化率の設定などの制御を送信処理部１０７に対して行なう。また、制御部１０５は、無線リソース制御部１０３から入力された制御信号に基づき、ＰＤＣＣＨを用いて送信されるＤＣＩを生成し、送信処理部１０７に出力する。ＰＤＣＣＨを用いて送信されるＤＣＩは、ＰＤＣＣＨ  ｏｒｄｅｒに関する情報を含まない下りリンクアサインメント、ＰＤＣＣＨ  ｏｒｄｅｒに関する情報を含む下りリンクアサインメント、上りリンクグラントなどである。また、制御部１０５は、通信に用いるＤＬ  ＣＣおよびＵＬ  ＣＣを示す情報、ＰＣｅｌｌを示す情報、ＰＤＳＣＨ  ＣＣとＰＤＣＣＨ  ＣＣとの対応付けを示す情報、ＰＲＡＣＨのリソースの割り当てを示す情報などを、送信処理部１０７を介して移動局装置５にＰＤＳＣＨを用いて送信するように制御を行なう。
【００９７】
制御部１０５は、無線リソース制御部１０３から入力された制御信号に基づき、ＰＲＡＣＨに対するリソース（上りリンクサブフレーム、ＵＬ  ＰＲＢ）の割り当て、Ｄｅｄｉｃａｔｅｄ  ｐｒｅａｍｂｌｅの割り当て、ＰＵＳＣＨに対するＵＬ  ＰＲＢの割り当て、ＰＵＣＣＨに対するリソースの割り当て、ＰＵＳＣＨおよびＰＵＣＣＨの変調方式の設定、ＰＵＳＣＨの符号化率の設定、ＰＵＣＣＨに対する検出処理、ＰＵＣＣＨに対する符号系列の設定などの制御を受信処理部１０１に対して行なう。また、制御部１０５は、移動局装置５によってＰＵＣＣＨを用いて送信されたＵＣＩが受信処理部１０１より入力され、入力されたＵＣＩを無線リソース制御部１０３に出力する。
【００９８】
また、制御部１０５は、受信処理部１０１より、検出されたプリアンブル系列の到来タイミングを示す情報、受信されたＳＲＳから検出された上りリンクの同期ずれを示す情報が入力され、上りリンクの送信タイミングの調整値（TA: Timing Advance、Timing Adjustment、Timing Alignment）（TA value）を算出する。算出された上りリンクの送信タイミングの調整値を示す情報（TA command）は、送信処理部１０７を介して移動局装置５に通知される。
【００９９】
制御部１０５は、受信処理部１０１において、プリアンブル系列が検出（受信）された場合、移動局装置５のプリアンブル系列の送信に対する応答を示す情報を生成する。生成された応答を示す情報は、送信処理部１０７を介して移動局装置５に送信される。Ｄｅｄｉｃａｔｅｄ  ｐｒｅａｍｂｌｅの送信に対する応答を示す情報には、上りリンクの送信タイミングの調整値を示す情報が含まれる。また、Ｄｅｄｉｃａｔｅｄ  ｐｒｅａｍｂｌｅの送信に対する応答を示す情報には、プリアンブル系列に対応する識別子であるＲａｎｄｏｍ  ＩＤ（Ｒａｎｄｏｍ  Ａｃｃｅｓｓ  Ｐｒｅａｍｂｌｅ  Ｉｄｅｎｔｉｆｉｅｒとも呼称する）を示す情報が含まれる。Ｒａｎｄｏｍ  ＩＤは、６ビットにより構成され、６４個のプリアンブル系列のそれぞれに対して予め割り当てられており、プリアンブル系列を識別するための情報である。Ｒａｎｄｏｍ  ＩＤとプリアンブル系列の関係は、通信システムのルールとして決められている。
【０１００】
制御部１０５は、受信されたＳＲＳから検出された上りリンクの同期ずれを示す情報等に基づき、送信タイミングの調整（微調整）を行う必要があると判断した場合、送信タイミングの調整値を示す情報を生成する。生成された情報は、送信処理部１０７を介して移動局装置５に送信される。この場合、送信タイミングの調整値を示す情報は、移動局装置５に予め割り当てられた移動局装置識別子であるＣ−ＲＮＴＩ（Cell Radio Network Temporary Identifier）を示す情報と共に送信される。Ｃ−ＲＮＴＩは、基地局装置３が管轄するセル内で基地局装置３との接続（ＲＲＣ  ｃｏｎｎｅｃｔｉｏｎ）が確立された移動局装置５を識別するための情報である。基地局装置３は、移動局装置５との接続確立時に、Ｃ−ＲＮＴＩを移動局装置５に割り当てる。
【０１０１】
制御部１０５は、Ｄｅｄｉｃａｔｅｄ  ｐｒｅａｍｂｌｅを検出（受信）した場合、プリアンブル系列の受信に対する応答として、検出（受信）したＤｅｄｉｃａｔｅｄ  ｐｒｅａｍｂｌｅに対応するＲａｎｄｏｍ  ＩＤを示す情報と、Ｄｅｄｉｃａｔｅｄ  ｐｒｅａｍｂｌｅを検出（受信）したセルに対する上りリンクの送信タイミングの調整値を示す情報を生成し、生成した情報を送信処理部１０７を介して移動局装置５に送信するように制御する。より具体的には、制御部１０５は、上りリンクでＤｅｄｉｃａｔｅｄ  ｐｒｅａｍｂｌｅを検出（受信）した場合、プリアンブル系列の受信に対する応答として、ＲＡ−ＲＮＴＩ（Random Access-Radio Network Temporary Identifier：ランダムアクセスレスポンス識別子）を示す情報を下りリンクのＰＤＣＣＨで送信するように送信処理部１０７を制御すると共に、検出（受信）したＤｅｄｉｃａｔｅｄ  ｐｒｅａｍｂｌｅに対応するＲａｎｄｏｍ  ＩＤを示す情報と、Ｄｅｄｉｃａｔｅｄ  ｐｒｅａｍｂｌｅを検出（受信）したセルに対する上りリンクの送信タイミングの調整値を示す情報を下りリンクのＰＤＳＣＨで送信するように送信処理部１０７を制御する。ここで、前記ＰＤＳＣＨのリソース割り当てを示す情報は、ＲＡ−ＲＮＴＩを示す情報を含むＰＤＣＣＨに含まれる。ＲＡ−ＲＮＴＩは、ＰＲＡＣＨと対応し、ＰＤＣＣＨによりリソース割り当てが示されるＰＤＳＣＨの情報に何れのＰＲＡＣＨに対応するランダムアクセス応答が含まれるかを示し、例えば、ＰＲＡＣＨが配置される上りリンクサブフレームの番号と対応付けられる。ここで、詳細には、予め決められた生成多項式を用いてＤＣＩから生成されたＣＲＣ符号に対して、ＲＡ−ＲＮＴＩを用いて排他的論理和の処理が行われた（スクランブルされた）ビット（情報）を変調した信号がＰＤＣＣＨで送信される。
【０１０２】
制御部１０５は、受信されたＳＲＳから検出された上りリンクの同期ずれを示す情報等に基づき生成した送信タイミングの調整値を示す情報を生成した場合、移動局装置５に予め割り当てたＣ−ＲＮＴＩを示す情報を下りリンクのＰＤＣＣＨで送信するように送信処理部１０７を制御すると共に、送信タイミングの調整値を示す情報を下りリンクのＰＤＳＣＨで送信するように送信処理部１０７を制御する。ここで、前記ＰＤＳＣＨのリソース割り当てを示す情報は、Ｃ−ＲＮＴＩを示す情報を含むＰＤＣＣＨに含まれる。ここで、詳細には、予め決められた生成多項式を用いてＤＣＩから生成されたＣＲＣ符号に対して、Ｃ−ＲＮＴＩを用いて排他的論理和の処理が行われた（スクランブルされた）ビット（情報）を変調した信号がＰＤＣＣＨで送信される。
【０１０３】
制御部１０５は、移動局装置５に割り当てた（構成した）セルを管理する。制御部１０５は、送信タイミングが同じセルをグループ化する。このグループを送信タイミンググループ（ＴＡ  ｇｒｏｕｐ）と呼称する。ＴＡ  ｇｒｏｕｐ内の複数のセルは共通のＴＡ  ｃｏｍｍａｎｄが適用される。ＴＡ  ｇｒｏｕｐの構成に関する情報は送信処理部１０７を介して移動局装置５に通知され得る。制御部１０５は、セル毎またはＴＡ  ｇｒｏｕｐ毎の送信タイミングと送信タイミングタイマー（ＴＡ  ｔｉｍｅｒと呼称する）を管理する。ＴＡ  ｔｉｍｅｒは、移動局装置５に通知されたＴＡ  ｃｏｍｍａｎｄが有効な期間を計測し、上りリンクが同期状態なのか、または非同期状態なのかの判断を行うために用いられるタイマーである。ＴＡ  ｔｉｍｅｒが動作中は、そのＴＡ  ｔｉｍｅｒに対応するＴＡ  ｇｒｏｕｐの上りリンクは同期状態（送信タイミングが有効である状態）であると判断される。ＴＡ  ｔｉｍｅｒが終了した場合は、そのＴＡ  ｔｉｍｅｒに対応するＴＡ  ｇｒｏｕｐの上りリンクは非同期状態（送信タイミングが有効でない状態）であると判断される。制御部１０５は、ＴＡ  ｇｒｏｕｐの設定を移動局装置５から通知された情報（ＴＡ  ａｓｓｉｓｔａｎｃｅ  ｉｎｆｏｒｍａｔｉｏｎ）（タイミング関連情報）に基づき行う。詳細は後述する。
【０１０４】
なお、ＴＡ  ｔｉｍｅｒは、移動局装置５に対して１つのみが用いられ、１つのＴＡ  ｔｉｍｅｒが全てのＴＡ  ｇｒｏｕｐ（セル）に共通に用いられる構成でもよい。この場合においても、あるＴＡ  ｃｏｍｍａｎｄが共通して適用されるセルグループの指定にＴＡ  ｇｒｏｕｐの概念が用いられる。言い換えると、１つのＴＡ  ｔｉｍｅｒは複数のＴＡ  ｇｒｏｕｐに共通に用いられるが、複数のＴＡ  ｃｏｍｍａｎｄはそれぞれのＴＡ  ｇｒｏｕｐに独立に用いられる構成でもよい。
【０１０５】
送信処理部１０７は、制御部１０５から入力された制御信号に基づき、ＰＤＣＣＨ、ＰＤＳＣＨを用いて送信する信号を生成して、送信アンテナ１１１を介して送信する。送信処理部１０７は、無線リソース制御部１０３から入力された、セルアグリゲーションを用いた通信に用いるＤＬ  ＣＣおよびＵＬ  ＣＣを示す情報、ＰＣｅｌｌを示す情報、ＰＤＳＣＨ  ＣＣとＰＤＣＣＨ  ＣＣとの対応付けを示す情報、ＰＲＡＣＨのリソースを示す情報、上位層から入力された情報データ等をＰＤＳＣＨを用いて移動局装置５に対して送信し、制御部１０５から入力されたＤＣＩ（ＰＤＣＣＨ  ｏｒｄｅｒに関する情報）をＰＤＣＣＨを用いて移動局装置５に対して送信する。また、送信処理部１０７は、制御部１０５で生成されたプリアンブル系列の受信に対する応答、送信タイミングの調整値を示す情報を、ＰＤＣＣＨ、ＰＤＳＣＨを用いて送信する。なお、説明の簡略化のため、以降、情報データは数種の制御に関する情報を含むものとする。送信処理部１０７の詳細については、後述する。
【０１０６】
基地局装置３は、複数の周波数の異なるセルを用いて移動局装置５と通信を行い、接続中のある一つのセル（第一のセルと称する）の下りリンクの受信品質（ＲＳＲＰ: Reference Signal Received Power）を示す情報を移動局装置５より受信する。基地局装置３は、移動局装置５が基地局装置３に通知した直近の第一のセルの下りリンクの受信品質の測定時における第一のセルの受信信号の受信タイミングと、今回受信した第一のセルの下りリンクの受信品質の測定時における第一のセルの受信信号の受信タイミングとの差である第一の受信タイミングの差が所定時間以上であるか否かを示す情報であるタイミング関連情報（ＴＡ  ａｓｓｉｓｔａｎｃｅ  ｉｎｆｏｒｍａｔｉｏｎ）を移動局装置５より受信する。基地局装置３は、移動局装置５より受信した下りリンクの受信品質を示す情報が対応する第一のセルに対して、受信したタイミング関連情報に基づき送信タイミングのグループの再設定を行う。
【０１０７】
基地局装置３は、タイミング関連情報に基づき、第一のセルの第一の受信タイミングの差が所定時間以上であることが示されたと判断した場合、第一のセルの送信タイミングのグループの変更を行う。基地局装置３は、セルアグリゲーションで構成される、他のセルと同じ送信タイミングのグループに第一のセルを追加する（同時に現在の送信タイミングのグループから第一のセルは削除される）か、新規の送信タイミングのグループに第一のセルを設定する。基地局装置３は、タイミング関連情報に基づき、第一のセルの第一の受信タイミングの差が所定時間以上ではないことが示されたと判断した場合、第一のセルの送信タイミングのグループの変更を行わない。なお、基地局装置３は、第一のセルの受信タイミングの差に関する情報を含むタイミング関連情報を受信しなかったことにより、第一のセルの第一の受信タイミングの差が所定時間以上であることが示されなかったとして、第一のセルの第一の受信タイミングの差が所定時間以上ではないことが示されたと判断してもよい。第一の受信タイミングの差は、第一のセルの受信タイミングと、第一のセルの送信タイミングのグループに属する他のセルの受信タイミングとの差であってもよい。また、第一の受信タイミングの差は、あるタイミングで移動局装置５に保持された第一のセルの受信タイミングと、現在の第一のセルの受信タイミングとの差であってもよい。あるタイミングとは、第一のセルが追加されたとき、または第一のセルの送信タイミングのグループが設定されたときである。
【０１０８】
また、基地局装置３は、タイミング関連情報で、第一のセルの下りリンクの受信タイミングと、第一のセルとは異なる第二のセルの下りリンクの受信タイミングとの差である第二の受信タイミングの差に関する情報を移動局装置５より受信する。ここで、第一のセルも、第二のセルも、セルアグリゲーションに構成される接続中のセルである。基地局装置３は、タイミング関連情報で、第二の受信タイミングの差が所定時間以上であることを示す情報、または第二の受信タイミングの差が所定時間以内である第二のセルを示す情報の何れかを移動局装置５より受信する。
【０１０９】
基地局装置３は、タイミング関連情報に基づき、第二の受信タイミングの差が所定時間以上であることが示されたと判断した場合、新規の送信タイミングのグループに第一のセルを設定する。また、基地局装置３は、タイミング関連情報に基づき、第二の受信タイミングの差が所定時間以上であることが示されたと判断した場合、第一のセルをセルアグリゲーションの構成から削除、すなわち第一のセルとの接続を開放（リリース）する。基地局装置３は、タイミング関連情報に基づき、第二の受信タイミングの差が所定時間以内である第二のセルが示されたと判断した場合、第二のセルが属する送信タイミングのグループに第一のセルを設定する。
【０１１０】
また、基地局装置３は、タイミング関連情報で、第二の受信タイミングの差が所定時間以内にある第二のセルが属する送信タイミングのグループが示される構成でもよい。基地局装置３は、タイミング関連情報に基づき、第二の受信タイミングの差が所定時間以内である第二のセルが属する送信タイミングのグループに第一のセルを設定する。
【０１１１】
＜基地局装置３の送信処理部１０７の構成＞
以下、基地局装置３の送信処理部１０７の詳細について説明する。図２は、本発明の実施形態に係る基地局装置３の送信処理部１０７の構成を示す概略ブロック図である。この図に示すように、送信処理部１０７は、複数の物理下りリンク共用チャネル処理部２０１−１〜２０１−Ｍ（以下、物理下りリンク共用チャネル処理部２０１−１〜２０１−Ｍを合わせて物理下りリンク共用チャネル処理部２０１と表す）、複数の物理下りリンク制御チャネル処理部２０３−１〜２０３−Ｍ（以下、物理下りリンク制御チャネル処理部２０３−１〜２０３−Ｍを合わせて物理下りリンク制御チャネル処理部２０３と表す）、下りリンクパイロットチャネル処理部２０５、多重部２０７、ＩＦＦＴ（Inverse Fast Fourier Transform; 高速逆フーリエ変換）部２０９、ＧＩ（Guard Interval; ガードインターバル）挿入部２１１、Ｄ／Ａ（Digital/Analog converter; ディジタルアナログ変換）部２１３、送信ＲＦ（Radio Frequency; 無線周波数）部２１５、および、送信アンテナ１１１を含んで構成される。なお、各物理下りリンク共用チャネル処理部２０１、各物理下りリンク制御チャネル処理部２０３は、それぞれ、同様の構成および機能を有するので、その一つを代表して説明する。なお、ここでは、送信アンテナの数が１本の場合について説明するが、複数の送信アンテナが構成されてもよい。
【０１１２】
また、この図に示すように、物理下りリンク共用チャネル処理部２０１は、それぞれ、ターボ符号部２１９およびデータ変調部２２１を備える。また、この図に示すように、物理下りリンク制御チャネル処理部２０３は、畳み込み符号部２２３およびＱＰＳＫ変調部２２５を備える。物理下りリンク共用チャネル処理部２０１は、移動局装置５への情報データをＯＦＤＭ方式で伝送するためのベースバンド信号処理を行なう。ターボ符号部２１９は、入力された情報データを、制御部１０５から入力された符号化率で、データの誤り耐性を高めるためのターボ符号化を行ない、データ変調部２２１に出力する。データ変調部２２１は、ターボ符号部２１９が符号化したデータを、制御部１０５から入力された変調方式、例えば、ＱＰＳＫ（四位相偏移変調; Quadrature Phase Shift Keying）、１６ＱＡＭ（16値直交振幅変調; 16 Quadrature Amplitude Modulation）、６４ＱＡＭ（64値直交振幅変調; 64 Quadrature Amplitude Modulation）のような変調方式で変調し、変調シンボルの信号系列を生成する。データ変調部２２１は、生成した信号系列を、多重部２０７に出力する。
【０１１３】
物理下りリンク制御チャネル処理部２０３は、制御部１０５から入力されたＤＣＩを、ＯＦＤＭ方式で伝送するためのベースバンド信号処理を行なう。畳み込み符号部２２３は、制御部１０５から入力された符号化率に基づき、ＤＣＩの誤り耐性を高めるための畳み込み符号化を行なう。ここで、ＤＣＩはビット単位で制御される。また、畳み込み符号部２２３は、制御部１０５から入力された符号化率に基づき、畳み込み符号化の処理を行なったビットに対して出力ビットの数を調整するためにレートマッチングも行なう。畳み込み符号部２２３は、符号化したＤＣＩをＱＰＳＫ変調部２２５に出力する。ＱＰＳＫ変調部２２５は、畳み込み符号部２２３が符号化したＤＣＩを、ＱＰＳＫ変調方式で変調し、変調した変調シンボルの信号系列を、多重部２０７に出力する。下りリンクパイロットチャネル処理部２０５は、移動局装置５において既知の信号である下りリンク参照信号（Cell specific RSとも呼称する。）を生成し、多重部２０７に出力する。
【０１１４】
多重部２０７は、下りリンクパイロットチャネル処理部２０５から入力された信号と、物理下りリンク共用チャネル処理部２０１各々から入力された信号と、物理下りリンク制御チャネル処理部２０３各々から入力された信号とを、制御部１０５からの指示に従って、下りリンクサブフレームに多重する。無線リソース制御部１０３によって設定されたＰＤＳＣＨに対するＤＬ  ＰＲＢの割り当て、ＰＤＣＣＨに対するリソースの割り当てに関する制御信号が制御部１０５に入力され、その制御信号に基づき、制御部１０５は多重部２０７の処理を制御する。
【０１１５】
なお、多重部２０７は、ＰＤＳＣＨとＰＤＣＣＨの多重を、基本的に図１２に示したように時間多重で行なう。また、多重部２０７は、下りリンクパイロットチャネルと、その他のチャネル間の多重は時間・周波数多重で行なう。また、多重部２０７は、各移動局装置５宛てのＰＤＳＣＨの多重をＤＬ  ＰＲＢ  ｐａｉｒ単位で行ない、１つの移動局装置５に対して複数のＤＬ  ＰＲＢ  ｐａｉｒを用いてＰＤＳＣＨを多重することもある。また、多重部２０７は、各移動局装置５宛てのＰＤＣＣＨの多重を同一のＤＬ  ＣＣ内のリソースを用いて行なう。多重部２０７は、多重化した信号を、ＩＦＦＴ部２０９に出力する。
【０１１６】
ＩＦＦＴ部２０９は、多重部２０７が多重化した信号を高速逆フーリエ変換し、ＯＦＤＭ方式の変調を行ない、ＧＩ挿入部２１１に出力する。ＧＩ挿入部２１１は、ＩＦＦＴ部２０９がＯＦＤＭ方式の変調を行なった信号に、ガードインターバルを付加することで、ＯＦＤＭ方式におけるシンボルからなるベースバンドのディジタル信号を生成する。周知のように、ガードインターバルは、伝送するＯＦＤＭシンボルの先頭または末尾の一部を複製することによって生成される。ＧＩ挿入部２１１は、生成したベースバンドのディジタル信号をＤ／Ａ部２１３に出力する。Ｄ／Ａ部２１３は、ＧＩ挿入部２１１から入力されたベースバンドのディジタル信号をアナログ信号に変換し、送信ＲＦ部２１５に出力する。送信ＲＦ部２１５は、Ｄ／Ａ部２１３から入力されたアナログ信号から、中間周波数の同相成分および直交成分を生成し、中間周波数帯域に対する余分な周波数成分を除去する。次に、送信ＲＦ部２１５は、中間周波数の信号を高周波数の信号に変換（アップコンバート）し、余分な周波数成分を除去し、電力増幅し、送信アンテナ１１１を介して、移動局装置５に送信する。
【０１１７】
＜基地局装置３の受信処理部１０１の構成＞
以下、基地局装置３の受信処理部１０１の詳細について説明する。図３は、本発明の実施形態に係る基地局装置３の受信処理部１０１の構成を示す概略ブロック図である。この図に示すように、受信処理部１０１は、受信ＲＦ部３０１、Ａ／Ｄ（Analog/Digital converter; アナログディジタル変換）部３０３、コンポーネントキャリア分離部３０５、複数の上りリンクコンポーネントキャリア毎受信処理部３０７−１〜３０７−Ｍ（以下、上りリンクコンポーネントキャリア毎受信処理部３０７−１〜３０７−Ｍを上りリンクコンポーネントキャリア毎受信処理部３０７と表す）、を含んで構成される。また、この図に示すように、上りリンクコンポーネントキャリア毎受信処理部３０７は、シンボルタイミング検出部３０９、ＧＩ除去部３１１、ＦＦＴ部３１３、サブキャリアデマッピング部３１５、伝搬路推定部３１７、ＰＵＳＣＨ用の伝搬路等化部３１９、ＰＵＣＣＨ用の伝搬路等化部３２１、ＩＤＦＴ部３２３、データ復調部３２５、ターボ復号部３２７、物理上りリンク制御チャネル検出部３２９、プリアンブル検出部３３１、およびＳＲＳ処理部３３３を備える。なお、各上りリンクコンポーネントキャリア毎受信処理部３０７は、同様の構成および機能を有するので、その一つを代表して説明する。
【０１１８】
受信ＲＦ部３０１は、受信アンテナ１０９で受信された信号を、適切に増幅し、中間周波数に変換し（ダウンコンバート）、不要な周波数成分を除去し、信号レベルが適切に維持されるように増幅レベルを制御し、受信された信号の同相成分および直交成分に基づいて、直交復調する。受信ＲＦ部３０１は、直交復調したアナログ信号を、Ａ／Ｄ部３０３に出力する。Ａ／Ｄ部３０３は、受信ＲＦ部３０１が直交復調したアナログ信号をディジタル信号に変換し、変換したディジタル信号をコンポーネントキャリア分離部３０５に出力する。コンポーネントキャリア分離部３０５は、上りリンクシステム帯域幅の受信信号をＵＬ  ＣＣ毎に分離し、各上りリンクコンポーネントキャリア毎受信処理部３０７に出力する。
【０１１９】
上りリンクコンポーネントキャリア毎受信処理部３０７は、ＵＬ  ＣＣ内のＰＵＳＣＨ、ＰＵＣＣＨの復調、復号を行なって情報データ、ＵＣＩを検出し、プリアンブルを検出して到来タイミングを検出し、ＳＲＳを処理して上りリンクの同期ずれを検出する。
【０１２０】
シンボルタイミング検出部３０９は、コンポーネントキャリア分離部３０５より入力された信号に基づいて、シンボルのタイミングを検出し、検出したシンボル境界のタイミングを示す制御信号を、ＧＩ除去部３１１に出力する。ＧＩ除去部３１１は、シンボルタイミング検出部３０９からの制御信号に基づいて、コンポーネントキャリア分離部３０５より入力された信号からガードインターバルに相当する部分を除去し、残りの部分の信号を、ＦＦＴ部３１３に出力する。ＦＦＴ部３１３は、ＧＩ除去部３１１から入力された信号を高速フーリエ変換し、ＤＦＴ−Ｓｐｒｅａｄ−ＯＦＤＭ方式の復調を行ない、サブキャリアデマッピング部３１５に出力する。なお、ＦＦＴ部３１３のポイント数は、後述する移動局装置５のＩＦＦＴ部のポイント数と等しい。
【０１２１】
サブキャリアデマッピング部３１５は、制御部１０５から入力された制御信号に基づき、ＦＦＴ部３１３が復調した信号を、ＤＭ  ＲＳと、ＳＲＳと、ＰＵＳＣＨの信号と、ＰＵＣＣＨの信号とに分離する。サブキャリアデマッピング部３１５は、分離したＤＭ  ＲＳを伝搬路推定部３１７に出力し、分離したＳＲＳをＳＲＳ処理部３３３に出力し、分離したＰＵＳＣＨの信号をＰＵＳＣＨ用の伝搬路等化部３１９に出力し、分離したＰＵＣＣＨの信号をＰＵＣＣＨ用の伝搬路等化部３２１に出力する。
【０１２２】
伝搬路推定部３１７は、サブキャリアデマッピング部３１５が分離したＤＭ  ＲＳと既知の信号を用いて伝搬路の変動を推定する。伝搬路推定部３１７は、推定した伝搬路推定値を、ＰＵＳＣＨ用の伝搬路等化部３１９と、ＰＵＣＣＨ用の伝搬路等化部３２１に出力する。ＰＵＳＣＨ用の伝搬路等化部３１９は、サブキャリアデマッピング部３１５が分離したＰＵＳＣＨの信号の振幅および位相を、伝搬路推定部３１７から入力された伝搬路推定値に基づいて等化する。ここで、等化とは、信号が無線通信中に受けた伝搬路の変動を元に戻す処理のことを表す。ＰＵＳＣＨ用の伝搬路等化部３１９は、調整した信号をＩＤＦＴ部３２３に出力する。
【０１２３】
ＩＤＦＴ部３２３は、ＰＵＳＣＨ用の伝搬路等化部３１９から入力された信号を離散逆フーリエ変換し、データ復調部３２５に出力する。データ復調部３２５は、ＩＤＦＴ部３２３が変換したＰＵＳＣＨの信号の復調を行ない、復調したＰＵＳＣＨの信号をターボ復号部３２７に出力する。この復調は、移動局装置５のデータ変調部で用いられる変調方式に対応した復調であり、変調方式は制御部１０５より入力される。ターボ復号部３２７は、データ復調部３２５から入力され、復調されたＰＵＳＣＨの信号から、情報データを復号する。符号化率は、制御部１０５より入力される。
【０１２４】
ＰＵＣＣＨ用の伝搬路等化部３２１は、サブキャリアデマッピング部３１５で分離されたＰＵＣＣＨの信号の振幅および位相を、伝搬路推定部３１７から入力された伝搬路推定値に基づいて等化する。ＰＵＣＣＨ用の伝搬路等化部３２１は、等化した信号を物理上りリンク制御チャネル検出部３２９に出力する。
【０１２５】
物理上りリンク制御チャネル検出部３２９は、ＰＵＣＣＨ用の伝搬路等化部３２１から入力された信号を復調、復号し、ＵＣＩを検出する。物理上りリンク制御チャネル検出部３２９は、周波数領域、および／または周波数領域で符号多重された信号を分離する処理を行なう。物理上りリンク制御チャネル検出部３２９は、送信側で用いられた符号系列を用いて周波数領域、および／または時間領域で符号多重されたＰＵＣＣＨの信号からＡＣＫ／ＮＡＣＫ、ＳＲ、ＣＱＩを検出するための処理を行う。具体的には、物理上りリンク制御チャネル検出部３２９は、周波数領域での符号系列を用いた検出処理、つまり周波数領域で符号多重された信号を分離する処理として、ＰＵＣＣＨのサブキャリア毎の信号に対して符号系列の各符号を乗算した後、各符号を乗算した信号を合成する。具体的には、物理上りリンク制御チャネル検出部３２９は、時間領域での符号系列を用いた検出処理、つまり時間領域での符号多重された信号を分離する処理として、ＰＵＣＣＨのＳＣ−ＦＤＭＡシンボル毎の信号に対して符号系列の各符号を乗算した後、各符号を乗算した信号を合成する。なお、物理上りリンク制御チャネル検出部３２９は、制御部１０５からの制御信号に基づき、ＰＵＣＣＨの信号に対する検出処理を設定する。
【０１２６】
ＳＲＳ処理部３３３は、サブキャリアデマッピング部３１５から入力されたＳＲＳを用いて、チャネル品質を測定し、ＵＬ  ＰＲＢのチャネル品質の測定結果を制御部１０５に出力する。ＳＲＳ処理部３３３は、どの上りリンクサブフレームの、どのＵＬ  ＰＲＢの信号に対して移動局装置５のチャネル品質の測定を行なうかが制御部１０５より指示される。また、ＳＲＳ処理部３３３は、サブキャリアデマッピング部３１５から入力されたＳＲＳを用いて、上りリンクの同期ずれを検出し、上りリンクの同期ずれを示す情報（同期ずれ情報）を制御部１０５に出力する。なお、ＳＲＳ処理部３３３は、時間領域の受信信号から上りリンクの同期ずれを検出する処理を行なうようにしてもよい。具体的な処理は、後述するプリアンブル検出部３３１で行なわれる処理と同等の処理を行なうようにしてもよい。
【０１２７】
プリアンブル検出部３３１は、コンポーネントキャリア分離部３０５より入力された信号に基づいて、ＰＲＡＣＨに相当する受信信号に対して送信されたプリアンブルを検出（受信）する処理を行なう。具体的には、プリアンブル検出部３３１は、ガードタイム内の様々なタイミングの受信信号に対して、送信される可能性のある、各プリアンブル系列を用いて生成したレプリカの信号との相関処理を行なう。例えば、プリアンブル検出部３３１は、相関値が予め設定された閾値よりも高かった場合、相関処理に用いられたレプリカの信号の生成に用いられたプリアンブル系列と同一の信号が、移動局装置５より送信されたと判断する。そして、プリアンブル検出部３３１は、最も相関値の高いタイミングをプリアンブル系列の到来タイミングと判断する。そして、プリアンブル検出部３３１は、検出したプリアンブル系列を示す情報と、到来タイミングを示す情報を少なくとも含むプリアンブル検出情報を生成し、制御部１０５に出力する。
【０１２８】
制御部１０５は、基地局装置３が、移動局装置５にＰＤＣＣＨを用いて送信した制御情報（ＤＣＩ）と、ＰＤＳＣＨを用いて送信した制御情報とに基づいて、サブキャリアデマッピング部３１５、データ復調部３２５、ターボ復号部３２７、伝搬路推定部３１７、および物理上りリンク制御チャネル検出部３２９の制御を行なう。また、制御部１０５は、基地局装置３が移動局装置５に送信した制御情報に基づき、各移動局装置５が送信した（送信した可能性のある）ＰＲＡＣＨ、ＰＵＳＣＨ、ＰＵＣＣＨ、ＳＲＳがどのリソース（上りリンクサブフレーム、ＵＬ  ＰＲＢ、プリアンブル系列、周波数領域の符号系列、時間領域の符号系列）により構成されているかを把握している。
【０１２９】
＜移動局装置５の全体構成＞
以下、図４、図５、図６を用いて、本実施形態に係る移動局装置５の構成について説明する。図４は、本発明の実施形態に係る移動局装置５の構成を示す概略ブロック図である。この図に示すように、移動局装置５は、受信処理部４０１、無線リソース制御部４０３、制御部４０５、送信処理部４０７（送信部）を含んで構成される。また、制御部４０５は、測定報告生成部４０５１を備える。
【０１３０】
受信処理部４０１は、基地局装置３から信号を受信し、制御部４０５の指示に従い、受信信号を復調、復号する。受信処理部４０１は、自装置宛てのＰＤＣＣＨの信号を検出した場合は、ＰＤＣＣＨの信号を復号して取得したＤＣＩを制御部４０５に出力する。例えば、受信処理部４０１は、ＰＤＣＣＨに含まれるＤｅｄｉｃａｔｅｄ  ｐｒｅａｍｂｌｅの割り当てに関する制御情報を制御部４０５に出力する。また、受信処理部４０１は、ＰＤＣＣＨに含まれるＤＣＩを制御部４０５に出力した後の制御部４０５の指示に基づき、自装置宛てのＰＤＳＣＨを復号して得た情報データを、制御部４０５を介して上位層に出力する。ＰＤＣＣＨに含まれるＤＣＩの中で、Ｄｅｄｉｃａｔｅｄ  ｐｒｅａｍｂｌｅの割り当てに関する情報を含まない下りリンクアサインメントがＰＤＳＣＨのリソースの割り当てを示す情報を含む。また、受信処理部４０１は、ＰＤＳＣＨを復号して得た基地局装置３の無線リソース制御部１０３で生成された制御情報を制御部４０５に出力し、また制御部４０５を介して自装置の無線リソース制御部４０３に出力する。例えば、基地局装置３の無線リソース制御部１０３で生成された制御情報は、ＰＣｅｌｌを示す情報、ＰＤＳＣＨ  ＣＣとＰＤＣＣＨ  ＣＣとの対応付けを示す情報、ＰＲＡＣＨのリソースの割り当てを示す情報を含む。
【０１３１】
また、受信処理部４０１は、ＰＤＳＣＨに含まれる巡回冗長検査（Cyclic Redundancy Check: CRC）符号を制御部４０５に出力する。基地局装置３の説明では省略したが、基地局装置３の送信処理部１０７は情報データからＣＲＣ符号を生成し、情報データとＣＲＣ符号をＰＤＳＣＨで送信する。ＣＲＣ符号は、ＰＤＳＣＨに含まれるデータが誤っているか、誤っていないかを判断するために使われ、予め決められた生成多項式を用いてデータから生成された情報とＣＲＣ符号が同じ場合はデータが誤っていないと判断され、予め決められた生成多項式を用いてデータから生成された情報とＣＲＣ符号が異なる場合はデータが誤っていると判断される。
【０１３２】
また、受信処理部４０１は、制御部４０５の指示に基づき、Ｄｅｄｉｃａｔｅｄ  ｐｒｅａｍｂｌｅの送信に対する応答を受信する。例えば、受信処理部４０１は、Ｄｅｄｉｃａｔｅｄ  ｐｒｅａｍｂｌｅの送信に用いたＰＲＡＣＨに対応するＲＡ−ＲＮＴＩを示す情報をＰＤＣＣＨで受信し、送信したＤｅｄｉｃａｔｅｄ  ｐｒｅａｍｂｌｅに対応するＲａｎｄｏｍ  ＩＤを示す情報と、Ｄｅｄｉｃａｔｅｄ  ｐｒｅａｍｂｌｅを送信したセルに対する上りリンクの送信タイミングの調整値を示す情報とをＰＤＳＣＨで受信する。また、受信処理部４０１は、Ｄｅｄｉｃａｔｅｄ  ｐｒｅａｍｂｌｅの送信に対する応答とは別に、送信タイミングの調整値を示す情報をＰＤＳＣＨで受信する。
【０１３３】
また、受信処理部４０１は、セルの下りリンクの受信タイミングを検出し、下りリンクの受信品質（RSRP: Reference Signal Received Power; 参照信号受信電力）を測定し、検出結果および測定結果を制御部４０５に出力する。受信処理部４０１は、セルアグリゲーションで構成される第一のセル、第二のセルの下りリンクの受信タイミングを検出する。受信処理部４０１は、第一のセルの下りリンクの受信品質を測定する。なお、移動局装置５のセルアグリゲーションに構成されるセルは、周波数の異なるセルから構成される。第一のセルと第二のセルは周波数が異なる。なお、受信処理部４０１は、第一のセルの下りリンクの受信タイミングを、少なくとも下りリンクの受信品質の測定時に毎回検出しており、検出結果は制御部４０５に出力され、記憶されている。受信処理部４０１の詳細については後述する。
【０１３４】
制御部４０５は、測定報告生成部４０５１を備える。制御部４０５は、ＰＤＳＣＨを用いて基地局装置３から送信され、受信処理部４０１より入力されたデータを確認し、データの中で情報データを上位層に出力し、データの中で基地局装置３の無線リソース制御部１０３で生成された制御情報に基づいて、受信処理部４０１、送信処理部４０７を制御する。また、制御部４０５は、無線リソース制御部４０３からの指示に基づき、受信処理部４０１、送信処理部４０７を制御する。例えば、制御部４０５は、セルの測定について受信処理部４０１を制御する。また、制御部４０５は、ＰＤＣＣＨを用いて基地局装置３から送信され、受信処理部４０１より入力されたＤＣＩに基づいて、受信処理部４０１、送信処理部４０７を制御する。具体的には、制御部４０５は検出された、Ｄｅｄｉｃａｔｅｄ  ｐｒｅａｍｂｌｅの割り当てに関する情報を含む下りリンクアサインメントに基づき送信処理部４０７を制御する。具体的には、制御部４０５は検出された、Ｄｅｄｉｃａｔｅｄ  ｐｒｅａｍｂｌｅの割り当てに関する情報を含まない下りリンクアサインメントに基づき受信処理部４０１を制御し、検出された上りリンクグラントに基づき送信処理部４０７を制御する。また、制御部４０５は、予め決められた生成多項式を用いて受信処理部４０１より入力されたデータと受信処理部４０１より入力されたＣＲＣ符号とを比較し、データが誤っているか否かを判断し、ＡＣＫ／ＮＡＣＫを生成する。また、制御部４０５は、無線リソース制御部４０３からの指示に基づき、ＳＲ、ＣＱＩを生成する。また、制御部４０５は、基地局装置３から通知された上りリンクの送信タイミングの調整値等に基づいて、送信処理部４０７の信号の送信タイミングを制御する。上りリンクの送信タイミングの調整の詳細については後述する。
【０１３５】
測定報告生成部４０５１は、ＴＡ  ａｓｓｉｓｔａｎｃｅ  ｉｎｆｏｒｍａｔｉｏｎを生成し、送信処理部４０７を介して生成した情報を基地局装置３に送信する。測定報告生成部４０５１は、受信処理部４０１より入力された第一のセルのＲＳＲＰを基地局装置３に通知するかどうかを判断する。例えば、測定報告生成部４０５１は、第一のセルのＲＳＲＰの値が基地局装置３によって予め指定された閾値よりも大きい場合は、第一のセルのＲＳＲＰを基地局装置３に通知すると判断し、第一のセルのＲＳＲＰの値が基地局装置３によって予め指定された閾値よりも小さい場合は、第一のセルのＲＳＲＰを基地局装置３に通知しないと判断する。例えば、測定報告生成部４０５１は、第一のセルのＲＳＲＰの値が第一のセルとは異なる、セルアグリゲーションで構成される他のセルのＲＳＲＰの値よりも大きい場合は、第一のセルのＲＳＲＰを基地局装置３に通知すると判断し、第一のセルのＲＳＲＰの値がセルアグリゲーションで構成される他のセルのＲＳＲＰの値よりも小さい場合は、第一のセルのＲＳＲＰを基地局装置３に通知しないと判断する。例えば、測定報告生成部４０５１は、第一のセルのＲＳＲＰの通知を指示するコマンド（メッセージ）を基地局装置３より受信したら、第一のセルのＲＳＲＰを基地局装置３に通知すると判断する。
【０１３６】
測定報告生成部４０５１は、第一のセルのＲＳＲＰを基地局装置３に通知すると判断した場合、基地局装置３に通知した直近のＲＳＲＰの測定時の受信タイミングと、今回通知すると判断したＲＳＲＰの測定時の受信タイミングとの差である第一の受信タイミングの差を測定（算出、計算）する。言い換えると、測定報告生成部４０５１は、同一のセルにおいて、それぞれのＲＳＲＰを測定した時点での受信タイミングの差を測定する。基本的に、移動局装置５は、複数の受信タイミングで信号を検出した場合、受信品質が良好な信号を選択し、選択した信号に基づいてＲＳＲＰを測定する。そのため、例えば、移動局装置５が、基地局装置３に通知した直近のＲＳＲＰは基地局装置３から直接受信した下りリンク参照信号を測定し、今回通知すると判断したＲＳＲＰはリピーター４を経由して受信した下りリンク参照信号を測定している場合、第一の受信タイミングの差が発生する。また、例えば、移動局装置５が、基地局装置３に通知した直近のＲＳＲＰはリピーター４を経由して受信した下りリンク参照信号を測定し、今回通知すると判断したＲＳＲＰは基地局装置３から直接受信した下りリンク参照信号を測定している場合、第一の受信タイミングの差が発生する。なお、移動局装置５が、基地局装置３に通知した直近のＲＳＲＰの測定時に用いた下りリンク参照信号と、今回通知すると判断したＲＳＲＰの測定時に用いた下りリンク参照信号の両方が、基地局装置３、またはリピーター４から受信した下りリンク参照信号で同じ場合、基本的に第一の受信タイミングの差は発生しない。
【０１３７】
送信された信号は、建物や地形の影響により複数の経路を通って受信側で受信される。異なる経路により、異なる遅延が発生し、複数の遅延した信号が受信側に到来する。このような、遅延による信号の受信タイミングの差を、移動局装置５が受信した下りリンクの信号の送信装置（基地局装置３、またはリピーター４）が変更されたためであると間違って解釈（認識）しないように、測定報告生成部４０５１は、第一の受信タイミングの差が所定時間以上であるか否かを判断する。例えば、ここで、所定時間として、下りリンクのＯＦＤＭ信号の生成に用いられるガードインターバルを用いる。ガードインターバルは、通信システム１で想定される、信号の遅延時間を考慮して決められる。
【０１３８】
測定報告生成部４０５１は、第一の受信タイミングの差が所定時間以上であるか否かの判断（第一の受信タイミングの差に関する判断）に基づき、第一のセルのＲＳＲＰを示す情報と、第一の受信タイミングの差に関する情報とを生成し、生成した情報を送信処理部４０７を介して基地局装置３に送信する。具体的には、測定報告生成部４０５１は、第一の受信タイミングの差が所定時間以上であると判断した場合、第一のセルの第一の受信タイミングの差が所定時間以上であることを示す情報と、第一のセルのＲＳＲＰを示す情報とを生成し、生成した情報を送信処理部４０７を介して基地局装置３に送信する。測定報告生成部４０５１は、第一の受信タイミングの差が所定時間以上ではないと判断した場合、第一のセルの受信タイミングの差に関する情報を生成せず、第一のセルのＲＳＲＰのみを示す情報を生成し、第一のセルの受信タイミングの差に関する情報は送信せず、第一のセルのＲＳＲＰを示す情報を送信処理部４０７を介して基地局装置３に送信する。第一の受信タイミングの差は、第一のセルの受信タイミングと、第一のセルの送信タイミングのグループに属する他のセルの受信タイミングとの差であってもよい。
【０１３９】
また、測定報告生成部４０５１は、第一のセルの第一の受信タイミングの差が所定時間以上であると判断した場合、今回基地局装置３に通知する第一のセルのＲＳＲＰの測定時の第一のセルの下りリンクの受信信号の受信タイミングと、第一のセルとは異なる第二のセルの下りリンクの受信信号との差である第二の受信タイミングの差を測定する。第二のセルは、セルアグリゲーションに構成されているセルであり、第一のセルとは周波数の異なるセルである。具体的には、測定報告生成部４０５１は、第一のセルの受信タイミングの情報と、第二のセルの受信タイミングの情報とを比較する。測定報告生成部４０５１は、第二の受信タイミングの差が所定時間以上であるか否かを判断する。例えば、ここで、所定時間として、後述するＴＡ  ｃｏｍｍａｎｄを用いて調整可能な最小の時間単位を用いる。なお、ＴＡ  ｃｏｍｍａｎｄを用いて調整可能な最小の時間単位に、受信処理部４０１における検出誤差等を考慮したマージンに相当する時間を付加した値を所定時間として用いるようにしてもよい。
【０１４０】
測定報告生成部４０５１は、第二の受信タイミングの差が所定時間以上であるか否かの判断（第二の受信タイミングの差に関する判断）に基づいて、第二の受信タイミングの差が所定時間以上であることを示す情報、または第二の受信タイミングの差が所定時間以内である第二のセルを示す情報の何れかを生成する。例えば、第二のセルを示す情報としてセルインデックス（ＳｅｒｖＣｅｌｌＩｎｄｅｘ; セルアグリゲーションに用いられるセルを識別するインデックス、ＳＣｅｌｌＩｎｄｅｘ; ＳＣｅｌｌを識別するインデックス）が用いられる。そして、測定報告生成部４０５１は、第二の受信タイミングの差が所定時間以上であることを示す情報、または第二の受信タイミングの差が所定時間以内である第二のセルを示す情報の何れかの情報（タイミング関連情報; ＴＡ  ａｓｓｉｓｔａｎｃｅ  ｉｎｆｏｒｍａｔｉｏｎ）と、第一のセルのＲＳＲＰを示す情報とを基地局装置３に送信するように、送信処理部４０７を制御する。なお、測定報告生成部４０５１は、基地局装置３からの第一のセルの測定に関する設定（ｍｅａｓｕｒｅｍｅｎｔ  ｃｏｎｆｉｇｕｒａｔｉｏｎ）に基づいてＴＡ  ａｓｓｉｓｔａｎｃｅ  ｉｎｆｏｒｍａｔｉｏｎを生成するか否かを判断する。
【０１４１】
測定報告生成部４０５１は、第一の受信タイミングの差が所定時間以上であると判断した場合、第二の受信タイミングの差を測定し、測定した第二の受信タイミングの差が所定時間以上であるか否かを判断し、第二の受信タイミングの差に関する判断に基づいて、第二の受信タイミングの差が所定時間以上であることを示す情報、または第二の受信タイミングの差が所定時間以内である第二のセルを示す情報のいずれかと、第一のセルのＲＳＲＰを示す情報とを基地局装置３に送信処理部４０７を介して送信する。また、測定報告生成部４０５１は、第一の受信タイミングの差が所定時間以上ではないと判断した場合、第一の受信タイミングの差に関する情報を送信せず、第二の受信タイミングの差に関する情報を送信せず、第一のセルのＲＳＲＰを示す情報を基地局装置３に送信処理部４０７を介して送信する。
【０１４２】
基地局装置３は、測定報告生成部４０５１で生成され、移動局装置５から通知された情報に基づき、ＲＳＲＰが通知された第一のセルに対してＴＡ  ｇｒｏｕｐの設定を効率的に行うことができる。基地局装置３は、第一の受信タイミングの差が所定時間以上であることを示す情報が通知された場合、第一のセルのＴＡ  ｇｒｏｕｐを再設定する必要があると適切に判断することができる。例えば、基地局装置３は、通知された第一のセルを独立したＴＡ  ｇｒｏｕｐに設定し、ＴＡ  ｃｏｍｍａｎｄを独立に通知するようにする。例えば、基地局装置３は、通知された第一のセルに対してランダムアクセス手順を実行させ、上りリンクの送信タイミングの設定を行う。更に、基地局装置３は、第二の受信タイミングの差が所定時間以内である第二のセルを示す情報が通知された場合、第一のセルを通知された第二のセルが属するＴＡ  ｇｒｏｕｐに設定する。この場合、基地局装置３は、第一のセルに対して不必要なランダムアクセス手順の実行、不必要なＴＡ  ｃｏｍｍａｎｄの送信を行なわないようにすることができる。
【０１４３】
測定報告生成部４０５１は、第二の受信タイミングの差が所定時間以内である第二のセルが複数あると判断した場合、第二の受信タイミングの差が最も小さい第二のセルを示す情報を生成し、基地局装置３に送信するようにする。これにより、移動局装置５がセル間の下りリンクの受信タイミングの差を上りリンクの送信タイミングの差に適用する場合、測定誤差の影響で上りリンクの同期ずれによるシンボル間干渉が生じる可能性を低減することができる。
【０１４４】
測定報告生成部４０５１が、第二の受信タイミングの差が所定時間以内である第二のセルを示す情報として、第二の受信タイミングの差が所定時間以内である第二のセルが属するＴＡ  ｇｒｏｕｐを示す情報を生成し、基地局装置３に送信する構成でもよい。
【０１４５】
移動局装置５の送信タイミングの基本的な設定処理を説明する。先ず、移動局装置５はセルの受信タイミングを測定して、下りリンクのフレームの先頭タイミングを推定する。次に、移動局装置５は、上りリンクに用いられるフレーム構造のタイプに応じたタイミングのオフセット（ずれ）を下りリンクのフレームの先頭タイミングに設定したタイミングを上りリンクのフレームの先頭タイミングであると仮判断する。言い換えると、移動局装置５はＰＲＡＣＨのプリアンブルの送信に用いる送信タイミングを判断する。なお、上りリンクに用いられるフレーム構造のタイプによって、タイミングのオフセットに０秒が用いられる。次に、移動局装置５は、仮判断した上りリンクのフレームの先頭タイミングからランダムアクセスのプリアンブルを送信する。次に、移動局装置５は、基地局装置３より受信した送信タイミングの調整値を用いて仮判断した上りリンクのフレームの先頭タイミングの時間をずらして、上りリンクのフレームの先頭タイミングを正式判断する。言い換えると、移動局装置５はＰＵＳＣＨ、ＰＵＣＣＨ、ＳＲＳ、ＤＭ  ＲＳの送信に用いる送信タイミングを判断する。
【０１４６】
複数のＳＣｅｌｌによりＴＡ  ｇｒｏｕｐが構成される場合、そのＴＡ  ｇｒｏｕｐ内で最も下りリンクの受信品質（ＲＳＲＰ）が良いセルを第二のセルとして、第一のセルとの受信タイミングの差の検出に用いるようにしてもよい。下りリンクの受信品質の良いセルの方が下りリンクの受信品質の良くないセルと比較して、下りリンクの受信タイミングの測定誤差が小さい可能性があるため、ＴＡ  ｇｒｏｕｐ内で最も下りリンクの受信品質（ＲＳＲＰ）が良いセルを第二のセルとして第一のセルとの受信タイミングの差の検出に用いることは、ＴＡ  ｇｒｏｕｐ内の他のセルを第二のセルとして第一のセルとの受信タイミングの差の検出に用いる場合と比較して、第二のセルと第一のセルとの受信タイミングの差の測定精度が悪いという状況になる可能性を小さくすることができる。
【０１４７】
なお、上記説明で、「受信」という処理は「検出」という処理と同じ意味を適宜含むことが考慮されるべきである。上記説明で「受信した」という処理の意味は、受信した信号の復調、復号等を行ない、対象となる情報を検出したことを意味する場合があることが考慮されるべきである。また、関連しない情報、例えば、他の移動局装置５に関連する情報であり、自移動局装置５に関連しない情報を検出したことは、上記説明で「受信した」という処理の意味に適宜含まれないことが考慮されるべきである。
【０１４８】
なお、送信電力に関連するパラメータとして、セル固有、および移動局装置固有のパラメータはＰＤＳＣＨを用いて基地局装置３より通知され、送信電力制御コマンドはＰＤＣＣＨを用いて基地局装置３より通知される。ＰＵＳＣＨに対する送信電力制御コマンドは上りリンクグラントに含まれ、ＰＵＣＣＨに対する送信電力制御コマンドは下りリンクアサインメントに含まれる。なお、制御部４０５は、送信されるＵＣＩの種類に応じてＰＵＣＣＨの信号構成を制御している。
【０１４９】
無線リソース制御部４０３は、基地局装置３の無線リソース制御部１０３で生成され、基地局装置３より通知された制御情報を記憶して保持すると共に、制御部４０５を介して受信処理部４０１、送信処理部４０７の制御を行なう。つまり、無線リソース制御部４０３は、各種パラメータなどを保持するメモリの機能を備える。
【０１５０】
送信処理部４０７は、制御部４０５の指示に従い、情報データ、ＵＣＩを符号化および変調した信号をＰＵＳＣＨ、ＰＵＣＣＨのリソースを用いて、基地局装置３に送信アンテナ４１１を介して送信する。また、送信処理部４０７は、制御部４０５の指示に従い、ＰＲＡＣＨのリソースを用いて、Ｄｅｄｉｃａｔｅｄ  ｐｒｅａｍｂｌｅを基地局装置３に送信する。また、送信処理部４０７は、制御部４０５の指示に従い、ＳＲＳを送信する。また、送信処理部４０７は、制御部４０５の指示に従い、ＰＵＳＣＨ、ＰＵＣＣＨ、ＳＲＳの送信電力を設定する。また、送信処理部４０７は、制御部４０５の指示に従い、信号の送信タイミングが制御される。送信処理部４０７の詳細については後述する。
【０１５１】
＜移動局装置５の受信処理部４０１＞
以下、移動局装置５の受信処理部４０１の詳細について説明する。図５は、本発明の実施形態に係る移動局装置５の受信処理部４０１の構成を示す概略ブロック図である。この図に示すように、受信処理部４０１は、受信ＲＦ部５０１、Ａ／Ｄ部５０３、シンボルタイミング検出部５０５、ＧＩ除去部５０７、ＦＦＴ部５０９、多重分離部５１１、伝搬路推定部５１３、ＰＤＳＣＨ用の伝搬路補償部５１５、物理下りリンク共用チャネル復号部５１７、ＰＤＣＣＨ用の伝搬路補償部５１９、物理下りリンク制御チャネル復号部５２１、および下りリンク受信品質測定部５３１を含んで構成される。また、この図に示すように、物理下りリンク共用チャネル復号部５１７は、データ復調部５２３、および、ターボ復号部５２５、を備える。また、この図に示すように、物理下りリンク制御チャネル復号部５２１は、ＱＰＳＫ復調部５２７、および、ビタビデコーダ部５２９、を備える。なお、本発明の実施形態では、受信処理部４０１において受信アンテナ４０９の数が１つの場合について示すが、複数の受信アンテナが構成されてもよい。
【０１５２】
受信ＲＦ部５０１は、受信アンテナ４０９で受信した信号を、適切に増幅し、中間周波数に変換し（ダウンコンバート）、不要な周波数成分を除去し、信号レベルが適切に維持されるように増幅レベルを制御し、受信した信号の同相成分および直交成分に基づいて、直交復調する。受信ＲＦ部５０１は、直交復調したアナログ信号を、Ａ／Ｄ部５０３に出力する。
【０１５３】
Ａ／Ｄ部５０３は、受信ＲＦ部５０１が直交復調したアナログ信号をディジタル信号に変換し、変換したディジタル信号を、シンボルタイミング検出部５０５と、ＧＩ除去部５０７と、に出力する。シンボルタイミング検出部５０５は、Ａ／Ｄ部５０３が変換したディジタル信号に基づいて、シンボルのタイミングを検出し、検出したシンボル境界のタイミングを示す制御信号を、ＧＩ除去部５０７に出力する。ＧＩ除去部５０７は、シンボルタイミング検出部５０５からの制御信号に基づいて、Ａ／Ｄ部５０３の出力したディジタル信号からガードインターバルに相当する部分を除去し、残りの部分の信号を、ＦＦＴ部５０９に出力する。ＦＦＴ部５０９は、ＧＩ除去部５０７から入力された信号を高速フーリエ変換し、ＯＦＤＭ方式の復調を行ない、多重分離部５１１に出力する。
【０１５４】
多重分離部５１１は、制御部４０５から入力された制御信号に基づき、ＦＦＴ部５０９が復調した信号を、ＰＤＣＣＨの信号と、ＰＤＳＣＨの信号とに分離する。多重分離部５１１は、分離したＰＤＳＣＨの信号を、ＰＤＳＣＨ用の伝搬路補償部５１５に出力し、また、分離したＰＤＣＣＨの信号を、ＰＤＣＣＨ用の伝搬路補償部５１９に出力する。また、多重分離部５１１は、下りリンクパイロットチャネルが配置される下りリンクリソースエレメントを分離し、下りリンクパイロットチャネルの下りリンク参照信号を、伝搬路推定部５１３、および下りリンク受信品質測定部５３１に出力する。なお、多重分離部５１１は、ＰＤＣＣＨ  ＣＣの信号をＰＤＣＣ用の伝搬路補償部５１９に出力し、ＰＤＳＣＨ  ＣＣの信号をＰＤＳＣＨ用の伝搬路補償部５１５に出力する。
【０１５５】
伝搬路推定部５１３は、多重分離部５１１が分離した下りリンクパイロットチャネルの下りリンク参照信号と既知の信号とを用いて伝搬路の変動を推定し、伝搬路の変動を補償するように、振幅および位相を調整するための伝搬路補償値を、ＰＤＳＣＨ用の伝搬路補償部５１５と、ＰＤＣＣＨ用の伝搬路補償部５１９に出力する。ＰＤＳＣＨ用の伝搬路補償部５１５は、多重分離部５１１が分離したＰＤＳＣＨの信号の振幅および位相を、伝搬路推定部５１３から入力された伝搬路補償値に従って調整する。ＰＤＳＣＨ用の伝搬路補償部５１５は、伝搬路を調整した信号を物理下りリンク共用チャネル復号部５１７のデータ復調部５２３に出力する。
【０１５６】
物理下りリンク共用チャネル復号部５１７は、制御部４０５からの指示に基づき、ＰＤＳＣＨの復調、復号を行ない、情報データを検出する。データ復調部５２３は、伝搬路補償部５１５から入力されたＰＤＳＣＨの信号の復調を行ない、復調したＰＤＳＣＨの信号をターボ復号部５２５に出力する。この復調は、基地局装置３のデータ変調部２２１で用いられる変調方式に対応した復調である。ターボ復号部５２５は、データ復調部５２３から入力され、復調されたＰＤＳＣＨの信号から情報データを復号し、制御部４０５を介して上位層に出力する。なお、ＰＤＳＣＨを用いて送信された、基地局装置３の無線リソース制御部１０３で生成された制御情報等も制御部４０５に出力され、制御部４０５を介して無線リソース制御部４０３にも出力される。なお、ＰＤＳＣＨに含まれるＣＲＣ符号も制御部４０５に出力される。
【０１５７】
ＰＤＣＣＨ用の伝搬路補償部５１９は、多重分離部５１１が分離したＰＤＣＣＨの信号の振幅および位相を、伝搬路推定部５１３から入力された伝搬路補償値に従って調整する。ＰＤＣＣＨ用の伝搬路補償部５１９は、調整した信号を物理下りリンク制御チャネル復号部５２１のＱＰＳＫ復調部５２７に出力する。
【０１５８】
物理下りリンク制御チャネル復号部５２１は、以下のように、ＰＤＣＣＨ用の伝搬路補償部５１９から入力された信号を復調、復号し、制御データを検出する。ＱＰＳＫ復調部５２７は、ＰＤＣＣＨの信号に対してＱＰＳＫ復調を行ない、ビタビデコーダ部５２９に出力する。ビタビデコーダ部５２９は、ＱＰＳＫ復調部５２７が復調した信号を復号し、復号したＤＣＩを制御部４０５に出力する。ここで、この信号はビット単位で表現され、ビタビデコーダ部５２９は、入力ビットに対してビタビデコーディング処理を行なうビットの数を調整するためにレートデマッチングも行なう。
【０１５９】
移動局装置５は、複数の符号化率を想定して、ＰＤＣＣＨに対して自装置宛てのＤＣＩを検出する処理を行なう。移動局装置５は、想定する符号化率毎に異なる復号処理をＰＤＣＣＨの信号に対して行ない、ＤＣＩと一緒にＰＤＣＣＨに付加されるＣＲＣ符号に誤りが検出されなかったＰＤＣＣＨに含まれるＤＣＩを取得する。このような処理をブラインドデコーディングと称す。なお、移動局装置５は、ＤＬ  ＣＣの全てのリソースの信号に対してブラインドデコーディングを行なうのではなく、一部のリソースの信号に対してのみブラインドデコーディングを行なうようにしてもよい。ブラインドでコーディングが行なわれる一部のリソースの領域をＳｅａｒｃｈ  ｓｐａｃｅと呼称する。また、移動局装置５は、符号化率毎に異なるリソースに対してブラインドデコーディングを行なうようにしてもよい。
【０１６０】
なお、制御部４０５は、ビタビデコーダ部５２９より入力されたＤＣＩが誤りなく、自装置宛てのＤＣＩかを判定し、誤りなく、自装置宛てのＤＣＩと判定した場合、ＤＣＩに基づいて多重分離部５１１、データ復調部５２３、ターボ復号部５２５、および送信処理部４０７、を制御する。例えば、制御部４０５は、ＤＣＩがＤｅｄｉｃａｔｅｄ  ｐｒｅａｍｂｌｅに関する情報を含まない下りリンクアサインメントである場合、リソースを割り当てられたＤＬ  ＣＣでＰＤＳＣＨの信号を復号するように受信処理部４０１を制御する。なお、ＰＤＣＣＨにおいてもＰＤＳＣＨと同様にＣＲＣ符号が含まれており、制御部４０５はＣＲＣ符号を用いてＰＤＣＣＨのＤＣＩが誤っているか否かを判断する。例えば、制御部４０５は、ＤＣＩがＤｅｄｉｃａｔｅｄ  ｐｒｅａｍｂｌｅに関する情報を含む下りリンクアサインメントである場合、割り当てられたプリアンブル系列を用いてＰＲＡＣＨの信号を送信するように送信処理部４０７を制御する。
【０１６１】
下りリンク受信品質測定部５３１は、下りリンクパイロットチャネルの下りリンク参照信号を用いてセルの下りリンクの受信品質を測定し、測定した下りリンクの受信品質情報を制御部４０５に出力する。下りリンク受信品質測定部５３１は、第一のセル、第二のセルのＲＳＲＰを測定する。また、下りリンク受信品質測定部５３１は、セルにおいてＣＱＩに関連する下りリンクの受信品質も適宜測定する。
【０１６２】
また、図示していないが、受信処理部４０１は、下りリンクの受信タイミングを検出する処理を行い、第一のセルの受信タイミングに関する情報、第二のセルの受信タイミングに関する情報を制御部４０５に出力する。例えば、受信タイミングに関する情報は、下りリンクの無線フレームの先頭タイミングに関する情報、下りリンクサブフレームの先頭タイミングに関する情報、ＳＣＨの検出タイミングに関する情報などである。なお、受信処理部４０１は、セルアグリゲーションで構成される、全てのセルの受信タイミングに関する情報を制御４０５に出力するようにしてもよい。
【０１６３】
＜移動局装置５の送信処理部４０７＞
図６は、本発明の実施形態に係る移動局装置５の送信処理部４０７の構成を示す概略ブロック図である。この図に示すように、送信処理部４０７は、複数の上りリンクコンポーネントキャリア毎送信処理部６０１−１〜６０１−Ｍ（以下、上りリンクコンポーネントキャリア毎送信処理部６０１−１〜６０１−Ｍを合わせて上りリンクコンポーネントキャリア毎送信処理部６０１と表す）、コンポーネントキャリア合成部６０３、Ｄ／Ａ部６０５、送信ＲＦ部６０７、および、送信アンテナ４１１を含んで構成される。また、この図に示すように、上りリンクコンポーネントキャリア毎送信処理部６０１は、ターボ符号部６１１、データ変調部６１３、ＤＦＴ部６１５、上りリンクパイロットチャネル処理部６１７、物理上りリンク制御チャネル処理部６１９、サブキャリアマッピング部６２１、ＩＦＦＴ部６２３、ＧＩ挿入部６２５、送信電力調整部６２７、およびランダムアクセスチャネル処理部６２９を備える。移動局装置５は、対応する数のＵＬ  ＣＣ分の上りリンクコンポーネントキャリア毎送信処理部６０１を有する。なお、各上りリンクコンポーネントキャリア毎送信処理部６０１は、同様の構成および機能を有するので、その一つを代表して説明する。
【０１６４】
上りリンクコンポーネントキャリア毎送信処理部６０１は、制御部４０５から指示されたプリアンブル系列を用いて、ＵＬ  ＣＣ内のＰＲＡＣＨで送信する信号を生成し、ＰＲＡＣＨの送信電力を調整する。また、上りリンクコンポーネントキャリア毎送信処理部６０１は、情報データ、ＵＣＩに対して符号化、変調を行ない、ＵＬ  ＣＣ内のＰＵＳＣＨ、ＰＵＣＣＨを用いて送信する信号を生成し、ＰＵＳＣＨ、ＰＵＣＣＨの送信電力を調整する。また、上りリンク要素周波数帯域毎送信処理部６０１は、上りリンクパイロットチャネルを用いて送信するＳＲＳ、ＤＭ  ＲＳを生成する。ターボ符号部６１１は、入力された情報データを、制御部４０５から指示された符号化率で、データの誤り耐性を高めるためのターボ符号化を行ない、データ変調部６１３に出力する。データ変調部６１３は、ターボ符号部６１１が符号化した符号データを、制御部４０５から指示された変調方式、例えば、ＱＰＳＫ、１６ＱＡＭ、６４ＱＡＭのような変調方式で変調し、変調シンボルの信号系列を生成する。データ変調部６１３は、生成した変調シンボルの信号系列を、ＤＦＴ部６１５に出力する。ＤＦＴ部６１５は、データ変調部６１３が出力した信号を離散フーリエ変換し、サブキャリアマッピング部６２１に出力する。
【０１６５】
物理上りリンク制御チャネル処理部６１９は、制御部４０５から入力されたＵＣＩを伝送するためのベースバンド信号処理を行なう。物理上りリンク制御チャネル処理部６１９に入力されるＵＣＩは、ＡＣＫ／ＮＡＣＫ、ＳＲ、ＣＱＩである。物理上りリンク制御チャネル処理部６１９は、ベースバンド信号処理を行ない、生成した信号をサブキャリアマッピング部６２１に出力する。物理上りリンク制御チャネル処理部６１９は、ＵＣＩの情報ビットを符号化して信号を生成する。
【０１６６】
また、物理上りリンク制御チャネル処理部６１９は、ＵＣＩから生成される信号に対して周波数領域の符号多重および／または時間領域の符号多重に関連する信号処理を行なう。物理上りリンク制御チャネル処理部６１９は、ＡＣＫ／ＮＡＣＫの情報ビット、またはＳＲの情報ビット、またはＣＱＩの情報ビットから生成されるＰＵＣＣＨの信号に対して周波数領域の符号多重を実現するために制御部４０５から指示された符号系列を乗算する。物理上りリンク制御チャネル処理部６１９は、ＡＣＫ／ＮＡＣＫの情報ビット、またはＳＲの情報ビットから生成されるＰＵＣＣＨの信号に対して時間領域の符号多重を実現するために制御部４０５から指示された符号系列を乗算する。
【０１６７】
上りリンクパイロットチャネル処理部６１７は、基地局装置３において既知の信号であるＳＲＳ、ＤＭ  ＲＳを制御部４０５からの指示に基づき生成し、サブキャリアマッピング部６２１に出力する。
【０１６８】
サブキャリアマッピング部６２１は、上りリンクパイロットチャネル処理部６１７から入力された信号と、ＤＦＴ部６１５から入力された信号と、物理上りリンク制御チャネル処理部６１９から入力された信号とを、制御部４０５からの指示に従ってサブキャリアに配置し、ＩＦＦＴ部６２３に出力する。
【０１６９】
ＩＦＦＴ部６２３は、サブキャリアマッピング部６２１が出力した信号を高速逆フーリエ変換し、ＧＩ挿入部６２５に出力する。ここで、ＩＦＦＴ部６２３のポイント数はＤＦＴ部６１５のポイント数よりも多く、移動局装置５は、ＤＦＴ部６１５、サブキャリアマッピング部６２１、ＩＦＦＴ部６２３を用いることにより、ＰＵＳＣＨを用いて送信する信号に対してＤＦＴ−Ｓｐｒｅａｄ−ＯＦＤＭ方式の変調を行なう。ＧＩ挿入部６２５は、ＩＦＦＴ部６２３から入力された信号に、ガードインターバルを付加し、送信電力調整部６２７に出力する。
【０１７０】
ランダムアクセスチャネル処理部６２９は、制御部４０５から指示されたプリアンブル系列を用いて、ＵＬ  ＣＣ内のＰＲＡＣＨで送信する信号を生成し、生成した信号を送信電力調整部６２７に出力する。送信電力調整部６２７は、ＧＩ挿入部６２５から入力された信号、またはランダムアクセスチャネル処理部６２９から入力された信号に対して、制御部４０５からの制御信号に基づき送信電力を調整してコンポーネントキャリア合成部６０３に出力する。なお、送信電力調整部６２７では、ＰＲＡＣＨ、ＰＵＳＣＨ、ＰＵＣＣＨ、ＳＲＳ、ＤＭ  ＲＳの平均送信電力が上りリンクサブフレーム毎に制御される。例えば、送信電力調整部６２７では、プリアンブル系列の再送のたびに送信電力が大きくなるようにＰＲＡＣＨの送信電力を調整する。
【０１７１】
コンポーネントキャリア合成部６０３は、各上りリンクコンポーネントキャリア毎送信処理部６０１より入力されたＵＬ  ＣＣ毎の信号を合成し、Ｄ／Ａ部６０５に出力する。Ｄ／Ａ部６０５は、コンポーネントキャリア合成部６０３から入力されたベースバンドのディジタル信号をアナログ信号に変換し、送信ＲＦ部６０７に出力する。送信ＲＦ部６０７は、Ｄ／Ａ部６０５から入力されたアナログ信号から、中間周波数の同相成分および直交成分を生成し、中間周波数帯域に対する余分な周波数成分を除去する。次に、送信ＲＦ部６０７は、中間周波数の信号を高周波数の信号に変換（アップコンバート）し、余分な周波数成分を除去し、電力増幅し、送信アンテナ４１１を介して、基地局装置３に送信する。なお、送信処理部４０７において、信号の送信タイミングは制御部４０５により制御される。
【０１７２】
＜上りリンクの送信タイミングの調整＞
上りリンクの送信タイミングの調整値は、第一のフォーマット（構造、種類、タイプ）、または第二のフォーマット（構造、種類、タイプ）のいずれか一方で構成（表現）される。第一のフォーマットは第二のフォーマットより構成されるビット数が多くて、上りリンクの送信タイミングの調整可能範囲が広い。例えば、第一のフォーマットは１１ビットにより構成され、第二のフォーマットは６ビットにより構成される。上りリンクの送信タイミングの調整に用いられる、最小時間単位をＴｓとする。例えば、Ｔｓとして、１／（１５０００×２０４８）秒が用いられる。例えば、第一のフォーマットは、０×Ｔｓ〜１２８２×Ｔｓの範囲で上りリンクの送信タイミングの調整が可能である。例えば、第二のフォーマットは、（−３１）×Ｔｓ〜３２×Ｔｓの範囲で上りリンクの送信タイミングの調整が可能である。
【０１７３】
Ｒａｎｄｏｍ  ＩＤを示す情報と共に示される上りリンクの送信タイミングの調整値を示す情報には、第一のフォーマットが用いられる。プリアンブル系列の送受信に対する応答（セルの初期設定時）には、第一のフォーマットの送信タイミングの調整値を示す情報が用いられる。Ｃ−ＲＮＴＩを示す情報と共に示される上りリンクの送信タイミングの調整値を示す情報には、第二のフォーマットが用いられる。プリアンブル系列の送受信に対する応答ではなく、基地局装置３が受信したＳＲＳなどに基づき、送信タイミングの調整（微調整）を移動局装置５に指示する場合（セルの初期設定後の上りリンクの送信タイミングの微調整、再調整）に、第二のフォーマットの送信タイミングの調整値を示す情報が用いられる。言い換えると、あるセルの上りリンクに対して、上りリンクの送信タイミングの初期設定時には上りリンクの送信タイミングの調整値に対して第一のフォーマットが用いられ、上りリンクの送信タイミングの初期設定が行なわれた後の上りリンクの送信タイミングの微調整時には上りリンクの送信タイミングの調整値に対して第二のフォーマットが用いられる。
【０１７４】
先ず、下りリンクの受信タイミングに基づき上りリンクの送信タイミングが仮判断される。その後、第一のフォーマットを用いた上りリンクの送信タイミングの調整値を示す情報に基づき上りリンクの送信タイミングが正式判断される。その後、第二のフォーマットを用いた上りリンクの送信タイミングの調整値を示す情報に基づき上りリンクの送信タイミングの更新（微調整、再調整）が行われる。例えば、第一のフォーマットを用いた上りリンクの送信タイミングの調整値は、プリアンブルの検出（受信）タイミングに基づき基地局装置３で算出（生成）される。例えば、第一のフォーマットを用いた上りリンクの送信タイミングの調整値は、セル間の下りリンクの受信タイミングの差に基づき移動局装置５で算出される。例えば、第二のフォーマットを用いた上りリンクの送信タイミングの調整値は、ＳＲＳの受信タイミング（検出タイミング）に基づき基地局装置３で算出される。
【０１７５】
第一のフォーマットを用いた上りリンクの送信タイミングの調整処理は、下りリンクの同期チャネルから検出した下りリンクの時間フレームのタイミングに基づく基準送信タイミングに対して、基地局装置３より示された送信タイミングの調整値を適用することにより行なわれる。例えば、移動局装置５は、基準送信タイミングより［（調整値）×１６×Ｔｓ］だけ早いタイミングを新規送信タイミングとして用いる。上りリンクの送信タイミングの調整値に対して第二のフォーマットを用いた上りリンクの送信タイミングの調整処理は、既に設定された送信タイミングに対して、基地局装置３より示された送信タイミングの調整値を適用することにより行なわれる。例えば、移動局装置５は、既に設定された送信タイミングに対して［（調整値）×１６×Ｔｓ］を調整したタイミングを新規送信タイミングとして用いる。
【０１７６】
図７は、本発明の実施形態に係る移動局装置５の測定報告生成部４０５１の第一の受信タイミングの差の差に関する情報を生成する処理の一例を示すフローチャートである。移動局装置５は、第一のセルのＲＳＲＰを基地局装置３に通知すると判断した場合、第一のセルの第一の受信タイミングの差を測定する（ステップＳ１０１）。次に、移動局装置５は、測定した第一の受信タイミングの差が所定時間以上であるか否かを判定する（ステップＳ１０２）。移動局装置５は、測定した第一の受信タイミングの差が所定時間以上であると判定した場合（ステップＳ１０２：ＹＥＳ）、第一のセルと第二のセルとの第二の受信タイミングの差を測定する（ステップＳ１０３）。移動局装置５は、測定した第一の受信タイミングの差が所定時間以上ではないと判定した場合（ステップＳ１０２：ＮＯ）、第一の受信タイミングの差に関する情報を生成しない。ステップＳ１０３の後、移動局装置５は、測定した第二の受信タイミングの差が所定時間以上であるか否かを判定する（ステップＳ１０４）。移動局装置５は、測定した第二の受信タイミングの差が所定時間以上であると判定した場合（ステップＳ１０４：ＹＥＳ）、第二の受信タイミングの差が所定時間以上であることを示す情報を生成する（ステップＳ１０５）。移動局装置５は、測定した第二の受信タイミングの差が所定時間以上ではないと判定した場合（ステップＳ１０４：ＮＯ）、第二の受信タイミングの差が所定時間以内である第二のセルが複数あるか否かを判定する（ステップＳ１０５）。移動局装置５は、第二の受信タイミングの差が所定時間以内である第二のセルが複数あると判定した場合（ステップＳ１０６：ＹＥＳ）、第二の受信タイミングの差が最も小さい第二のセルを示す情報を生成する（ステップＳ１０７）。移動局装置５は、第二の受信タイミングの差が所定時間以内である第二のセルが複数ないと判定した場合（ステップＳ１０６：ＮＯ）、第二の受信タイミングの差が所定時間以内である第二のセルを示す情報を生成する（ステップＳ１０８）。移動局装置５は、生成したＴＡ  ａｓｓｉｓｔａｎｃｅ  ｉｎｆｏｍａｔｉｏｎ（第一の受信タイミングの差が所定時間以上であることを示す情報、第二の受信タイミングの差が所定時間以上であることを示す情報、第二の受信タイミングの差が所定時間以内である第二のセルを示す情報）と、測定した第一のセルのＲＳＲＰを示す情報を基地局装置３に送信する。
【０１７７】
図８は、本発明の実施形態に係るセルの構成例を示す図である。この図では、移動局装置５は、４つのセル（セル１、セル２、セル３、セル４）がセルアグリゲーションで構成されている。なお、セル１のセルインデックスは１（ＳｅｒｖＣｅｌｌＩｎｄｅｘ  １）、セル２のセルインデックスは２（ＳｅｒｖＣｅｌｌＩｎｄｅｘ  ２）、セル３のセルインデックスは３（ＳｅｒｖＣｅｌｌＩｎｄｅｘ  ３）、セル４のセルインデックスは４（ＳｅｒｖＣｅｌｌＩｎｄｅｘ  ４）である。この図では、２つのＴＡ  ｇｒｏｕｐ（ＴＡ  ｇｒｏｕｐ１、ＴＡ  ｇｒｏｕｐ２）が構成されており、ＴＡ  ｇｒｏｕｐ１にセル１とセル２が属し、ＴＡ  ｇｒｏｕｐ２にセル３とセル４が属している。言い換えると、セル１とセル２とによりＴＡ  ｇｒｏｕｐ１が構成され、セル３とセル４とによりＴＡ  ｇｒｏｕｐ２が構成されている。なお、ＴＡ  ｇｒｏｕｐ１、ＴＡ  ｇｒｏｕｐ２には、それぞれ独立な送信タイミングが適用される。典型的に、異なるＴＡ  ｇｒｏｕｐには、異なる送信タイミングの調整値が適用される。
【０１７８】
第一のセルをセル３、第二のセルをセル１、セル２として説明する。この状況で、移動局装置５は、セル３（第一のセル）のＲＳＲＰを基地局装置３に送信すると判断した場合、セル３（第一のセル）の第一の受信タイミングの差を測定する。なお、移動局装置５は、セル３（第一のセル）ののＲＳＲＰを基地局装置３に送信すると判断した場合だけでなく、セル３（第一のセル）の測定時に第一の受信タイミングの差を測定してもよい。移動局装置５は、セル３（第一のセル）の第一の受信タイミングの差が所定時間以上であると判断した場合、第一の受信タイミングの差が所定時間以上であることを示す情報を生成する。また、移動局装置５は、セル３（第一のセル）の第一の受信タイミングの差が所定時間以上であると判断した場合、セル３（第一のセル）とセル１（第二のセル）との第二の受信タイミングの差と、セル３（第一のセル）とセル２（第二のセル）との第二の受信タイミングの差とを測定する。移動局装置５は、セル１（第二のセル）に対する第二の受信タイミングの差、セル２（第二のセル）に対する第二の受信タイミングの差の両方とも所定時間以上であると判断した場合、第二の受信タイミングの差が所定時間以上であることを示す情報を生成する。この場合、基地局装置３は、移動局装置５から受信したＴＡ  ａｓｓｉｓｔａｎｃｅ  ｉｎｆｏｒｍａｔｉｏｎに基づき、セル３（第一のセル）のＴＡ  ｇｒｏｕｐを再設定し、セル３（第一のセル）を新しいＴＡ  ｇｒｏｕｐ（例えば、ＴＡ  ｇｒｏｕｐ３）に設定する。移動局装置５は、セル１（第二のセル）に対する第二の受信タイミングの差が所定時間以内であると判断した場合、セル１（第二のセル）のセルインデックス（ＳｅｒｖＣｅｌｌＩｎｄｅｘ  １）を示す情報を生成する。この場合、基地局装置３は、移動局装置５から受信したＴＡ  ａｓｓｉｓｔａｎｃｅ  ｉｎｆｏｒｍａｔｉｏｎに基づき、セル３（第一のセル）のＴＡ  ｇｒｏｕｐを再設定し、セル３（第一のセル）をＴＡ  ｇｒｏｕｐ１に設定する。移動局装置５は、セル２（第二のセル）に対する第二の受信タイミングの差が所定時間以内であると判断した場合、セル２（第二のセル）のセルインデックス（ＳｅｒｖＣｅｌｌＩｎｄｅｘ  １）を示す情報を生成する。この場合、基地局装置３は、移動局装置５から受信したＴＡ  ａｓｓｉｓｔａｎｃｅ  ｉｎｆｏｒｍａｔｉｏｎに基づき、セル３（第一のセル）のＴＡ  ｇｒｏｕｐを再設定し、セル３（第一のセル）をＴＡ  ｇｒｏｕｐ１に設定する。
【０１７９】
また、移動局装置５は、セル１（第二のセル）、またはセル２（第二のセル）に対して第二の受信タイミングの差が所定時間以内であると判断した場合、ＴＡ  ｇｒｏｕｐ１を示す情報を生成するようにしてもよい。
【０１８０】
また、移動局装置５は、各ＴＡ  ｇｒｏｕｐ内で１つのセルを第二のセルとしてセル３（第一のセル）との第二の受信タイミングの差を測定するようにしてもよい。例えば、移動局装置５は、ＴＡ  ｇｒｏｕｐ１に対してセル１を第二のセルとしてセル３（第一のセル）との第二の受信タイミングの差のみを測定するようにしてもよい。例えば、移動局装置５は、ＴＡ  ｇｒｏｕｐ１に対してセル２を第二のセルとしてセル３（第一のセル）との第二の受信タイミングの差のみを測定するようにしてもよい。
【０１８１】
図８に示すセルの構成例に対して、セル２によりＴＡ  ｇｒｏｕｐ３が構成される場合について説明する。なお、ＴＡ  ｇｒｏｕｐ１、ＴＡ  ｇｒｏｕｐ２、ＴＡ  ｇｒｏｕｐ３には、それぞれ独立な送信タイミングが適用される。移動局装置５が、セル１（第二のセル）とセル２（第二のセル）の両方において、セル３（第一のセル）との第二の受信タイミングの差が所定時間以内であると判断した場合、第二の受信タイミングの差が最も小さい第二のセルを示す情報を送信する。例えば、セル１（第二のセル）とセル３（第一のセル）との第二の受信タイミングの差の方が、セル２（第二のセル）とセル３（第一のセル）との第二の受信タイミングの差よりも小さいと判断した場合、移動局装置５は、セル１（第二のセル）のセルインデックス（ＳｅｒｖＣｅｌｌＩｎｄｅｘ  １）を示す情報を生成する。例えば、セル２（第二のセル）とセル３（第一のセル）との第二の受信タイミングの差の方が、セル１（第二のセル）とセル３（第一のセル）との第二の受信タイミングの差よりも小さいと判断した場合、移動局装置５は、セル２（第二のセル）のセルインデックス（ＳｅｒｖＣｅｌｌＩｎｄｅｘ  ２）を示す情報を生成する。
【０１８２】
上記のような状況は、セル３（第一のセル）の下りリンクの受信タイミングが、セル１（第二のセル）の下りリンクの受信タイミングとセル２（第二のセル）の下りリンクの受信タイミングとの間にあり、例えば、セル１（第二のセル）の下りリンクの受信タイミングとセル２（第二のセル）の下りリンクの受信タイミングとの中間付近のタイミングがセル３（第一のセル）の下りリンクの受信タイミングとなるような場合に発生する。例えば、この場合、ＴＡ  ｇｒｏｕｐ１のセル（セル１）では基地局装置３と直接的に信号の送受信が行なわれ、ＴＡ  ｇｒｏｕｐ３のセル（セル２）ではリピーター４を介して基地局装置３と信号の送受信が行なわれ、ＴＡ  ｇｒｏｕｐ２のセル（セル４）ではＴＡ  ｇｒｏｕｐ３とは異なるリピーター４を介して基地局装置３と信号の送受信が行なわれる。
【０１８３】
以上のように、本発明の実施形態では、移動局装置５は、第一のセルの下りリンクの受信品質（ＲＳＲＰ）と受信タイミングを測定し、基地局装置３に通知した直近のＲＳＲＰの測定時の受信タイミングと、今回通知するＲＳＲＰの測定時の受信タイミングとの差である第一の受信タイミングの差を測定し、第一の受信タイミングの差が所定時間以上であるか否かを判断し、その判断に基づいて、第一の受信タイミングの差に関する情報（タイミング関連情報）と、第一のセルのＲＳＲＰを示す情報とを基地局装置３に送信する。基地局装置３は、移動局装置５から通知された情報（ＴＡ  ａｓｓｉｓｔａｎｃｅ  ｉｎｆｏｍａｔｉｏｎ）に基づき、ＲＳＲＰが通知された第一のセルのＴＡ  ｇｒｏｕｐの設定を効率的に行うことができる。基地局装置３は、第一の受信タイミングの差が所定時間以上であることを示す情報が移動局装置５から通知された場合、その第一のセルのＴＡ  ｇｒｏｕｐを再設定する。例えば、基地局装置３は、第一のセルを独立したＴＡ  ｇｒｏｕｐに設定し、ＴＡ  ｃｏｍｍａｎｄを独立に通知するようにすることができる。ＰＣｅｌｌ以外のセルの送信タイミングの調整にランダムアクセス手順が用いられる場合、独立したＴＡ  ｇｒｏｕｐに設定したその第一のセルにおいてランダムアクセス手順の実行を移動局装置５に対して指示することができる。例えば、基地局装置３は、第一のセルをその他のセルが属するＴＡ  ｇｒｏｕｐに追加設定することができる。この場合、基地局装置３は、第一のセルに対して不必要なランダムアクセス手順の実行、ＴＡ  ｃｏｍｍａｎｄの送信を行なわないようにすることができる。
【０１８４】
基地局装置３は、移動局装置５からタイミング関連情報を受信し、用いることにより、移動局装置５がリピーター４と接続し得るセル（第一のセル）において、他のセルとは異なる送信タイミングを適用する手順を実行する必要があるかどうかを適切に把握することができる。例えば、基地局装置３は、移動局装置５がリピーターと接続し得るセル（第一のセル）においてランダムアクセス手順を実行する必要があるかどうかを適切に認識することができる。基地局装置３は、タイミング関連情報で、第一の受信タイミングの差が所定時間以内ではないと示された場合、第一のセルに対して異なる送信タイミングを適用する必要があると認識することができ、つまりランダムアクセス手順を実行させることが必要になったことを適切に認識することができる。例えば、基地局装置３は、タイミング関連情報で、第一の受信タイミングの差が所定時間以内ではないと示された場合、第一のセルに対して異なる送信タイミングを適用する必要があると認識することができ、つまり送信タイミングの調整を行うための手順を実行させることが必要になったことを適切に認識することができる。
【０１８５】
基地局装置３は、移動局装置５からタイミング関連情報を受信し、用いることにより、移動局装置５がリピーター４と接続し得るセル（第一のセル）において、他のセルと共通の送信タイミングを適用することができるかを適切に把握することができる。例えば、基地局装置３は、タイミング関連情報で、第一の受信タイミングの差が所定時間以内ではないと示された場合、第一のセルに対して接続中の他のセルと共通の処理を用いて送信タイミングの調整を行うことができると適切に認識することができ、つまり第一のセル送信タイミングの調整を他のセルと共通の処理に切り替えることができると適切に認識することができる。
【０１８６】
また、移動局装置５は、第一の受信タイミングの差が所定時間以上であると判断した場合、第一のセルの第一の受信タイミングの差が所定時間以上であることを示す情報と、第一のセルのＲＳＲＰを示す情報とを基地局装置３に送信し、第一の受信タイミングの差が所定時間以上ではないと判断した場合、第一の受信タイミングの差に関する情報を送信せず、第一のセルのＲＳＲＰを示す情報を基地局装置に送信することにより、移動局装置５は第一のセルの第一の受信タイミングの差が所定時間以内であるという情報を暗黙的に基地局装置３に示すことができ、基地局装置３は第一の受信タイミングの差に関する情報が検出されなかったという状況から移動局装置５がＲＳＲＰを送信した第一のセルにおいて基地局装置３に通知された直近のＲＳＲＰの測定時の受信タイミングと、今回通知されたＲＳＲＰの測定時の受信タイミングとの差が所定時間以内であるということを認識し、第一のセルのＴＡ  ｇｒｏｕｐの設定を維持することができ、第一のセルに対して不必要なランダムアクセス手順を実行させることを回避することができる。よって、上りリンクのリソースを効率良く利用することができるようになる。
【０１８７】
また、移動局装置５は、第一のセルにおいて第一の受信タイミングの差が所定時間以上であると判断した場合、今回基地局装置３に通知する第一のセルのＲＳＲＰの測定時の第一のセルの下りリンクの受信信号の受信タイミングと、第一のセルとは異なる第二のセルの下りリンクの受信信号との差である第二の受信タイミングの差を測定し、測定した第二の受信タイミングの差が所定時間以上であるか否かを判断し、その判断に基づき、第二の受信タイミングの差が所定時間以上であることを示す情報、または第二の受信タイミングの差が所定時間以内である第二のセルを示す情報の何れかの情報（タイミング関連情報; ＴＡ  ａｓｓｉｓｔａｎｃｅ  ｉｎｆｏｒｍａｔｉｏｎ）と、第一のセルのＲＳＲＰを示す情報とを基地局装置３に送信し、第一のセルにおいて第一の受信タイミングの差が所定時間以上ではないと判断した場合、第一の受信タイミングの差に関する情報を送信せず、第一のセルのＲＳＲＰを示す情報を基地局装置３に送信する。基地局装置３は、移動局装置５から通知された情報（ＴＡ  ａｓｓｉｓｔａｎｃｅ  ｉｎｆｏｍａｔｉｏｎ）に基づき、ＲＳＲＰが通知された第一のセルに対してＴＡ  ｇｒｏｕｐの設定を効率的に行うことができる。基地局装置３は、第一の受信タイミングの差が所定時間以上であることを示す情報が移動局装置５から通知された場合、第一のセルのＴＡ  ｇｒｏｕｐを再設定する必要があると適切に判断することができる。例えば、基地局装置３は、通知された第一のセルを独立したＴＡ  ｇｒｏｕｐに設定し、ＴＡ  ｃｏｍｍａｎｄを独立に通知するようにする。例えば、基地局装置３は、通知された第一のセルに対してランダムアクセス手順を実行させ、上りリンクの送信タイミングの設定を行う。更に、基地局装置３は、第二の受信タイミングの差が所定時間以内である第二のセルを示す情報が移動局装置５から通知された場合、第一のセルを通知された第二のセルが属するＴＡ  ｇｒｏｕｐに設定する。この場合、基地局装置３は、第一のセルに対して不必要なランダムアクセス手順の実行、不必要なＴＡ  ｃｏｍｍａｎｄの送信を行なわないようにすることができる。
【０１８８】
また、移動局装置５は、第二の受信タイミングの差が所定時間以内である第二のセルが複数あると判断した場合、第二の受信タイミングの差が最も小さい第二のセルを示す情報を生成し、基地局装置３に送信することにより、移動局装置５がセル間の下りリンクの受信タイミングの差を上りリンクの送信タイミングの差に適用する場合、測定誤差の影響で上りリンクの同期ずれによるシンボル間干渉が生じる可能性を低減することができる。
【０１８９】
また、移動局装置５は、第二の受信タイミングの差が所定時間以内である第二のセルを示す情報として、第二の受信タイミングの差が所定時間以内である第二のセルが属するＴＡ  ｇｒｏｕｐを示す情報を生成し、基地局装置３に送信するようにしてもよい。
【０１９０】
なお、以上説明した実施形態は単なる例示に過ぎず、様々な変形例、代替例、置換例を用いて実現することができる。例えば、本発明は、ＦＤＤ（周波数分割復信）方式とＴＤＤ（時分割復信）方式のどちらの通信システムに対しても適用可能である。また、上述した実施形態においては、ＬＴＥ（ＥＵＴＲＡ）、ＬＴＥ−Ａ（Ａｄｖａｎｃｅｄ  ＥＵＴＲＡ）が適用される通信システムにおける例を記載したが、本発明に係る移動局装置、基地局装置、通信システム、通信方法および集積回路は、異なる複数の上りリンク送信がサポートされる通信システムであれば適用することが可能である。また、本実施形態で説明で用いられる各パラメータの名称は、説明の便宜上呼称しているものであって、実際に適用されるパラメータ名称と本願のパラメータ名称とが異なっていても、本願が主張する発明の趣旨に影響するものではないのは明らかである。
【０１９１】
また、移動局装置５とは、移動する端末に限らず、固定端末に移動局装置５の機能を実装することなどにより本発明を実現しても良い。
【０１９２】
なお、本発明の実施形態では、下りリンクの受信品質として主にＲＳＲＰが用いられる場合について説明してきたが、その他のパラメータ（指標）が用いられてもよい。例えば、下りリンクの受信品質を示すパラメータ（指標）として、ＲＳＲＱ（Ｒｅｆｅｒｅｎｃｅ  Ｓｉｇｎａｌ  Ｒｅｃｅｉｖｅｄ  Ｑｕａｌｉｔｙ）、ＲＳＳＩ（Ｒｅｃｅｉｖｅｄ  Ｓｉｇｎａｌ  Ｓｔｒｅｎｇｔｈ  Ｉｎｄｉｃａｔｏｒ）、ＲＳＣＰ（Ｒｅｃｅｉｖｅｄ  Ｓｉｇｎａｌ  Ｃｏｄｅ  Ｐｏｗｅｒ）などが用いられてもよい。
【０１９３】
以上説明した本発明の特徴的な手段は、集積回路に機能を実装し、制御することによっても実現することができる。すなわち、本発明の集積回路は、移動局装置５に実装されることにより、前記移動局装置５に複数の機能を発揮させる集積回路であって、複数の周波数の異なるセルを用いて基地局装置３と通信を行う機能と、第一のセルの下りリンクの受信品質と受信タイミングを測定する機能と、前記基地局装置３に通知した直近の前記受信品質の測定時の前記受信タイミングと、前記受信品質の測定時の前記受信タイミングとの差である第一の受信タイミングの差を測定する機能と、前記第一の受信タイミングの差が所定時間以上であるか否かを判断する機能と、前記第一の受信タイミングの差に関する判断に基づき、前記受信品質を示す情報と、前記第一の受信タイミングの差に関する情報とを前記基地局装置３に送信する機能と、を含む一連の機能を、前記移動局装置５に発揮させることを特徴とする。
【０１９４】
本発明の実施形態に記載の動作をプログラムで実現してもよい。本発明に関わる移動局装置５および基地局装置３で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ROM、不揮発性メモリカード等）、光記録媒体（例えば、DVD、MO、MD、CD、BD等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１９５】
また市場に流通させる場合には、可搬型の記録媒体にプログラムを格納して流通させたり、インターネット等のネットワークを介して接続されたサーバコンピュータに転送することができる。この場合、サーバコンピュータの記憶装置も本発明に含まれる。また、上述した実施形態における移動局装置５および基地局装置３の一部、または全部を典型的には集積回路であるＬＳＩとして実現してもよい。移動局装置５および基地局装置３の各機能ブロックは個別にチップ化してもよいし、一部、または全部を集積してチップ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いることも可能である。移動局装置５および基地局装置３の各機能ブロックは、複数の回路により実現してもよい。
【０１９６】
情報及び信号が、種々の異なるあらゆる技術及び方法を用いて示され得る。例えば上記説明を通して参照され得るチップ、シンボル、ビット、信号、情報、コマンド、命令、及びデータは、電圧、電流、電磁波、磁場または磁性粒子、光学場または光粒子、またはこれらの組み合わせによって示され得る。
【０１９７】
本明細書の開示に関連して述べられた種々の例示的な論理ブロック、処理部、及びアルゴリズムステップが、電子的なハードウェア、コンピュータソフトウェア、または両者の組み合わせとして実装され得る。ハードウェアとソフトウェアとのこの同義性を明瞭に示すために、種々の例示的な要素、ブロック、モジュール、回路、及びステップが、概してその機能性に関して述べられてきた。そのような機能性がハードウェアとして実装されるかソフトウェアとして実装されるかは、個々のアプリケーション、及びシステム全体に課された設計の制約に依存する。当業者は、各具体的なアプリケーションにつき種々の方法で、述べられた機能性を実装し得るが、そのような実装の決定は、この開示の範囲から逸脱するものとして解釈されるべきではない。
【０１９８】
本明細書の開示に関連して述べられた種々の例示的な論理ブロック、処理部は、本明細書で述べられた機能を実行するように設計された汎用用途プロセッサ、デジタルシグナルプロセッサ（ＤＳＰ）、特定用途向け集積回路（ＡＳＩＣ）、フィールドプログラマブルゲートアレイシグナル（ＦＰＧＡ）、またはその他のプログラマブル論理デバイス、ディスクリートゲートまたはトランジスタロジック、ディスクリートハードウェア部品、またはこれらを組み合わせたものによって、実装または実行され得る。汎用用途プロセッサは、マイクロプロセッサであっても良いが、代わりにプロセッサは従来型のプロセッサ、コントローラ、マイクロコントローラ、またはステートマシンであっても良い。プロセッサはまた、コンピューティングデバイスを組み合わせたものとして実装されても良い。例えば、ＤＳＰとマイクロプロセッサ、複数のマイクロプロセッサ、ＤＳＰコアと接続された一つ以上のマイクロプロセッサ、またはその他のそのような構成を組み合わせたものである。
【０１９９】
本明細書の開示に関連して述べられた方法またはアルゴリズムのステップは、ハードウェア、プロセッサによって実行されるソフトウェアモジュール、またはこれら２つを組み合わせたものによって、直接的に具体化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または本分野で既知のあらゆる形態の記録媒体内に存在し得る。典型的な記録媒体は、プロセッサが情報を記録媒体から読み出すことが出来、また記録媒体に情報を書き込むことが出来るように、プロセッサに結合され得る。別の方法では、記録媒体はプロセッサに一体化されても良い。プロセッサと記録媒体は、ＡＳＩＣ内にあっても良い。ＡＳＩＣは、移動局装置（ユーザ端末）内にあり得る。あるいは、プロセッサ及び記録媒体は、ディスクリート要素として移動局装置５内にあっても良い。
【０２００】
１つまたはそれ以上の典型的なデザインにおいて、述べられた機能は、ハードウェア、ソフトウェア、ファームウェア、またはこれらを組み合わせたもので実装され得る。もしソフトウェアによって実装されるのであれば、機能は、コンピュータ読み取り可能な媒体上の一つ以上の命令またはコードとして保持され、または伝達され得る。コンピュータ読み取り可能な媒体は、コンピュータプログラムをある場所から別の場所への持ち運びを助ける媒体を含むコミュニケーションメディアやコンピュータ記録メディアの両方を含む。記録媒体は、汎用または特殊用途のコンピュータによってアクセスされることが可能な市販のいずれの媒体であって良い。一例であってこれに限定するものではないものとして、このようなコンピュータ読み取り可能な媒体は、ＲＡＭ、ＲＯＭ、ＥＥＰＲＯＭ、ＣＤＲＯＭまたはその他の光ディスク媒体、磁気ディスク媒体またはその他の磁気記録媒体、または汎用または特殊用途のコンピュータまたは汎用または特殊用途のプロセッサによりアクセス可能とされ且つ命令またはデータ構造の形で所望のプログラムコード手段を持ち運びまたは保持するために使用可能な媒体を含むことが出来る。また、あらゆる接続が、適切にコンピュータ読み取り可能な媒体と呼ばれる。例えば、もしソフトウェアが同軸ケーブル、光ファイバケーブル、ツイストペア、デジタル加入者回線（ＤＳＬ）、または赤外、無線、またマイクロ波のような無線技術を用いて、ウェブサイト、サーバ、またはその他の遠隔ソースから送信される場合には、これらの同軸ケーブル、光ファイバケーブル、ツイストペア、ＤＳＬ、または赤外、無線、またマイクロ波のような無線技術が、媒体の定義に含まれる。本明細書で使用されるディスク（ｄｉｓｋ、ｄｉｓｃ）は、コンパクトディスク（ＣＤ）、レーザーディスク（登録商標）、光学ディスク、デジタルバーサタイルディスク（ＤＶＤ）、フロッピー（登録商標）ディスク、ブルーレイディスク、を含み、ディスク（ｄｉｓｋ）は、一般的に、磁気的にデータを再生する一方で、ディスク（ｄｉｓｃ）はレーザによって光学的にデータを再生する。上記のものを組み合わせたものもまた、コンピュータ読み取り可能な媒体に含まれるべきである。
【０２０１】
以上、この発明の実施形態を、図面を参照して詳述してきたが、具体的な構成はこの実施形態に限られるものではなく、この発明の要旨を逸脱しない範囲の設計等も特許請求の範囲に含まれる。
【符号の説明】
【０２０２】
３  基地局装置
４（Ａ〜Ｃ）  リピーター
５（Ａ〜Ｃ）  移動局装置
１０１  受信処理部
１０３  無線リソース制御部
１０５  制御部
１０７  送信処理部
１０９  受信アンテナ
１１１  送信アンテナ
２０１  物理下りリンク共用チャネル処理部
２０３  物理下りリンク制御チャネル処理部
２０５  下りリンクパイロットチャネル処理部
２０７  多重部
２０９  ＩＦＦＴ部
２１１  ＧＩ挿入部
２１３  Ｄ／Ａ部
２１５  送信ＲＦ部
２１９  ターボ符号部
２２１  データ変調部
２２３  畳み込み符号部
２２５  ＱＰＳＫ変調部
３０１  受信ＲＦ部
３０３  Ａ／Ｄ部
３０５  コンポーネントキャリア分離部
３０７  上りリンクコンポーネントキャリア毎受信処理部
３０９  シンボルタイミング検出部
３１１  ＧＩ除去部
３１３  ＦＦＴ部
３１５  サブキャリアデマッピング部
３１７  伝搬路推定部
３１９  伝搬路等化部（ＰＵＳＣＨ用）
３２１  伝搬路等化部（ＰＵＣＣＨ用）
３２３  ＩＤＦＴ部
３２５  データ復調部
３２７  ターボ復号部
３２９  物理上りリンク制御チャネル検出部
３３１  プリアンブル検出部
３３３  ＳＲＳ処理部
４０１  受信処理部
４０３  無線リソース制御部
４０５  制御部
４０７  送信処理部
４０９  受信アンテナ
４１１  送信アンテナ
５０１  受信ＲＦ部
５０３  Ａ／Ｄ部
５０５  シンボルタイミング検出部
５０７  ＧＩ除去部
５０９  ＦＦＴ部
５１１  多重分離部
５１３  伝搬路推定部
５１５  伝搬路補償部（ＰＤＳＣＨ用）
５１７  物理下りリンク共用チャネル復号部
５１９  伝搬路補償部（ＰＤＣＣＨ用）
５２１  物理下りリンク制御チャネル復号部
５２３  データ復調部
５２５  ターボ復号部
５２７  ＱＰＳＫ復調部
５２９  ビタビデコーダ部
５３１  下りリンク受信品質測定部
６０１  上りリンクコンポーネントキャリア毎送信処理部
６０３  コンポーネントキャリア合成部
６０５  Ｄ／Ａ部
６０７  送信ＲＦ部
６１１  ターボ符号部
６１３  データ変調部
６１５  ＤＦＴ部
６１７  上りリンクパイロットチャネル処理部
６１９  物理上りリンク制御チャネル処理部
６２１  サブキャリアマッピング部
６２３  ＩＦＦＴ部
６２５  ＧＩ挿入部
６２７  送信電力調整部
６２９  ランダムアクセスチャネル処理部
４０５１  測定報告生成部
【図１】
2013042261.tif 000003
【図２】
2013042261.tif 000004
【図３】
2013042261.tif 000005
【図４】
2013042261.tif 000006
【図５】
2013042261.tif 000007
【図６】
2013042261.tif 000008
【図７】
2013042261.tif 000009
【図８】
2013042261.tif 000010
【図９】
2013042261.tif 000011
【図１０】
2013042261.tif 000012
【図１１】
2013042261.tif 000013
【図１２】
2013042261.tif 000014
【図１３】
2013042261.tif 000015
【図１４】
2013042261.tif 000016